(57)【要約】  本願は、通信方法及び通信装置を提供する。当該方法は、第１指示情報を決定するステップであって、前記第１指示情報は第２同期信号ブロックのリソース位置を示し、前記第２同期信号ブロックは制御情報に関連付けられる、ステップと、前記第１同期信号ブロックを送信するステップであって、前記第１同期信号ブロック内の物理ブロードキャストチャネルは前記第１指示情報を運ぶ、ステップと、を含む。本願の実施形態における技術的ソリューションによると、端末装置の検出複雑性が効果的に低減できる。
2020536429.tif 000002
【特許請求の範囲】
【請求項１】
通信方法であって、
第１指示情報を決定するステップであって、前記第１指示情報は第２同期信号ブロックのリソース位置を示し、前記第２同期信号ブロックは制御情報に関連付けられる、ステップと、
第１同期信号ブロックを送信するステップであって、前記第１同期信号ブロック内の物理ブロードキャストチャネルは前記第１指示情報を運ぶ、ステップと、
を含む方法。
【請求項２】
第１指示情報を決定する前記ステップの前に、前記方法は、
前記第１同期信号ブロックが前記制御情報に関連付けられていないことを決定するステップ、
を更に含む請求項１に記載の方法。
【請求項３】
通信方法であって、
第１同期信号ブロックを受信するステップと、
前記第１同期信号ブロックが制御情報に関連付けられていないことを決定するステップと、
前記第１同期信号ブロック内の物理ブロードキャストチャネルで運ばれた第１指示情報を取得するステップであって、前記第１指示情報は、第２同期信号ブロックのリソース位置を示し、前記第２同期信号ブロックは前記制御情報に関連付けられる、ステップと、
前記第１指示情報に基づき、前記制御情報を受信するステップと、
を含む方法。
【請求項４】
前記第１指示情報に基づき、前記第２同期信号ブロックの前記リソース位置を取得し及び受信するステップと、
前記第２同期信号ブロックの前記リソース位置にある前記関連付けられた制御情報を取得するステップと、
を含む請求項３に記載の方法。
【請求項５】
通信方法であって、
第１同期信号ブロックを受信するステップと、
前記第１同期信号ブロックが制御情報に関連付けられていないとき、第２同期信号ブロックのリソース位置を決定するステップであって、前記第２同期信号ブロックの前記リソース位置は、第１指示情報により示され、前記第１指示情報は、前記第１同期信号ブロック内の物理ブロードキャストチャネルで運ばれ、前記第２同期信号ブロックは前記制御情報に関連付けられる、ステップと、
を含む方法。
【請求項６】
通信装置であって、プロセッサとトランシーバとを含み、
前記プロセッサは第１指示情報を決定するよう構成され、前記第１指示情報は第２同期信号ブロックのリソース位置を示し、前記第２同期信号ブロックは制御情報に関連付けられ、
前記トランシーバは第１同期信号ブロックを送信するよう構成され、前記第１同期信号ブロック内の物理ブロードキャストチャネルは前記プロセッサにより決定された前記第１指示情報を運ぶ、
通信装置。
【請求項７】
前記プロセッサは、前記第１同期信号ブロックが前記制御情報に関連付けられていないことを決定するよう更に構成される、請求項６に記載の通信装置。
【請求項８】
通信装置であって、プロセッサとトランシーバとを含み、
前記トランシーバは、第１同期信号ブロックを受信するよう構成され、
前記プロセッサは、前記トランシーバにより受信された前記第１同期信号ブロックが制御情報に関連付けられていないことを決定し、前記第１同期信号ブロック内の物理ブロードキャストチャネルで運ばれた第１指示情報を取得するよう構成され、前記第１指示情報は、第２同期信号ブロックのリソース位置を示し、前記第２同期信号ブロックは前記制御情報に関連付けられ、
前記トランシーバは、前記プロセッサにより取得された前記第１指示情報に基づき、前記制御情報を受信するよう構成される、
通信装置。
【請求項９】
前記プロセッサは、前記第１指示情報に基づき、前記第２同期信号ブロックのリソース位置を受信し及び取得し、前記第２同期信号ブロックの前記リソース位置にある前記関連付けられた制御情報を取得するよう更に構成される、請求項８に記載の通信装置。
【請求項１０】
通信装置であって、
第１同期信号ブロックを受信するよう構成されるユニットと、
前記第１同期信号ブロックが制御情報に関連付けられていないとき、第２同期信号ブロックのリソース位置を決定するユニットであって、前記第２同期信号ブロックの前記リソース位置は、第１指示情報により示され、前記第１指示情報は、前記第１同期信号ブロック内の物理ブロードキャストチャネルで運ばれ、前記第２同期信号ブロックは前記制御情報に関連付けられる、ユニットと、
を含む通信装置。
【請求項１１】
前記第２同期信号ブロックが前記制御情報に関連付けられることは、
前記第２同期信号ブロックと同じ時間ドメインリソースで又はプロトコルにより指定された方法若しくは所定の方法で前記第２同期信号ブロックの後の時間ドメインリソースで送信される必要のある制御情報を運ぶことを含む、請求項１乃至５のいずれか一項に記載の方法、又は請求項６乃至１０のいずれか一項に記載の通信装置。
【請求項１２】
前記後の時間ドメインリソースと前記第２同期信号ブロックとの間に時間対応がある、請求項１１に記載の方法又は通信装置。
【請求項１３】
前記第２同期信号ブロックが前記制御情報に関連付けられることは、
前記端末装置に関連付けられた前記制御情報のリソース構成情報が、前記第２同期信号ブロック内の物理ブロードキャストチャネルを用いて示されることを含む、請求項１乃至５、１１又は１２のいずれか一項に記載の方法、又は請求項６乃至１０、１１又は１２のいずれか一項に記載の通信装置。
【請求項１４】
前記第２同期信号ブロックの前記リソース位置は、帯域幅内の前記第２同期信号ブロックの絶対位置を含み、又は前記第１周波数内信号ブロックに対する前記第２同期信号ブロックの相対位置を含む、請求項１乃至５又は請求項１１乃至１３のいずれか一項に記載の方法、及び請求項６乃至１０又は１１乃至１３のいずれか一項に記載の通信装置。
【請求項１５】
前記第１指示情報は、前記第２同期信号ブロックと前記第１同期信号ブロックとの間の周波数ドメインオフセットの値を示すために使用される、又は、
前記第１指示情報は、現在キャリア上の物理リソースブロック内の前記第２同期信号ブロックの周波数ドメイン位置を示すために使用される、
請求項１乃至５又は請求項１１乃至１４のいずれか一項に記載の方法、又は請求項６乃至１０又は請求項１１乃至１４のいずれか一項に記載の通信装置。
【請求項１６】
前記リソース位置は、時間ドメイン位置及び／又は周波数ドメイン位置を含む、請求項１乃至５又は請求項１１乃至１５のいずれか一項に記載の方法、又は請求項６乃至１０又は請求項１１乃至１５のいずれか一項に記載の通信装置。
【請求項１７】
前記第１指示情報は、前記物理ブロードキャストチャネルの予約フィールドで運ばれる、請求項１乃至５又は請求項１１乃至１６のいずれか一項に記載の方法、又は請求項６乃至１０又は請求項１１乃至１６のいずれか一項に記載の通信装置。
【請求項１８】
無線通信方法であって、
端末装置により、ネットワーク装置から第１同期信号ブロックを受信するステップであって、前記第１同期信号ブロックは第１指示情報を含み、前記第１指示情報は、第２同期信号ブロックに対する前記第１同期信号ブロックの位置を示すために使用される、ステップと、
前記端末装置により、前記ネットワーク装置から前記第２同期信号ブロックを受信するステップであって、前記第２同期信号ブロックは第２指示情報を含み、前記第２指示情報は残りのシステム情報ＲＭＳＩを示すために使用される、ステップと、
を含む無線通信方法。
【請求項１９】
無線通信方法であって、
ネットワーク装置により、第１同期信号ブロックを送信するステップであって、前記第２同期信号ブロックは第１指示情報を含み、前記第１指示情報は、第２同期信号ブロックに対する前記第１同期信号ブロックの位置を示すために使用される、ステップと、
前記ネットワーク装置により、端末装置に、前記第２同期信号ブロックを送信するステップであって、前記第２同期信号ブロックは第２指示情報を含み、前記第２指示情報は残りのシステム情報ＲＭＳＩを示すために使用される、ステップと、
を含む無線通信方法。
【請求項２０】
無線通信機器であって、
端末装置により、ネットワーク装置から第１同期信号ブロックを受信するよう構成されるユニットであって、前記第１同期信号ブロックは第１指示情報を含み、前記第１指示情報は、第２同期信号ブロックに対する前記第１同期信号ブロックの位置を示すために使用される、ユニットと、
前記ネットワーク装置から前記第２同期信号ブロックを受信するよう構成されるユニットであって、前記第２同期信号ブロックは第２指示情報を含み、前記第２指示情報は残りのシステム情報ＲＭＳＩを示すために使用される、ユニットと、
を含む無線通信機器。
【請求項２１】
無線通信機器であって、
第１同期信号ブロックを送信するよう構成されるユニットであって、前記第２同期信号ブロックは第１指示情報を含み、前記第１指示情報は、第２同期信号ブロックに対する前記第１同期信号ブロックの位置を示すために使用される、ユニットと、
端末装置に、前記第２同期信号ブロックを送信するよう構成されるユニットであって、前記第２同期信号ブロックは第２指示情報を含み、前記第２指示情報は残りのシステム情報ＲＭＳＩを示すために使用される、ユニットと、
を含む無線通信機器。
【請求項２２】
前記端末装置は、前記第２指示情報に基づき前記ＲＭＳＩを受信する、請求項１８又は１９に記載の機器、又は請求項２０又は２１に記載の機器。
【請求項２３】
前記第１指示情報は周波数オフセット情報であり、
前記周波数オフセット情報は、前記第２同期信号ブロックを運ぶ物理リソースブロックの先頭周波数チャネル番号に対する、前記第１同期信号ブロックを運ぶ物理リソースブロックの先頭周波数チャネル番号のオフセットである、請求項１８又は１９に記載の機器、又は請求項２０又は２１に記載の機器。
【請求項２４】
前記オフセットの指示粒度はリソースブロックＲＢである、請求項２３に記載の方法又は機器。
【請求項２５】
前記第１指示情報は、前記第１同期信号ブロック内の物理ブロードキャストチャネルＰＢＣＨを用いて示される、請求項１８又は１９に記載の機器、又は請求項２０又は２１に記載の機器。
【請求項２６】
前記ＰＢＣＨは第１識別子を含み、前記第１識別子は、前記第１同期信号ブロックが前記第１指示情報を含むことを示すために使用される、請求項２５に記載の方法又は機器。
【請求項２７】
前記第２指示情報は、前記第２同期信号ブロック内の物理ブロードキャストチャネルＰＢＣＨを用いて示される、請求項１８又は１９に記載の機器、又は請求項２０又は２１に記載の機器。
【請求項２８】
前記ＰＢＣＨは第１識別子を含み、前記第１識別子は、前記第２同期信号ブロックが前記第２指示情報を含むことを示すために使用される、請求項２７に記載の方法又は機器。
【請求項２９】
ページングメッセージ伝送方法であって、
ネットワーク装置により、ページングメッセージを伝送するために使用される周波数ドメインリソースを構成するステップと、
前記ネットワーク装置により、端末装置に、ページング指示情報を送信するステップであって、前記ページング指示情報は、前記ページングメッセージを伝送するために使用される前記周波数ドメインリソースを示すために使用される、ステップと、
を含む方法。
【請求項３０】
前記ネットワーク装置は、前記端末装置に、少なくとも１つの残りのシステム情報ＲＭＳＩピースを送信し、前記ページング指示情報は、送信のために前記少なくとも１つのＲＭＳＩピースで運ばれる、請求項２９に記載の方法。
【請求項３１】
前記ネットワーク装置は、前記端末装置に、少なくとも１つの同期信号ブロックＳＳＢを送信し、前記ページング指示情報は、送信のために前記少なくとも１つの同期信号ブロックＳＳＢで運ばれる、請求項２９又は３０に記載の方法。
【請求項３２】
前記ネットワーク装置が複数の同期信号ブロックを構成し及び１つのＲＭＳＩピースを構成するとき、前記ページング指示情報は、送信のために前記ＲＭＳＩピースで運ばれ、前記同期信号ブロックの各々はＲＭＳＩ指示情報を含み、前記ＲＭＳＩ指示情報は、前記端末装置に、前記ＲＭＳＩピースの位置を示すために使用される、請求項２９に記載の方法。
【請求項３３】
前記ネットワーク装置が複数の同期信号ブロックを構成し及び１つのＲＭＳＩピースを構成するとき、前記ページング指示情報は、送信のために前記ＲＭＳＩピースで運ばれ、前記複数の同期信号ブロックは第１ＲＭＳＩに関連付けられた第１同期信号ブロックを含み、前記第１同期信号ブロックはＲＭＳＩ指示情報を含み、前記ＲＭＳＩ指示情報は前記端末装置に、前記ＲＭＳＩの位置を示すために使用され、
前記複数の同期信号ブロックの中の前記第１同期信号ブロック以外の同期信号ブロックは第２同期信号ブロックであり、前記第２同期信号ブロックは前記第１同期信号ブロックの指示情報を含み、前記第１同期信号ブロックの前記指示情報は、前記第２同期信号ブロックに対する前記第１同期信号ブロックの位置を示すために使用される、請求項２９に記載の方法。
【請求項３４】
前記ネットワーク装置が未認可周波数帯に適用されるとき、前記ページングメッセージは、送信のためにページングフレームで運ばれ、前記ＲＭＳＩは以下のパラメータ：
前記ネットワーク装置により伝送された無線フレームの開始時間に対する前記ページングフレームのオフセット値を示すために使用される第１時間オフセット値、及び、
前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、
ページングフレームの長さ、
のうちの１つ以上を更に含む、請求項２９に記載の方法。
【請求項３５】
ネットワーク装置であって、
ページングメッセージを伝送するために使用される周波数ドメインリソースを構成するよう構成されるプロセッサと、
端末装置に、ページング指示情報を送信するよう構成されるトランシーバであって、前記ページング指示情報は、前記ページングメッセージを伝送するために使用される前記周波数ドメインリソースを示すために使用される、トランシーバと、
を含むネットワーク装置。
【請求項３６】
前記トランシーバは、前記端末装置に、少なくとも１つの残りのシステム情報ＲＭＳＩピースを送信するよう更に構成され、前記ページング指示情報は、送信のために前記少なくとも１つのＲＭＳＩピースで運ばれる、請求項３５に記載のネットワーク装置。
【請求項３７】
前記トランシーバは、前記端末装置に、少なくとも１つの同期信号ブロックＳＳＢを送信するよう更に構成され、前記ページング指示情報は、送信のために前記少なくとも１つの同期信号ブロックＳＳＢで運ばれる、請求項３５又は３６に記載のネットワーク装置。
【請求項３８】
前記ネットワーク装置が複数の同期信号ブロックを構成し及び１つのＲＭＳＩピースを構成するとき、前記ページング指示情報は、送信のために前記ＲＭＳＩピースで運ばれ、前記同期信号ブロックの各々はＲＭＳＩ指示情報を含み、前記ＲＭＳＩ指示情報は、前記端末装置に、前記ＲＭＳＩピースの位置を示すために使用される、請求項３５に記載のネットワーク装置。
【請求項３９】
前記ネットワーク装置が複数の同期信号ブロックを構成し及び１つのＲＭＳＩピースを構成するとき、前記ページング指示情報は、送信のために前記ＲＭＳＩピースで運ばれ、前記複数の同期信号ブロックは第１ＲＭＳＩに関連付けられた第１同期信号ブロックを含み、前記第１同期信号ブロックはＲＭＳＩ指示情報を含み、前記ＲＭＳＩ指示情報は前記端末装置に、前記ＲＭＳＩの位置を示すために使用され、
前記複数の同期信号ブロックの中の前記第１同期信号ブロック以外の同期信号ブロックは第２同期信号ブロックであり、前記第２同期信号ブロックは前記第１同期信号ブロックの指示情報を含み、前記第１同期信号ブロックの前記指示情報は、前記第２同期信号ブロックに対する前記第１同期信号ブロックの位置を示すために使用される、請求項３５に記載のネットワーク装置。
【請求項４０】
前記ネットワーク装置が未認可周波数帯に適用されるとき、前記ページングメッセージは、送信のためにページングフレームで運ばれ、前記ＲＭＳＩは以下のパラメータ：
前記ネットワーク装置により伝送された無線フレームの開始時間に対する前記ページングフレームのオフセット値を示すために使用される第１時間オフセット値、及び、
前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、
ページングフレームの長さ、
のうちの１つ以上を更に含む、請求項３９に記載のネットワーク装置。
【請求項４１】
ページングメッセージ伝送方法であって、
端末装置により、ネットワーク装置から、ページング指示情報を受信するステップと、
端末装置により、前記ページング指示情報に基づき、ページングメッセージを伝送するために使用される周波数ドメインリソースを決定するステップと、
前記ページング情報により示された前記周波数ドメインリソースで前記ページングメッセージを受信するステップと、
を含む方法。
【請求項４２】
前記端末装置は、更に、前記ネットワーク装置から、少なくとも１つの残りのシステム情報ＲＭＳＩピースを受信し、前記ページング指示情報は、送信のために前記少なくとも１つのＲＭＳＩピースで運ばれる、請求項４１に記載の方法。
【請求項４３】
前記端末装置は、更に前記ネットワーク装置から、少なくとも１つの同期信号ブロックＳＳＢを受信し、前記ページング指示情報は、送信のために前記少なくとも１つの同期信号ブロックＳＳＢで運ばれる、請求項４１又は４２に記載の方法。
【請求項４４】
前記ネットワーク装置が複数の同期信号ブロックを構成し及び１つのＲＭＳＩピースを構成するとき、前記ページング指示情報は、送信のために前記ＲＭＳＩピースで運ばれ、前記同期信号ブロックの各々はＲＭＳＩ指示情報を含み、前記ＲＭＳＩ指示情報は、前記端末装置に、前記ＲＭＳＩピースの位置を示すために使用される、請求項４１に記載の方法。
【請求項４５】
前記ネットワーク装置が複数の同期信号ブロックを構成し及び１つのＲＭＳＩピースを構成するとき、前記ページング指示情報は、送信のために前記ＲＭＳＩピースで運ばれ、前記複数の同期信号ブロックは第１ＲＭＳＩに関連付けられた第１同期信号ブロックを含み、前記第１同期信号ブロックはＲＭＳＩ指示情報を含み、前記ＲＭＳＩ指示情報は前記端末装置に、前記ＲＭＳＩの位置を示すために使用され、
前記複数の同期信号ブロックの中の前記第１同期信号ブロック以外の同期信号ブロックは第２同期信号ブロックであり、前記第２同期信号ブロックは前記第１同期信号ブロックの指示情報を含み、前記第１同期信号ブロックの前記指示情報は、前記第２同期信号ブロックに対する前記第１同期信号ブロックの位置を示すために使用される、請求項４１に記載の方法。
【請求項４６】
前記端末装置が未認可周波数帯に適用されるとき、前記端末装置は、前記ページング指示情報に基づき前記ページングメッセージフレームの位置を決定し、前記ページング指示情報は以下のパラメータ：
前記ネットワーク装置により伝送された無線フレームの開始時間に対する前記ページングフレームのオフセット値を示すために使用される第１時間オフセット値、及び、
前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、
ページングフレームの長さ、
のうちの１つ以上を更に含む、請求項４１に記載の方法。
【請求項４７】
前記ネットワーク装置が複数のＢＷＰで前記ページングメッセージを送信するよう構成するとき、前記端末装置は、前記第１時間オフセット値に基づき、最小第１時間オフセット値を有するＢＷＰから前記ページングメッセージを受信し始める、請求項４６に記載の方法。
【請求項４８】
前記端末装置が前記第２時間間隔内でページングメッセージを受信しない場合、前記端末装置は次のＢＷＰにジャンプし、前記次のＢＷＰは残りのＢＷＰの中で最小第１時間オフセット値を有する、請求項４７に記載の方法。
【請求項４９】
端末装置であって、
ネットワーク装置から、ページング指示情報を受信するよう構成されるトランシーバと、
前記ページング指示情報に基づき、ページングメッセージを伝送するために使用される周波数ドメインリソースを決定し、前記ページング情報により示された前記周波数ドメインリソースで前記ページングメッセージを受信するよう構成されるプロセッサと、
を含む端末装置。
【請求項５０】
前記端末装置が未認可周波数帯に適用されるとき、前記プロセッサは、前記ページング指示情報に基づき前記ページングメッセージフレームの位置を決定し、前記ページング指示情報は以下のパラメータ：
前記ネットワーク装置により伝送された無線フレームの開始時間に対する前記ページングフレームのオフセット値を示すために使用される第１時間オフセット値、及び、
前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、
ページングフレームの長さ、
のうちの１つ以上を更に含む、請求項４９に記載の端末装置。
【請求項５１】
前記ネットワーク装置が複数のＢＷＰで前記ページングメッセージを送信するよう構成するとき、前記プロセッサは、前記第１時間オフセット値に基づき、最小第１時間オフセット値を有するＢＷＰから前記ページングメッセージを受信し始める、請求項５０に記載の端末装置。
【請求項５２】
前記端末装置が前記第２時間間隔内でページングメッセージを受信しない場合、前記端末装置は次のＢＷＰにジャンプし、前記次のＢＷＰは残りのＢＷＰの中で最小第１時間オフセット値を有する、請求項５１に記載の端末装置。
【請求項５３】
通信機器であって、プロセッサとメモリとを含み、前記メモリはコンピュータ実行可能命令を格納するよう構成され、前記プロセッサが前記コンピュータ実行可能命令を実行すると、前記通信機器は、請求項１又は２又は請求項１１乃至１７のいずれか一項に記載の方法を実行すること、請求項５又は請求項１１乃至１７のいずれか一項に記載の情報指示方法を実行すること、請求項１８又は請求項２２乃至２８のいずれか一項に記載の情報指示方法を実行すること、請求項１９は請求項２２乃至２８のいずれか一項に記載の情報指示方法を実行すること、請求項２９乃至３４のいずれか一項に記載の情報指示方法を実行すること、又は請求項４１乃至４８のいずれか一項に記載の情報指示方法を実行することを可能にされる、通信機器。
【請求項５４】
コンピュータ可読記憶媒体であって、命令を含み、前記命令がコンピュータで実行されると、前記コンピュータは、請求項１又は２又は請求項１乃至１７のいずれか一項に記載の方法を実行すること、請求項５又は請求項１１乃至１７のいずれか一項に記載の情報指示方法を実行すること、請求項１８又は請求項２２乃至２８のいずれか一項に記載の情報指示方法を実行すること、請求項１９は請求項２２乃至２８のいずれか一項に記載の情報指示方法を実行すること、請求項２９乃至３４のいずれか一項に記載の情報指示方法を実行すること、又は請求項４１乃至４８のいずれか一項に記載の情報指示方法を実行することを可能にされる、コンピュータ可読記憶媒体。
【請求項５５】
通信システムであって、
請求項６又は７又は請求項１１乃至１７のいずれか一項に記載の通信装置と、請求項８又は９又は請求項１１乃至１７のいずれか一項に記載の通信装置、
請求項８又は９又は請求項１１乃至１７のいずれか一項に記載の通信装置と、請求項１０又は請求項１１乃至１７のいずれか一項に記載の通信装置、
請求項２０又は請求項２２乃至２８のいずれか一項に記載の無線通信機器と、請求項２１又は請求項２２乃至２８のいずれか一項に記載の無線通信機器、又は、
請求項３５乃至４０のいずれか一項に記載のネットワーク装置と、請求項４９乃至５２のいずれか一項に記載の端末装置、
を含む通信システム。
【発明の詳細な説明】
【技術分野】
【０００１】
［関連出願］
本願は、参照により全体がここに組み込まれる、中国特許出願番号第２０１７１０９１９５２５．９号、２０１７年９月３０日に中国特許庁に出願、名称「COMMUNICATION  METHOD  AND  COMMUNICATIONSDEVICE  」、及び中国特許出願番号第２０１７１０９４０７３５．６号、２０１７年９月３０日に中国特許庁に出願、名称「PAGING  MESSAGE  TRANSMISSION  METHOD  AND  APPARATUS」の優先権を主張する。
【０００２】
［技術分野］
本願は、通信分野に関し、より具体的には、通信方法及び通信装置に関する。
【背景技術】
【０００３】
第三世代パートナーシッププロジェクト（３rd  Generation  Partnership  Project,  ３GPP）により実施されている５Ｇ標準化プロセスでは、４００ＭＨｚまでの最大キャリア帯域幅をサポートすることが検討されている。しかしながら、端末側では、様々な種類の装置のコストにより制限され、必ずしも全部の様々な種類の装置が４００ＭＨｚの帯域幅内で通信及び測定のような動作をサポートできない。さらに、システム実装及び柔軟なスケジューリングのために、５Ｇの議論の過程で、ネットワーク側が複数の同期信号ブロック（Synchronization  Signal  block,  SS  block,  SSB）を１つの幅の帯域幅で送信することが合意された。したがって、端末装置は異なるＳＳＢで測定または初期アクセスを実行する。
【０００４】
帯域幅内の複数のＳＳＢでは、幾つかのＳＳＢが残りのシステム情報（Remaining  System  Information,  RMSI）に関連付けられない。端末装置が初期アクセスを実行するとき、端末装置は予めいかなる情報も提供されないので、端末装置は、ネットワークにアクセスする前に、どのＳＳＢがＲＭＳＩと関連付けられるかを知らない。したがって、端末装置は、同期探索及びシステムメッセージ検出を、各ＳＳＢの同期周波数の周波数チャネル番号で実行する必要がある。現在ＳＳＢがＲＭＳＩに関連付けられていないことを検出すると、端末装置は、次の候補同期周波数チャネル番号で、順次検出を実行する。その結果、検出の複雑性及び端末装置のネットワークアクセス（これは、ＲＭＳＩの検出に成功することを意味する）の遅延が増大する。
【０００５】
したがって、複数のＳＳＢが１つの帯域幅内で柔軟に構成されるシステムにおいて、端末装置の検出複雑性をどのように効果的に低減するかが、緊急に解決される必要のある技術的問題になっている。
【発明の概要】
【０００６】
本願は、端末装置の検出複雑性を効果的に低減するために、通信方法及び通信装置を提供する。
【０００７】
第１の態様によると、通信方法が提供される。当該方法は、第１指示情報を決定するステップであって、前記第１指示情報は第２同期信号ブロックのリソース位置を示し、前記第２同期信号ブロックは制御情報に関連付けられる、ステップと、前記第１同期信号ブロックを送信するステップであって、前記第１同期信号ブロック内の物理ブロードキャストチャネルは前記第１指示情報を運ぶ、ステップと、を含む。
【０００８】
本発明の本実施形態の技術的ソリューションによると、制御情報に関連付けられた同期信号ブロックのリソース位置が、受信側に示される。したがって、受信側にある端末装置は、ブラインド検出を実行することなく同期信号ブロックのリソース位置を直接知り、対応するリソース位置で探索を実行するために直接切り替える。これは、端末装置の検出複雑性を低減し、探索及び計算時間、電力消費、及び端末装置の遅延を削減できる。
【０００９】
幾つかの可能な実装では、第１指示情報を決定する前記ステップは、前記第１同期信号ブロックが前記制御情報に関連付けられていないとき、前記第１指示情報を決定するステップを含む。
【００１０】
幾つかの可能な実装では、当該方法は、前記第１同期信号ブロックの伝送モードを決定するステップであって、前記伝送モードは、前記第１同期信号ブロックが前記制御情報に関連付けられているか否かを示す、ステップを更に含み、第１同期信号ブロックを送信する前記ステップは、前記伝送モードに基づき前記第１同期信号ブロックを送信するステップを含む。同期信号ブロックが制御情報に関連付けられているか否かは、前記同期信号ブロックの伝送モードを用いて受信側に示される。その結果、受信側にある端末装置は、物理ブロードキャストチャネル上でブラインド検出を実行することなく、前記同期信号ブロックの伝送モードを検出することにより、前記同期信号ブロックが前記制御情報に関連付けられているか否かを決定できる。これは、端末装置の検出複雑性を低減し、電力消費、及び端末装置の遅延を削減できる。
【００１１】
幾つかの可能な実装では、前記第１同期信号ブロックの前記伝送モードは、前記第１同期信号ブロック内の同期信号シーケンスの周波数ドメインマッピングモードを含み、前記第１同期信号ブロックの伝送モードを決定する前記ステップは、前記第１同期信号ブロックが前記制御情報と関連付けられているとき、前記マッピングモードが複数の所定のマッピングモードのうちの第１マッピングモードであることを決定するステップと、及び／又は、前記第１同期信号ブロックが前記制御情報と関連付けられていないとき、前記マッピングモードが前記複数の所定のマッピングモードのうちの第２マッピングモードであることを決定するステップと、を含む。
【００１２】
幾つかの可能な実装では、前記第１同期信号ブロックの前記伝送モードは、前記第１同期信号ブロックの伝送シンボルに変調される直交カバーコードの値を含み、前記第１同期信号ブロックの伝送モードを決定する前記ステップは、前記第１同期信号ブロックが前記制御情報と関連付けられているとき、前記直交カバーコードの前記値が複数の所定の値のうちの第１の値であることを決定するステップと、及び／又は、前記第１同期信号ブロックが前記制御情報と関連付けられていないとき、前記直交カバーコードの前記値が前記複数の所定の値のうちの第２の値であることを決定するステップと、を含む。
【００１３】
幾つかの可能な実装では、前記第１同期信号ブロックの前記伝送モードは、前記第１同期信号ブロックにより使用される同期信号識別子の属する範囲を含み、前記第１同期信号ブロックの伝送モードを決定する前記ステップは、前記第１同期信号ブロックが前記制御情報と関連付けられているとき、前記第１同期信号ブロックにより使用される前記同期信号識別子が第１サブセットに属することを決定するステップと、及び／又は、前記第１同期信号ブロックが前記制御情報と関連付けられていないとき、前記第１同期信号ブロックにより使用される前記同期信号識別子が第２サブセットに属することを決定するステップと、を含む。
【００１４】
幾つかの可能な実装では、前記第１同期信号ブロックの伝送モードを決定する前記ステップは、前記第１同期信号ブロックが前記制御情報に関連付けられているとき、前記第１同期信号ブロックにより使用される同期信号識別子が前記第１同期信号ブロックの同期信号識別子であることを決定するステップと、及び／又は、前記第１同期信号ブロックが前記制御情報に関連付けられていないとき、前記第１同期信号ブロックにより使用される同期信号識別子が前記第１同期信号ブロックの同期信号識別子と所定の値との和であることを決定するステップと、又は、前記第１同期信号ブロックが前記制御情報に関連付けられているとき、前記第１同期信号ブロックにより使用される同期信号識別子は前記第１同期信号ブロックの前記同期信号識別子と所定の値との和であることを決定するステップと、及び／又は、前記第１同期信号ブロックが前記制御情報に関連付けられていないとき、前記第１同期信号ブロックにより使用される同期信号識別子は前記第１同期信号ブロックの同期信号識別子であることを決定するステップと、を含み、前記所定の値は、前記第１同期信号ブロックの前記同期信号識別子の値範囲の中の最大値と最小値との間の差より大きい。
【００１５】
幾つかの可能な実装では、前記第１同期信号ブロックの前記伝送モードは、前記第１同期信号ブロック内の前記物理ブロードキャストチャネルにより使用される巡回冗長検査ＣＲＣマスクを含み、前記第１同期信号ブロックの伝送モードを決定する前記ステップは、前記第１同期信号ブロックが前記制御情報と関連付けられているとき、前記ＣＲＣマスクが複数の所定のＣＲＣマスクのうちの第１ＣＲＣマスクであることを決定するステップと、及び／又は、前記第１同期信号ブロックが前記制御情報と関連付けられていないとき、前記ＣＲＣマスクが前記複数の所定のＣＲＣマスクのうちの第２ＣＲＣマスクであることを決定するステップと、を含む。
【００１６】
幾つかの可能な実装では、前記第１同期信号ブロックの前記伝送モードは、前記第１同期信号ブロック内の前記物理ブロードキャストチャネルにより使用されるスクランブリングシーケンスを含み、前記第１同期信号ブロックの伝送モードを決定する前記ステップは、前記第１同期信号ブロックが前記制御情報と関連付けられているとき、前記スクランブリングシーケンスが複数の所定のスクランブリングシーケンスのうちの第１スクランブリングシーケンスであることを決定するステップと、及び／又は、前記第１同期信号ブロックが前記制御情報と関連付けられていないとき、前記スクランブリングシーケンスが前記複数の所定のスクランブリングシーケンスのうちの第２スクランブリングシーケンスであることを決定するステップと、を含む。
【００１７】
同期信号ブロックが制御情報に関連付けられているか否かは、前述の種々の伝送モードを用いて暗示的に示される。その結果、受信側にある端末装置は、対応する伝送モードに基づき、同期信号ブロックが制御情報に関連付けられているか否かを決定できる。同期信号ブロックが制御情報に関連付けられていないとき、物理ブロードキャストチャネルで実行されるブラインド検出は必要ない。これは、端末装置の検出複雑性を低減し、電力消費、及び端末装置の遅延を削減できる。
【００１８】
幾つかの可能な実装では、前記物理ブロードキャストチャネルは、第２指示情報を更に運び、前記第２指示情報は、前記第１同期信号ブロックが前記制御情報に関連付けられているか否かを示す。
【００１９】
幾つかの可能な実装では、前記物理ブロードキャストチャネルは、第３指示情報を更に運び、前記第３指示情報は、前記第１同期信号ブロックの前記同期信号識別子が前記第２同期信号ブロックの同期信号識別子と同じであるか否かを示す。
【００２０】
幾つかの可能な実装では、前記物理ブロードキャストチャネルは、第４指示情報を更に運び、前記第４指示情報は、前記第２同期信号ブロックの同期信号識別子を示す。
【００２１】
第２同期信号ブロックの同期信号識別子は、物理ブロードキャストチャネルを用いて示され、その結果、第２装置の検出複雑性が更に低減できる。
【００２２】
第２の態様によると、通信方法が提供される。当該方法は、第１同期信号ブロックを受信するステップと、
前記第１同期信号ブロックが制御情報に関連付けられていないことを決定するステップと、前記第１同期信号ブロック内の物理ブロードキャストチャネルで運ばれた第１指示情報を取得するステップであって、前記第１指示情報は、第２同期信号ブロックのリソース位置を示し、前記第２同期信号ブロックは前記制御情報に関連付けられる、ステップと、前記第１指示情報に基づき、前記制御情報を受信するステップと、を含む。
【００２３】
本発明の本実施形態の技術的ソリューションによると、制御情報に関連付けられた同期信号ブロックのリソース位置が、受信側に示される。したがって、端末装置は、ブラインド検出を実行することなく同期信号ブロックのリソース位置を直接知り、対応するリソース位置で探索を実行するために直接切り替えることができる。これは、端末装置の検出複雑性を低減し、探索及び計算時間、電力消費、及び端末装置の遅延を削減できる。
【００２４】
幾つかの可能な実装では、当該方法は、前記第１同期信号ブロックが前記制御情報に関連付けられていることを決定するステップと、前記第１同期信号ブロックに基づき前記制御情報を受信するステップと、を更に含む。
【００２５】
幾つかの可能な実装では、前記第１同期信号ブロックの前記伝送モードは、前記第１同期信号ブロックが前記制御情報に関連付けられているか否かを示し、前記方法は、前記第１同期信号ブロックの前記伝送モードに基づき、前記第１同期信号ブロックが前記制御情報に関連付けられているか否かを決定するステップを更に含む。
【００２６】
前記端末装置は、物理ブロードキャストチャネルでブラインド検出を実行することなく、同期信号ブロックの前記伝送モードに基づき、前記同期信号ブロックが制御情報に関連付けられているか否かを決定する。これは、端末装置の検出複雑性を低減し、電力消費、及び端末装置の遅延を削減できる。
【００２７】
幾つかの可能な実装では、前記第１同期信号ブロックの前記伝送モードは、前記第１同期信号ブロック内の同期信号シーケンスの周波数ドメインマッピングモードを含み、前記第１同期信号ブロックが制御情報と関連付けられているか否かを決定する前記ステップは、前記マッピングモードが複数の所定のマッピングモードのうちの第１マッピングモードであるとき、前記第１同期信号ブロックが前記制御情報に関連付けられていることを決定するステップと、及び／又は、前記マッピングモードが前記複数の所定のマッピングモードのうちの第２マッピングモードであるとき、前記第１同期信号ブロックが前記制御情報に関連付けられていないことを決定するステップと、を含む。
【００２８】
幾つかの可能な実装では、前記第１同期信号ブロックの前記伝送モードは、前記第１同期信号ブロックの伝送シンボルに変調される直交カバーコードの値を含み、前記第１同期信号ブロックが制御情報に関連付けられているか否かを決定する前記ステップは、前記直交カバーコードの前記値が複数の所定の値のうちの第１の値であるとき、前記第１同期信号ブロックが前記制御情報に関連付けられていることを決定するステップと、及び／又は、前記直交カバーコードの前記値が前記複数の所定の値のうちの第２の値であるとき、前記第１同期信号ブロックが前記制御情報に関連付けられていないことを決定するステップと、を含む。
【００２９】
幾つかの可能な実装では、前記第１同期信号ブロックの前記伝送モードは、前記第１同期信号ブロックにより使用される同期信号識別子の属する範囲を含み、前記第１同期信号ブロックが制御情報に関連付けられているか否かを決定する前記ステップは、前記第１同期信号ブロックにより使用される前記同期信号識別子が第１サブセットに属するとき、前記第１同期信号ブロックが前記制御情報に関連付けられていることを決定するステップと、及び／又は、前記第１同期信号ブロックにより使用される前記同期信号識別子が第２サブセットに属するとき、前記第１同期信号ブロックが前記制御情報に関連付けられていないことを決定するステップと、を含む。
【００３０】
幾つかの可能な実装では、前記第１同期信号ブロックの前記伝送モードは、前記第１同期信号ブロック内の前記物理ブロードキャストチャネルにより使用される巡回冗長検査ＣＲＣマスクを含み、前記第１同期信号ブロックが制御情報と関連付けられているか否かを決定する前記ステップは、前記ＣＲＣマスクが複数の所定のＣＲＣマスクのうちの第１ＣＲＣマスクであるとき、前記第１同期信号ブロックが前記制御情報に関連付けられていることを決定するステップと、及び／又は、前記ＣＲＣマスクが複数の所定のＣＲＣマスクのうちの第２ＣＲＣマスクであるとき、前記第１同期信号ブロックが前記制御情報に関連付けられていないことを決定するステップと、を含む。
【００３１】
幾つかの可能な実装では、前記第１同期信号ブロックの前記伝送モードは、前記第１同期信号ブロック内の前記物理ブロードキャストチャネルにより使用されるスクランブリングシーケンスを含み、前記第１同期信号ブロックが制御情報と関連付けられているか否かを決定する前記ステップは、前記スクランブリングシーケンスが複数の所定のスクランブリングシーケンスのうちの第１スクランブリングシーケンスであるとき、前記第１同期信号ブロックが前記制御情報に関連付けられていることを決定するステップと、及び／又は、前記スクランブリングシーケンスが複数の所定のスクランブリングシーケンスのうちの第２スクランブリングシーケンスであるとき、前記第１同期信号ブロックが前記制御情報に関連付けられていないことを決定するステップと、を含む。
【００３２】
端末装置は、前述の対応する伝送モードに基づき、同期信号ブロックが制御情報に関連付けられるか否かを決定する。同期信号ブロックが制御情報に関連付けられていないとき、物理ブロードキャストチャネルで実行されるブラインド検出は必要ない。これは、端末装置の検出複雑性を低減し、電力消費、及び端末装置の遅延を削減できる。
【００３３】
幾つかの可能な実装では、前記物理ブロードキャストチャネルは、第２指示情報を運び、前記第２指示情報は、前記第１同期信号ブロックが前記制御情報に関連付けられているか否かを示す。当該方法は、前記第２指示情報に基づき、前記第１同期信号ブロックが前記制御情報に関連付けられるか否かを決定するステップを更に含む。
【００３４】
幾つかの可能な実装では、前記物理ブロードキャストチャネルは第３指示情報を運び、前記第３指示情報は、前記第１同期信号ブロックの前記同期信号識別子が前記第２同期信号ブロックの同期信号識別子と同じか否かを示し、前記方法は、前記第３指示情報に基づき、前記第１同期信号ブロックの前記同期信号識別子が前記第２同期信号ブロックの前記同期信号識別子と同じか否かを決定するステップを更に含む。
【００３５】
幾つかの可能な実装では、前記物理ブロードキャストチャネルは、第４指示情報を更に含み、前記第４指示情報は、前記第２同期信号ブロックの同期信号識別子を示し、前記方法は、前記第４指示情報に基づき、前記第２同期信号ブロックの前記同期信号識別子を決定するステップを更に含む。
【００３６】
端末装置の検出複雑性は、第４指示情報を用いて更に低減できる。
【００３７】
第１の態様、第２の態様、又は第１の態様及び第２の態様の可能な実装を参照して、幾つかの可能な実装では、前記第１指示情報は前記物理ブロードキャストチャネルの予約フィールド内で運ばれる。前記第１指示情報が前記予約フィールド内で運ばれることは、別のフィールドに影響を与えず、物理ブロードキャストチャネルに対して比較的小さな変更しか生じない。
【００３８】
幾つかの可能な実装では、前記物理ブロードキャストチャネルは３個のフィールドを含む。第１フィールドは、前記第１同期信号ブロックが前記制御情報に関連付けられているときにのみ有効であり、第２フィールドは、前記第１同期信号ブロックが前記制御情報に関連付けられていないときにのみ有効であり、前記第２フィールドは前記第１指示情報を運び、第３フィールドは、前記第１同期信号ブロックが前記制御情報に関連付けられているとき及び前記第１同期信号ブロックが前記制御情報に関連付けられていないときの両方で有効である。
【００３９】
幾つかの可能な実装では、前記物理ブロードキャストチャネル内の前記第１フィールドにより占有されるビットは、前記物理ブロードキャストチャネル内の前記第２フィールドにより占有されるビットと部分的に又は完全に重なり合う。
【００４０】
前述のソリューションでは、第２同期信号ブロックのリソース位置を示すために、十分な情報ビットを提供できる。
【００４１】
幾つかの可能な実装では、リソース位置は、帯域幅内の第２同期信号ブロックの絶対位置、又は第１同期信号ブロックに対する相対位置である。
【００４２】
幾つかの可能な実装では、前記第１指示情報は、前記第２同期信号ブロックと前記第１同期信号ブロックとの間の周波数オフセット値を示してよく、又は前記第１指示情報は、現在キャリア上のＰＲＢ内の前記第２同期信号ブロックの周波数位置を示してよい。
【００４３】
幾つかの可能な実装では、前記リソース位置は、時間ドメイン位置、周波数ドメイン位置、又は時間周波数位置を含んでよい。
【００４４】
幾つかの可能な実装では、通信方法であって、第１同期信号ブロックの伝送モードを決定するステップであって、前記伝送モードは、前記第１同期信号ブロックが制御情報に関連付けられているか否かを示す、ステップと、第１同期信号ブロックを送信する前記ステップは、前記伝送モードに基づき前記第１同期信号ブロックを送信するステップと、を含む。
【００４５】
本発明の本実施形態における技術的ソリューションによると、同期信号ブロックが制御情報に関連付けられているか否かは、前記同期信号ブロックの伝送モードを用いて受信側に示される。その結果、受信側にある端末装置は、物理ブロードキャストチャネル上でブラインド検出を実行することなく、前記同期信号ブロックの伝送モードを検出することにより、前記同期信号ブロックが前記制御情報に関連付けられているか否かを決定できる。これは、端末装置の検出複雑性を低減し、電力消費、及び端末装置の遅延を削減できる。
【００４６】
幾つかの可能な実装では、前記第１同期信号ブロックの前記伝送モードは、前記第１同期信号ブロック内の同期信号シーケンスの周波数ドメインマッピングモードを含み、前記第１同期信号ブロックの伝送モードを決定する前記ステップは、前記第１同期信号ブロックが前記制御情報と関連付けられているとき、前記マッピングモードが複数の所定のマッピングモードのうちの第１マッピングモードであることを決定するステップと、及び／又は、前記第１同期信号ブロックが前記制御情報と関連付けられていないとき、前記マッピングモードが前記複数の所定のマッピングモードのうちの第２マッピングモードであることを決定するステップと、を含む。
【００４７】
幾つかの可能な実装では、前記第１同期信号ブロックの前記伝送モードは、前記第１同期信号ブロックの伝送シンボルに変調される直交カバーコードの値を含み、前記第１同期信号ブロックの伝送モードを決定する前記ステップは、前記第１同期信号ブロックが前記制御情報と関連付けられているとき、前記直交カバーコードの前記値が複数の所定の値のうちの第１の値であることを決定するステップと、及び／又は、前記第１同期信号ブロックが前記制御情報と関連付けられていないとき、前記直交カバーコードの前記値が前記複数の所定の値のうちの第２の値であることを決定するステップと、を含む。
【００４８】
幾つかの可能な実装では、前記第１同期信号ブロックの前記伝送モードは、前記第１同期信号ブロックにより使用される同期信号識別子の属する範囲を含み、前記第１同期信号ブロックの伝送モードを決定する前記ステップは、前記第１同期信号ブロックが前記制御情報と関連付けられているとき、前記第１同期信号ブロックにより使用される前記同期信号識別子が第１サブセットに属することを決定するステップと、及び／又は、前記第１同期信号ブロックが前記制御情報と関連付けられていないとき、前記第１同期信号ブロックにより使用される前記同期信号識別子が第２サブセットに属することを決定するステップと、を含む。
【００４９】
幾つかの可能な実装では、前記第１同期信号ブロックの伝送モードを決定する前記ステップは、前記第１同期信号ブロックが前記制御情報に関連付けられているとき、前記第１同期信号ブロックにより使用される同期信号識別子が前記第１同期信号ブロックの同期信号識別子であることを決定するステップと、及び／又は、前記第１同期信号ブロックが前記制御情報に関連付けられていないとき、前記第１同期信号ブロックにより使用される同期信号識別子が前記第１同期信号ブロックの同期信号識別子と所定の値との和であることを決定するステップと、又は、前記第１同期信号ブロックが前記制御情報に関連付けられているとき、前記第１同期信号ブロックにより使用される同期信号識別子は前記第１同期信号ブロックの前記同期信号識別子と所定の値との和であることを決定するステップと、及び／又は、前記第１同期信号ブロックが前記制御情報に関連付けられていないとき、前記第１同期信号ブロックにより使用される同期信号識別子は前記第１同期信号ブロックの同期信号識別子であることを決定するステップと、を含み、前記所定の値は、前記第１同期信号ブロックの前記同期信号識別子の値範囲の中の最大値と最小値との間の差より大きい。
【００５０】
幾つかの可能な実装では、前記第１同期信号ブロックの前記伝送モードは、前記第１同期信号ブロック内の前記物理ブロードキャストチャネルにより使用されるＣＲＣマスクを含み、前記第１同期信号ブロックの伝送モードを決定する前記ステップは、前記第１同期信号ブロックが前記制御情報と関連付けられているとき、前記ＣＲＣマスクが複数の所定のＣＲＣマスクのうちの第１ＣＲＣマスクであることを決定するステップと、及び／又は、前記第１同期信号ブロックが前記制御情報と関連付けられていないとき、前記ＣＲＣマスクが前記複数の所定のＣＲＣマスクのうちの第２ＣＲＣマスクであることを決定するステップと、を含む。
【００５１】
幾つかの可能な実装では、前記第１同期信号ブロックの前記伝送モードは、前記第１同期信号ブロック内の前記物理ブロードキャストチャネルにより使用されるスクランブリングシーケンスを含み、前記第１同期信号ブロックの伝送モードを決定する前記ステップは、前記第１同期信号ブロックが前記制御情報と関連付けられているとき、前記スクランブリングシーケンスが複数の所定のスクランブリングシーケンスのうちの第１スクランブリングシーケンスであることを決定するステップと、及び／又は、前記第１同期信号ブロックが前記制御情報と関連付けられていないとき、前記スクランブリングシーケンスが前記複数の所定のスクランブリングシーケンスのうちの第２スクランブリングシーケンスであることを決定するステップと、を含む。
【００５２】
同期信号ブロックが制御情報に関連付けられているか否かは、前述の種々の伝送モードを用いて暗示的に示される。その結果、受信側にある端末装置は、対応する伝送モードに基づき、同期信号ブロックが制御情報に関連付けられているか否かを決定できる。同期信号ブロックが制御情報に関連付けられていないとき、物理ブロードキャストチャネルで実行されるブラインド検出は必要ない。これは、端末装置の検出複雑性を低減し、電力消費、及び端末装置の遅延を削減できる。
【００５３】
第４の態様によると、通信方法であって、第１同期信号ブロックを受信するステップと、前記第１同期信号ブロックの伝送モードに基づき、前記第１同期信号ブロックが制御情報に関連付けられているか否かを決定するステップと、を含む方法が提供される。
【００５４】
本発明の本実施形態における技術的ソリューションによると、同期信号ブロックが制御情報に関連付けられているか否かは、物理ブロードキャストチャネル上でブラインド検出を実行することなく、同期信号ブロックの伝送モードを検出することにより、決定できる。これは、端末装置の検出複雑性を低減し、端末装置の電力消費及び遅延を削減できる。
【００５５】
幾つかの可能な実装では、前記第１同期信号ブロックの前記伝送モードは、前記第１同期信号ブロック内の同期信号シーケンスの周波数ドメインマッピングモードを含み、前記第１同期信号ブロックが制御情報と関連付けられているか否かを決定する前記ステップは、前記マッピングモードが複数の所定のマッピングモードのうちの第１マッピングモードであるとき、前記第１同期信号ブロックが前記制御情報に関連付けられていることを決定するステップと、及び／又は、前記マッピングモードが前記複数の所定のマッピングモードのうちの第２マッピングモードであるとき、前記第１同期信号ブロックが前記制御情報に関連付けられていないことを決定するステップと、を含む。
【００５６】
幾つかの可能な実装では、前記第１同期信号ブロックの前記伝送モードは、前記第１同期信号ブロックの伝送シンボルに変調される直交カバーコードの値を含み、前記第１同期信号ブロックが制御情報に関連付けられているか否かを決定する前記ステップは、前記直交カバーコードの前記値が複数の所定の値のうちの第１の値であるとき、前記第１同期信号ブロックが前記制御情報に関連付けられていることを決定するステップと、及び／又は、前記直交カバーコードの前記値が前記複数の所定の値のうちの第２の値であるとき、前記第１同期信号ブロックが前記制御情報に関連付けられていないことを決定するステップと、を含む。
【００５７】
幾つかの可能な実装では、前記第１同期信号ブロックの前記伝送モードは、前記第１同期信号ブロックにより使用される同期信号識別子の属する範囲を含み、前記第１同期信号ブロックが制御情報に関連付けられているか否かを決定する前記ステップは、前記第１同期信号ブロックにより使用される前記同期信号識別子が第１サブセットに属するとき、前記第１同期信号ブロックが前記制御情報に関連付けられていることを決定するステップと、及び／又は、前記第１同期信号ブロックにより使用される前記同期信号識別子が第２サブセットに属するとき、前記第１同期信号ブロックが前記制御情報に関連付けられていないことを決定するステップと、を含む。
【００５８】
幾つかの可能な実装では、前記第１同期信号ブロックの前記伝送モードは、前記第１同期信号ブロック内の前記物理ブロードキャストチャネルにより使用されるＣＲＣマスクを含み、前記第１同期信号ブロックが制御情報と関連付けられているか否かを決定する前記ステップは、前記ＣＲＣマスクが複数の所定のＣＲＣマスクのうちの第１ＣＲＣマスクであるとき、前記第１同期信号ブロックが前記制御情報に関連付けられていることを決定するステップと、及び／又は、前記ＣＲＣマスクが複数の所定のＣＲＣマスクのうちの第２ＣＲＣマスクであるとき、前記第１同期信号ブロックが前記制御情報に関連付けられていないことを決定するステップと、を含む。
【００５９】
幾つかの可能な実装では、前記第１同期信号ブロックの前記伝送モードは、前記第１同期信号ブロック内の前記物理ブロードキャストチャネルにより使用されるスクランブリングシーケンスを含み、前記第１同期信号ブロックが制御情報と関連付けられているか否かを決定する前記ステップは、前記スクランブリングシーケンスが複数の所定のスクランブリングシーケンスのうちの第１スクランブリングシーケンスであるとき、前記第１同期信号ブロックが前記制御情報に関連付けられていることを決定するステップと、及び／又は、前記スクランブリングシーケンスが複数の所定のスクランブリングシーケンスのうちの第２スクランブリングシーケンスであるとき、前記第１同期信号ブロックが前記制御情報に関連付けられていないことを決定するステップと、を含む。
【００６０】
端末装置は、前述の対応する伝送モードに基づき、同期信号ブロックが制御情報に関連付けられるか否かを決定する。同期信号ブロックが制御情報に関連付けられていないとき、物理ブロードキャストチャネルで実行されるブラインド検出は必要ない。これは、端末装置の検出複雑性を低減し、端末装置の電力消費及び遅延を削減できる。
【００６１】
幾つかの可能な実装では、当該方法は、前記第１同期信号ブロックが前記制御情報に関連付けられているとき、前記第１同期信号ブロックに基づき前記制御情報を受信するステップを更に含む。
【００６２】
前述の態様又は前述の態様の可能な実装のうちのいずれか１つを参照して、幾つかの可能な実装では、前記制御情報は、ＲＭＳＩ又はＯＳＩのようなＳＩであってよく、Ｄ２Ｄシナリオでは、前記制御情報は、データを受信するよう受信端のためにスケジューリングを実行するために送信端により使用される。
【００６３】
幾つかの可能な実装では、セルラシナリオ及び中継シナリオでは、物理ブロードキャストチャネルはＰＢＣＨであってよく、同期信号識別子は物理セル識別子であってよく、Ｄ２Ｄシナリオでは、物理ブロードキャストチャネルはＰＳＢＣＨであってよく、同期信号識別子はＤ２Ｄリンクの同期信号領域識別子であってよい。
【００６４】
第５の態様によると、通信装置であって、プロセッサとトランシーバとを含み、前述の態様または前述の態様の可能な実装のうちのいずれか１つの方法が実行できる、通信装置が提供される。
【００６５】
第６の態様によると、通信装置が提供される。当該通信装置は、前述の方法の設計の中のネットワーク装置の動作を実施する機能を有する。該機能は、ハードウェアにより実装されてよく、又は対応するソフトウェアを実行するハードウェアにより実装されてよい。ハードウェア又はソフトウェアは、前述の機能に対応する１つ以上のモジュールを含む。
【００６６】
幾つかの可能な実装では、ネットワーク装置の構造はプロセッサと送信機とを含む。プロセッサは、前述の方法の中の対応する機能を実行する際にネットワーク装置をサポートするよう構成される。送信機は、ネットワーク装置と端末装置との間の通信をサポートし、前述の方法の中の情報又は命令を端末装置に送信するよう構成される。ネットワーク装置は、メモリを更に含んでよい。メモリは、プロセッサに結合され、ネットワーク装置のために必要なプログラム命令及びデータを格納する。
【００６７】
第７の態様によると、通信装置が提供される。当該通信装置は、前述の方法の設計の中の端末装置の動作を実施する機能を有する。該機能は、ハードウェアにより実装されてよく、又は対応するソフトウェアを実行するハードウェアにより実装されてよい。ハードウェア又はソフトウェアは、前述の機能に対応する１つ以上のモジュールを含む。
【００６８】
幾つかの可能な実装では、端末装置の構造はプロセッサと送信機とを含む。プロセッサは、前述の方法の中の対応する機能を実行する際に端末装置をサポートするよう構成される。送信機は、端末装置とネットワーク装置との間の通信、又は端末装置間の通信をサポートし、前述の方法における情報又は命令を送信するよう構成される。端末装置は、メモリを更に含んでよい。メモリは、プロセッサに結合され、端末装置のために必要なプログラム命令及びデータを格納する。
【００６９】
第８の態様によると、コンピュータ可読記憶媒体が提供される。コンピュータ記憶媒体はプログラムコードを格納し、前記プログラムコードは、第１〜第４の態様又はそれらの可能な実装のうちのいずれか１つの方法を実行するよう命令するために使用されてよい。
【００７０】
第９の態様によると、命令を含むコンピュータプログラムプロダクトが提供される。コンピュータプログラムプロダクトがコンピュータ上で実行されると、該コンピュータは、第１〜第４の態様又は第２の態様の実装のうちのいずれか１つの方法を実行可能にされる。
【００７１】
以下の実施形態は、ダウンリンク送信中のページングメッセージのリソース占有レートを低減することにより、通信効率を向上するために、ページングメッセージ伝送方法及び機器を提供する。
【００７２】
第１０の態様によると、本願は、ページングメッセージ伝送方法であって、ネットワーク装置により、ページングメッセージを伝送するために使用される周波数ドメインリソースを構成するステップと、前記ネットワーク装置により、端末装置に、ページング指示情報を送信するステップであって、前記ページング指示情報は、前記ページングメッセージを伝送するために使用される前記周波数ドメインリソースを示すために使用される、ステップと、を含む方法を提供する。
【００７３】
可能な設計では、前記ネットワーク装置は、前記端末装置に、少なくとも１つの残りのシステム情報ＲＭＳＩピースを送信し、前記ページング指示情報は、送信のために前記少なくとも１つのＲＭＳＩピースで運ばれる。
【００７４】
別の可能な設計では、前記ネットワーク装置は、前記端末装置に、少なくとも１つの同期信号ブロックＳＳＢを送信し、前記ページング指示情報は、送信のために前記少なくとも１つの同期信号ブロックＳＳＢで運ばれる。
【００７５】
更に別の可能な設計では、前記ネットワーク装置が複数の同期信号ブロックを構成し及び１つのＲＭＳＩピースを構成するとき、前記ページング指示情報は、送信のために前記ＲＭＳＩピースで運ばれ、前記同期信号ブロックの各々はＲＭＳＩ指示情報を含み、前記ＲＭＳＩ指示情報は、前記端末装置に、前記ＲＭＳＩピースの位置を示すために使用される。
【００７６】
更に別の可能な設計では、前記ネットワーク装置が複数の同期信号ブロックを構成し及び１つのＲＭＳＩピースを構成するとき、前記ページング指示情報は、送信のために第１ＲＭＳＩピースで運ばれ、前記複数の同期信号ブロックは第１ＲＭＳＩに関連付けられた第１同期信号ブロックを含み、前記第１同期信号ブロックはＲＭＳＩ指示情報を含み、前記ＲＭＳＩ指示情報は前記端末装置に、前記ＲＭＳＩの位置を示すために使用され、
前記複数の同期信号ブロックの中の前記第１同期信号ブロック以外の同期信号ブロックは第２同期信号ブロックであり、前記第２同期信号ブロックは前記第１同期信号ブロックの指示情報を含み、前記第１同期信号ブロックの前記指示情報は、前記第２同期信号ブロックに対する前記第１同期信号ブロックの位置を示すために使用される。
【００７７】
更に別の可能な設計では、前記ネットワーク装置が未認可周波数帯に適用されるとき、前記ページングメッセージは、送信のためにページングフレームで運ばれ、前記ＲＭＳＩは以下のパラメータ：前記ネットワーク装置により伝送された無線フレームの開始時間に対する前記ページングフレームのオフセット値を示すために使用される第１時間オフセット値、前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、ページングフレームの長さ、のうちの１つ以上を更に含む。
【００７８】
第１１の態様によると、本願は、ネットワーク装置であって、ページングメッセージを伝送するために使用される周波数ドメインリソースを構成するよう構成されるプロセッサと、端末装置に、ページング指示情報を送信するよう構成されるトランシーバであって、前記ページング指示情報は、前記ページングメッセージを伝送するために使用される前記周波数ドメインリソースを示すために使用される、トランシーバと、を含むネットワーク装置を更に提供する。
【００７９】
可能な設計では、前記トランシーバは、前記端末装置に、少なくとも１つの残りのシステム情報ＲＭＳＩピースを送信するよう更に構成され、前記ページング指示情報は、送信のために前記少なくとも１つのＲＭＳＩピースで運ばれる。
【００８０】
別の可能な設計では、前記トランシーバは、前記端末装置に、少なくとも１つの同期信号ブロックＳＳＢを送信するよう更に構成され、前記ページング指示情報は、送信のために前記少なくとも１つの同期信号ブロックＳＳＢで運ばれる。
【００８１】
更に別の可能な設計では、前記ネットワーク装置が複数の同期信号ブロックを構成し及び１つのＲＭＳＩピースを構成するとき、前記ページング指示情報は、送信のために前記ＲＭＳＩピースで運ばれ、前記同期信号ブロックの各々はＲＭＳＩ指示情報を含み、前記ＲＭＳＩ指示情報は、前記端末装置に、前記ＲＭＳＩピースの位置を示すために使用される。
【００８２】
更に別の可能な設計では、前記ネットワーク装置が複数の同期信号ブロックを構成し及び１つのＲＭＳＩピースを構成するとき、前記ページング指示情報は、送信のために第１ＲＭＳＩピースで運ばれ、前記複数の同期信号ブロックは第１ＲＭＳＩに関連付けられた第１同期信号ブロックを含み、前記第１同期信号ブロックはＲＭＳＩ指示情報を含み、前記ＲＭＳＩ指示情報は前記端末装置に、前記ＲＭＳＩの位置を示すために使用され、
前記複数の同期信号ブロックの中の前記第１同期信号ブロック以外の同期信号ブロックは第２同期信号ブロックであり、前記第２同期信号ブロックは前記第１同期信号ブロックの指示情報を含み、前記第１同期信号ブロックの前記指示情報は、前記第２同期信号ブロックに対する前記第１同期信号ブロックの位置を示すために使用される。
【００８３】
更に別の可能な設計では、前記ネットワーク装置が未認可周波数帯に適用されるとき、前記ページングメッセージは、送信のためにページングフレームで運ばれ、前記ＲＭＳＩは以下のパラメータ：前記ネットワーク装置により伝送された無線フレームの開始時間に対する前記ページングフレームのオフセット値を示すために使用される第１時間オフセット値、前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、ページングフレームの長さ、のうちの１つ以上を更に含む。
【００８４】
第１２の態様によると、本願は、ページングメッセージ伝送方法であって、端末装置により、ネットワーク装置から、ページング指示情報を受信するステップと、端末装置により、前記ページング指示情報に基づき、ページングメッセージを伝送するために使用される周波数ドメインリソースを決定するステップと、前記ページング情報により示された前記周波数ドメインリソースで前記ページングメッセージを受信するステップと、を含む方法を更に提供する。
【００８５】
可能な設計では、前記端末装置は、前記ネットワーク装置から、少なくとも１つの残りのシステム情報ＲＭＳＩピースを更に受信し、前記ページング指示情報は、送信のために前記少なくとも１つのＲＭＳＩピースで運ばれる。
【００８６】
別の可能な設計では、前記端末装置は、前記ネットワーク装置から、少なくとも１つの同期信号ブロックＳＳＢを更に受信し、前記ページング指示情報は、送信のために前記少なくとも１つの同期信号ブロックＳＳＢで運ばれる。
【００８７】
更に別の可能な設計では、前記ネットワーク装置が複数の同期信号ブロックを構成し及び１つのＲＭＳＩピースを構成するとき、前記ページング指示情報は、送信のために前記ＲＭＳＩピースで運ばれ、前記同期信号ブロックの各々はＲＭＳＩ指示情報を含み、前記ＲＭＳＩ指示情報は、前記端末装置に、前記ＲＭＳＩピースの位置を示すために使用される。
【００８８】
更に別の可能な設計では、前記ネットワーク装置が複数の同期信号ブロックを構成し及び１つのＲＭＳＩピースを構成するとき、前記ページング指示情報は、送信のために第１ＲＭＳＩピースで運ばれ、前記複数の同期信号ブロックは第１ＲＭＳＩに関連付けられた第１同期信号ブロックを含み、前記第１同期信号ブロックはＲＭＳＩ指示情報を含み、前記ＲＭＳＩ指示情報は前記端末装置に、前記ＲＭＳＩの位置を示すために使用され、
前記複数の同期信号ブロックの中の前記第１同期信号ブロック以外の同期信号ブロックは第２同期信号ブロックであり、前記第２同期信号ブロックは前記第１同期信号ブロックの指示情報を含み、前記第１同期信号ブロックの前記指示情報は、前記第２同期信号ブロックに対する前記第１同期信号ブロックの位置を示すために使用される。
【００８９】
更に別の可能な設計では、前記端末装置が未認可周波数帯に適用されるとき、前記端末装置は、前記ページング指示情報に基づき前記ページングメッセージフレームの位置を決定し、前記ページング指示情報は以下のパラメータ：前記ネットワーク装置により伝送された無線フレームの開始時間に対する前記ページングフレームのオフセット値を示すために使用される第１時間オフセット値、前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、ページングフレームの長さ、のうちの１つ以上を更に含む。
【００９０】
更に別の可能な設計では、前記ネットワーク装置が複数のＢＷＰで前記ページングメッセージを送信するよう構成するとき、前記端末装置は、前記第１時間オフセット値に基づき、最小第１時間オフセット値を有するＢＷＰから前記ページングメッセージを受信し始める。
【００９１】
更に別の可能な設計では、前記端末装置が前記第２時間間隔内でページングメッセージを受信しない場合、前記端末装置は次のＢＷＰにジャンプし、前記次のＢＷＰは残りのＢＷＰの中で最小第１時間オフセット値を有する。
【００９２】
第１２の態様によると、本願は、端末装置であって、ネットワーク装置から、ページング指示情報を受信するよう構成されるトランシーバと、前記ページング指示情報に基づき、ページングメッセージを伝送するために使用される周波数ドメインリソースを決定し、前記ページング情報により示された前記周波数ドメインリソースで前記ページングメッセージを受信するよう構成されるプロセッサと、を含む端末装置を提供する。
【００９３】
別の可能な設計では、前記端末装置が未認可周波数帯に適用されるとき、前記プロセッサは、前記ページング指示情報に基づき前記ページングメッセージフレームの位置を決定し、前記ページング指示情報は以下のパラメータ：前記ネットワーク装置により伝送された無線フレームの開始時間に対する前記ページングフレームのオフセット値を示すために使用される第１時間オフセット値、前記端末装置が、前記ページング指示情報により示されたＢＷＰ内でリッスンを通じてページングメッセージを取得しなかったとき、ページングメッセージを連続的にリッスンする最大時間間隔を示すために使用される第２時間間隔、及び、ページングフレームの長さ、のうちの１つ以上を更に含む。
【００９４】
更に別の可能な設計では、前記ネットワーク装置が複数のＢＷＰで前記ページングメッセージを送信するよう構成するとき、前記プロセッサは、前記第１時間オフセット値に基づき、最小第１時間オフセット値を有するＢＷＰから前記ページングメッセージを受信し始める。
【００９５】
更に別の可能な設計では、前記端末装置が前記第２時間間隔内でページングメッセージを受信しない場合、前記端末装置は次のＢＷＰにジャンプし、前記次のＢＷＰは残りのＢＷＰの中で最小第１時間オフセット値を有する。
【００９６】
第１３の態様によると、本願は、命令を格納するコンピュータ可読記憶媒体を更に提供する。前記命令がコンピュータで実行されると、前記コンピュータは、前述の態様における方法を実行可能にされる。
【００９７】
第１４の態様によると、本願は、命令を含むコンピュータプログラムプロダクトを提供する。前記コンピュータプログラムプロダクトがコンピュータで実行されると、前記コンピュータは、前述の態様における方法を実行可能にされる。
【図面の簡単な説明】
【００９８】
【図１】本発明の実施形態が適用されるシステムの概略図である。
【００９９】
【図２】本発明の実施形態が適用される別のシステムの概略図である。
【０１００】
【図３】本発明の一実施形態によるネットワークアーキテクチャの概略図である。
【０１０１】
【図４】本発明の一実施形態による同期信号ブロックの概略構造図である。
【０１０２】
【図５】本発明の一実施形態による複数のＳＳＢが１つの帯域幅内で構成される概略図である。
【０１０３】
【図６】本発明の一実施形態による通信方法の概略フローチャートである。
【０１０４】
【図７】本発明の一実施形態による物理ブロードキャストチャネルの概略図である。
【０１０５】
【図８】本発明の別の実施形態による通信方法の概略フローチャートである。
【０１０６】
【図９】本発明の一実施形態によるマッピングモードの概略図である。
【０１０７】
【図１０】本発明の一実施形態によるＯＣＣの概略図である。
【図１１】本発明の一実施形態によるＯＣＣの概略図である。
【０１０８】
【図１２】本発明の更に別の実施形態による通信方法の概略フローチャートである。
【０１０９】
【図１３】本発明の更に別の実施形態による通信方法の概略フローチャートである。
【０１１０】
【図１４】本発明の更に別の実施形態による通信方法の概略フローチャートである。
【０１１１】
【図１５】本発明の一実施形態による通信装置の概略ブロック図である。
【０１１２】
【図１６】本発明の別の実施形態による通信装置の概略ブロック図である。
【０１１３】
【図１７】本願の一実施形態による適用シナリオの概略図である。
【０１１４】
【図１８】本願によるページングメッセージ伝送方法の概略フローチャートである。
【０１１５】
【図１９】一実施形態による複数の帯域幅部分ＢＷＰ内でページングメッセージを伝送する概略図である。
【０１１６】
【図２０】更に別の実施形態による複数の帯域幅部分ＢＷＰ内でページングメッセージを伝送する概略図である。
【０１１７】
【図２１】更に別の実施形態による複数の帯域幅部分ＢＷＰ内でページングメッセージを伝送する概略図である。
【０１１８】
【図２２】未認可スペクトル帯域シナリオを含む一実施形態による複数の帯域幅部分ＢＷＰ内でページングメッセージを伝送する概略図である。
【０１１９】
【図２３】本願の一実施形態によるネットワーク装置の簡易概略構造図である。
【０１２０】
【図２４】本願の一実施形態による端末装置の簡易概略構造図である。
【０１２１】
【図２５】同期信号ブロックの可能な構造の概略図である。
【発明を実施するための形態】
【０１２２】
以下は、添付の図面を参照して、本願の技術的ソリューションを説明する。
【０１２３】
図１は、本発明の実施形態が適用されるシステムの概略図である。図１に示されるように、システム１００は、ネットワーク装置１０２及び端末装置１０４及び１０６を含んでよい。ネットワーク装置及び端末装置は、無線接続される。理解されるべきことに、図１は、説明のためにシステムが１つのネットワーク装置のみを含む例を示す。しかしながら、本発明の実施形態はこれに限定されない。例えば、システムはより多くのネットワーク装置を更に含んでよい。同様に、システムはより多くの端末装置も含んでよい。更に理解されるべきことに、システムはネットワークとしても参照されてよい。これは、本発明の実施形態において限定されない。
【０１２４】
図２は本発明の実施形態が適用される別のシステムの概略図である。図２に示されるように、システム２００は、端末装置２０４および２０６を含んでよく、端末装置は、装置間（Device  to  Device,  D２D）リンクを通じて互いに接続される。理解されるべきことに、図２は、説明のためにシステムが２つの端末装置のみを含む例を示す。しかしながら、本発明の実施形態はこれに限定されない。例えば、システムはより多くの端末装置を更に含んでよい。
【０１２５】
本発明の実施形態における通信装置は、端末装置であってよい。端末装置は、ユーザ機器（User  Equipment,  UE）、アクセス端末、加入者ユニット、加入者局、移動局、モバイルコンソール、リモート局、リモート端末、モバイル装置、ユーザ端末、端末、無線通信装置、ユーザエージェント、又はユーザ機器と呼ばれてもよい。アクセス端末は、セルラフォン、コードレス電話機、セッション開始プロトコル（Session  Initiation  Protocol,  SIP）電話機、無線ローカルループ（Wireless  Local  Loop,  WLL）局、パーソナルデジタルアシスタント（Personal  Digital  Assistant,  PDA）、無線通信機能を備えるハンドヘルド装置、コンピューティング装置、無線モデムに接続された別の処理装置、車載装置、ウェアラブル装置、将来の５Ｇネットワークにおける端末装置、又は将来の進化型公衆地上モバイルネットワーク（Public  Land  Mobile  Network,  PLMN）における端末装置、等であってよい。
【０１２６】
例として、限定ではなく本発明の実施形態では、端末装置は、代替としてウェアラブル装置であってよい。ウェアラブル装置は、ウェアラブルインテリジェント装置とも呼ばれてよく、日常ウェアのインテリジェント設計にウェアラブル技術を適用することにより開発された眼鏡、手袋、腕時計、衣服、及び靴のような装着可能装置のための一般用語である。ウェアラブル装置は、身体に直接装着される又はユーザの衣服又はアクセサリに統合されるポータブル装置である。ウェアラブル装置は、ハードウェア装置だけでなく、ソフトウェアサポート、データ交換、及びクラウド相互作用を通じた強力な機能も実装する。広義には、ウェアラブルインテリジェント装置は、スマート腕時計又はスマート眼鏡のようなスマートフォンに依存することなく、完全な又は部分的な機能を実施できる完全機能の大型装置、及び生体信号を監視する種々のスマートバンドまたはスマートジュエリーのような１種類のアプリケーション機能に集中し、スマートフォンのような他の装置と共に動作する必要のある装置を含む。
【０１２７】
本発明の実施形態における通信装置は、ネットワーク装置であってよい。ネットワーク装置は、端末装置と通信するよう構成される装置であってよい。ネットワーク装置は、グローバルシステムフォーモバイルコミュニケーションズ（Global  System  of  Mobile  communication,  GSM）又は符号分割多元接続（Code  Division  Multiple  Access,  CDMA）における基地トランシーバ局（Base  Transceiver  Station,  BTS）であってよく、広帯域符号分割多元接続（Wideband  Code  Division  Multiple  Access,  WCDMA）システムにおけるＮｏｄｅＢ（NodeB,  NB）であってよく、ロングタームエボリューション（Long  Term  Evolution,  LTE）システムにおける進化型ＮｏｄｅＢ（Evolutional  Node  B,  eNB又はeNodeB）であってよく、又はクラウド無線アクセスネットワーク（Cloud  Radio  Access  Network,  CRAN）シナリオにおける無線制御部であってよい。代替として、ネットワーク装置は、中継局、アクセスポイント、車載装置、ウェアラブル装置、将来の５Ｇネットワークにおけるネットワーク装置、将来の進化型ＰＬＭＮネットワークにおけるネットワーク装置、等であってよい。
【０１２８】
さらに、本発明の実施形態では、ネットワーク装置はセルを提供し、端末装置は、セルにより使用される伝送リソース（例えば、周波数ドメインリソースまたはスペクトルリソース）を用いてネットワーク装置と通信する。セルは、ネットワーク装置（例えば、基地局）に対応するセルであってよく、セルは、マクロ基地局に属してよく、又はスモールセル（small  cell）に対応する基地局に属してよい。スモールセルは、ここでは、メトロセル（Metro  cell）、マイクロセル（Micro  cell）、ピコセル（Pico  ）、フェムトセル（Femto  cell）、等を含んでよい。これらのスモールセルは、小さいカバレッジ領域及び低い伝送電力の特徴を有し、高レートデータ伝送サービスを提供するために適用可能である。さらに、セルは、代替としてハイパーセル（Hypercell）であってよい。
【０１２９】
図３は、本発明の実施形態が適用され得るネットワークアーキテクチャの一例の概略図である。ネットワークアーキテクチャの概略図は、次世代無線通信システムの新無線アクセス（New  Radio  Access,  NR）ネットワークのアーキテクチャ図であってよい。ネットワークアーキテクチャの概略図では、ネットワーク装置は、１つの中央ユニット（centralized  unit,  CU）と複数の送受信ポイント（transmission  reception  point,  TRP）／分散ユニット（distributed  unit,  DU）とに分割されてよい。言い換えると、ネットワーク装置の帯域幅に基づくユニット（bandwidth  based  unit,  BBU）は、ＤＵ機能エンティティ及びＣＵ機能エンティティとして再構成される。留意すべきことに、中央ユニット及びＴＲＰ／ＤＵの形式及び数は、本発明の実施形態に対する限定を構成しない。図２に示されるネットワーク装置１及びネットワーク装置２は、それぞれ異なる形式の中央ユニットに対応するが、ネットワーク装置１及びネットワーク装置２の機能は影響されない。中央ユニット１及び破線範囲内のＴＲＰ／ＤＵはネットワーク装置１のコンポーネントであり、中央ユニット２及び実線範囲内のＴＲＰ／ＤＵはネットワーク装置２のコンポーネントであり、ネットワーク装置１及びネットワーク装置２はＮＲシステムにおけるネットワーク装置（又は基地局と呼ばれる）であることが理解できる。
【０１３０】
ＣＵは、無線リソース制御（radio  resource  control,  RRC）レイヤまたはパケットデータコンバージェンスプロトコル（Packet  Data  Convergence  Protocol,  PDCP）レイヤのような無線上位レイヤプロトコルスタック機能を処理してよく、さらに、アクセスネットワークへの何らかのコアネットワーク機能の移動をサポートできる。ここで、ネットワークはエッジコンピューティングネットワークと呼ばれる。したがって、ビデオ、オンラインショッピング、及び仮想／拡張現実のような台頭しつつあるサービスのための将来の通信ネットワークの上位ネットワーク遅延要件が満たされる。
【０１３１】
ＤＵは、主に、比較的に高いリアルタイム要件を有する物理レイヤ機能及びレイヤ２機能を処理してよい。無線リモートユニット（radio  remote  unit,  RRU）及びＤＵの伝送リソースを考慮して、ＤＵの幾つかの物理レイヤ機能は、ＲＲＵへと移動されてよい。ＲＲＵの小型化に伴い、更に根本的に、ＤＵ及びＲＲＵは一緒に結合されてよい。
【０１３２】
ＣＵは、集中化方式で展開されてよい。ＤＵの展開は、実際のネットワーク環境に依存する。比較的高いトラフィック密度及び比較的小さい局間隔を有する都市中心部により、大学又は大規模催事場のような限られたコンピュータルームリソースしか有しない領域では、ＤＵも集中化方式で展開されてよい。しかしながら、郊外地域又は山間部地域のような比較的粗なトラフィック及び比較的大きな局間隔、等を有する領域では、ＤＵは分散型方式で展開されてよい。
【０１３３】
図３に示される例示的なインタフェースＳ１−Ｃは、ネットワーク装置とコアネットワーク装置との間の標準的なインタフェースであってよく、インタフェースＳ１−Ｃに接続された特定の装置は図３に示されない。
【０１３４】
図４は、本発明の一実施形態による同期信号ブロックの概略構造図である。理解されるべきことに、図４は単なる一例であり、本発明の実施形態に限定を構成しない。
【０１３５】
図４に示されるように、同期信号は、１次同期信号（primary  synchronization  signal,  PSS）及び２次同期信号（secondary  synchronization  signal,  SSS）を含み、物理ブロードキャストチャネル（Physical  Broadcast  Channel,  PBCH）と一緒に１つのＳＳＢを構成してよい。言い換えると、ＮＲ１次同期信号（NR-PSS）、ＮＲ２次同期信号（NR-SSS）は１個のＳＳＢ内で送信される。要するに、同期信号ブロックの中のＮＲ−ＰＳＳ、ＮＲ−ＳＳＳ、及びＮＲ−ＰＢＣＨは、それぞれ簡単にＰＳＳ、ＳＳＳ、及びＰＢＣＨと呼ばれてよい。
【０１３６】
さらに、複数のＳＳＢが１個の同期信号バーストセット（SS  burst  set）を構成してよく、ＳＳバーストセットは周期的に送信される。言い換えると、ネットワーク装置はＳＳバーストセットを周期的に送信することによりＳＳブロックを送信し、各ＳＳバーストセットは複数のＳＳＢを含む。
【０１３７】
例えば、図９は同期信号ブロックの可能な構造の概略図である。ＰＳＳ及びＳＳＳは、主に、ＵＥがセルを識別し該セルと同期することを助けるために使用される。ＰＢＣＨはシステムフレーム番号又はフレーム間タイミング情報のような最も基本的なシステム情報を含む。ＵＥは、ＵＥが同期信号ブロックの受信に成功しない限り、セルにアクセスできない。各ＳＳＢは４個のシンボルに渡る。ここで、ＰＳＳは第１シンボルを占有し、ＰＢＣＨは第２シンボルを占有し、ＰＢＣＨ、ＳＳＳ及びＰＢＣＨは第３シンボルを占有し、ＰＢＣＨは第４シンボルを占有する。
【０１３８】
残りの最小システム情報（remaining  minimum  system  information,  RMSI）は物理ダウンリンク共有チャネル（physical  downlink  shared  channel,  PDSCH）で運ばれ、ＲＭＳＩを運ぶＰＤＳＣＨは、物理ダウンリンク制御チャネル（physical  ＲＭＳＩスケジューリング情報を運ぶdownlink  control  channel,  PDCCH）を用いてスケジューリングされる。ＳＳＢ内のＰＢＣＨは、ＲＭＳＩスケジューリング情報を運ぶＰＤＣＣＨを見付けるための何らかの基本情報を含む。ＲＭＳＩスケジューリングを運ぶＰＤＣＣＨに対して端末により実行されるブラインド検出を促進するために、ＳＳＢ内のＰＢＣＨは、ＲＭＳＩスケジューリング情報を運ぶＰＤＣＣＨの探索空間（Type０-PDCCH  common  search  space）の何からの情報を提供する必要がある。
【０１３９】
理解されるべきことに、同期信号ブロック及び同期信号バーストセットの名称は、本発明の実施形態において限定されない。言い換えると、同期信号ブロック及び同期信号バーストセットは、他の名称として表現されてよい。例えば、ＳＳＢはＳＳ／ＰＢＣＨブロックとも表現されてよい。
【０１４０】
図５は、複数のＳＳＢが１つの帯域幅内で構成される概略図である。理解されるべきことに、図５は単なる一例であり、本発明の実施形態に限定を構成しない。
【０１４１】
図５に示されるように、１つの帯域幅内の３個のＳＳＢのうち、ＳＳＢ３はＲＭＳＩに関連付けられ、ＳＳＢ１及びＳＳＢ２はＲＭＳＩに関連付けられない。何の情報も提供されないとき、端末装置は、ＳＳＢ１、ＳＳＢ２、及びＳＳＢ３の同期周波数の周波数チャネル番号に対して、同期探索及びＲＭＳＩ検出を個別に実行する必要がある。現在ＳＳＢがＲＭＳＩに関連付けられていることを検出すると、端末装置は、次の候補同期周波数チャネル番号を順次検出する。その結果、検出の複雑性及び端末装置のネットワークアクセスの遅延が増大する。
【０１４２】
この観点で、本発明の実施形態は、端末装置のブラインド検出を軽減し、端末装置の検出複雑性を低減し、及び端末装置の電力消費及び遅延を削減する技術的ソリューションを提供する。
【０１４３】
理解されるべきことに、ＲＭＳＩは、他の制御情報で置き換えられてもよい。さらに、本発明の実施形態における技術的ソリューションは、セルラシナリオ及び中継シナリオだけではなく、Ｄ２Ｄシナリオにも適用されてよい。制御情報は、本発明の実施形態で説明のための一例として使用される。セルラシナリオ及び中継シナリオでは、制御情報は、ＲＭＳＩ又は他のシステム情報（other  system  information,  OSI）のようなシステム情報（system  information,  SI）であってよい。Ｄ２Ｄシナリオでは、制御情報は、データを受信するよう受信端に対してスケジューリングするために送信端により使用される制御情報である。しかしながら、これは、本発明の実施形態において限定されない。
【０１４４】
さらに理解されるべきことに、セルラシナリオ及び中継シナリオでは、本発明の実施形態における物理ブロードキャストチャネルは、ＰＢＣＨであってよく、同期信号識別子は物理セル識別子であってよい。Ｄ２Ｄシナリオでは、本発明の実施形態における物理ブロードキャストチャネルは、物理２次サイドリンクブロードキャストチャネル（Physical  Sidelink  Broadcast  Channel,  PSBCH）であってよく、同期信号識別子はＤ２Ｄリンク同期信号識別子であってよい。しかしながら、これは、本発明の実施形態において限定されない。
【０１４５】
さらに理解されるべきことに、ＳＳＢと制御情報との間の関連付けは、以下の方法に限定されない。
【０１４６】
方法１。関連付けは、ＳＳＢと同じ時間ドメインリソースで、又はプロトコルにより指定された方法で若しくは所定の方法でＳＳＢの後の時間ドメインリソースで送信される制御情報が存在することを示す。後の時間ドメインリソースとＳＳＢとの間の時間対応が存在する。例えば、後の時間ドメインリソースは、ＳＳＢに隣接し、又はＳＳＢ固有期間により離される。
【０１４７】
方法２。関連付けは、端末装置に関連付けられた制御情報のリソース構成情報が、ＳＳＢ内の物理ブロードキャストチャネルを用いて示されることである。例えば、リソース構成情報は、制御情報のリソースプールの位置、又は制御情報の指示情報の構成である。
【０１４８】
図６は、本発明の一実施形態による通信方法の概略フローチャートである。図６では、第１装置は送信装置、例えば上述のネットワーク装置又は端末装置であり、第２装置は受信装置、例えば上述の端末装置である。
【０１４９】
６１０。第１端末は、第１情報を決定する。ここで、第１情報は、第２同期信号ブロックのリソース位置を示し、第２同期信号ブロックは制御情報に関連付けられる。
【０１５０】
本発明の本実施形態では、同期信号ブロック（第１同期信号ブロックと呼ばれる）を送信するとき、第１装置は、制御情報に関連付けられた同期信号ブロック（第２同期信号ブロックと呼ばれる）のリソース位置を決定し、次に、第２装置に、第１同期信号ブロックの中で第２同期信号ブロックのリソース位置を示す。
【０１５１】
理解されるべきことに、リソース位置は、時間ドメイン位置、周波数ドメイン位置、又は時間周波数位置を含んでよい。例えば、第１指示情報が時間ドメイン位置を示すとき、これは、第２同期信号ブロック及び第１同期信号ブロックが同じスロット内になくてよいことを示す。以下は、周波数ドメイン位置を説明のための例として使用する。しかしながら、これは、本発明の実施形態において限定されない。
【０１５２】
任意で、第２同期信号ブロックのリソース位置は、帯域幅内の第２同期信号ブロックの絶対位置、又は第１同期信号ブロックに対する相対位置であってよい。
【０１５３】
例えば、第１指示情報は、第２同期信号ブロックと第１同期信号ブロックとの間の周波数オフセット値を示してよく、又は第１指示情報は、現在キャリア上の物理リソースブロック（Physical  Resource  Block,  PRB）内の第２同期信号ブロックの周波数位置を示してよい。
【０１５４】
理解されるべきことに、第２同期信号ブロックは、第１同期信号ブロックと同じであってよい。この場合は、第１同期信号ブロックが制御情報に関連付けられる場合である。したがって、この場合には、第１指示情報により示される時間ドメインリソース又は周波数ドメインリソースの相対偏差値は０であり、又は、帯域幅内の示された絶対値は、第１同期信号ブロックの位置である。
【０１５５】
任意で、第１同期信号ブロックが制御情報に関連付けられないとき、第１装置は第１指示情報を決定してよい。
【０１５６】
言い換えると、第１同期信号ブロックが制御情報に関連付けられるとき、第１指示情報は要求されなくてよい。第１同期信号ブロックが制御情報に関連付けられないとき、第１装置は第１指示情報を構成してよい。
【０１５７】
６２０。第１装置は、第１同期信号ブロックを送信する。ここで、第１同期信号ブロック内の物理ブロードキャストチャネルは、第１指示情報を運ぶ。
【０１５８】
第１装置は、第１指示情報を第１同期信号ブロック内の物理ブロードキャストチャネルに追加し、第１指示情報を第２装置へ送信する。
【０１５９】
任意で、本発明の一実施形態では、第１指示情報は物理ブロードキャストチャネルの予約フィールド内で運ばれてよい。
【０１６０】
前記第１指示情報が前記予約フィールド内で運ばれることは、別のフィールドに影響を与えず、物理ブロードキャストチャネルに対して比較的小さな変更しか生じない。
【０１６１】
任意で、本発明の一実施形態では、物理ブロードキャストチャネルはリセットされてよい。例えば、物理ブロードキャストチャネルは３つのリール度を含んでよい。ここで、
第１フィールドは、第１同期信号ブロックが制御情報に関連付けられているときにのみ有効であり、第２フィールドは、第１同期信号ブロックが制御情報に関連付けられていないときにのみ有効であり、第２フィールドは第１指示情報を運び、第３フィールドは、第１同期信号ブロックが制御情報に関連付けられているとき又は第１同期信号ブロックが制御情報に関連付けられていないときに有効である。
【０１６２】
任意で、物理ブロードキャストチャネル内の第１フィールドにより占有されるビットは、物理ブロードキャストチャネル内の第２フィールドにより占有されるビットと部分的に又は完全に重なり合う。
【０１６３】
例えば、図７に示されるように、フィールド１及びフィールド２は、ＳＳＢが制御情報に関連付けられる又は関連付けられないときに有効であり、第３フィールドであるフィールド３〜フィールド６は、ＳＳＢが制御情報に関連付けられるときに有効であり、第１フィールドであるフィールド３’及びフィールド４’は、ＳＳＢが制御情報に関連付けられないときに有効であり、第２フィールドである第１指示情報はフィールド３’及びフィールド４’内で運ばれてよい。
【０１６４】
言い換えると、現在ＳＳＢが制御情報に関連付けられないとき、何らかの測定の間に使用される必要のある幾つかのフィールドを除いて、物理ブロードキャストチャネルフィールド内の他のフィールドは無効になる。他のフィールドが無効になった後、残りのビットは、第１指示情報を運ぶために新しいフィールドとして再構成されてよい。
【０１６５】
ＰＢＣＨは一例として使用される。ＳＳＢが制御情報に関連付けられないとき、ハイバーフレーム番号（hyper  frame  number,  HFN）及びＳＳＢ時間インデックス（SSB  time  index）を除いて、ＰＢＣＨ上の「ＲＭＳＩ制御リソース」、「ＰＲＢ内の同期信号のサブキャリアオフセット値」、及び「システムフレーム番号（system  frame  number,  SFN）」のような他の元のフィールドは無効である。無効なフィールドに対応するＰＢＣＨビットは、第１指示情報を運ぶために使用されてよい。
【０１６６】
前述のソリューションでは、第２同期信号ブロックのリソース位置を示すために、十分な情報ビットを提供できる。
【０１６７】
８１９２ポイントの高速フーリエ変換（Fast  Fourier  Transformation,  FFT）直交周波数分割多重（orthogonal  frequency  division  multiplexing,  OFDM）システムでは、１個のＰＲＢが１２個のサブキャリアを占有すると仮定すると、最大で８１９２／１２＝６８２個のＰＲＢがある。６８２個のＰＲＢは、ＲＭＳＩに関連付けられた全部のＳＳＢのＰＲＢ周波数一を示すために、最大で１０個のビット（最大で１０２４個の値を示す）を使用する。
【０１６８】
任意で、本発明の一実施形態では、物理ブロードキャストチャネルは第３指示情報を更に運び、第３指示情報は、第１同期信号ブロックの同期信号識別子が第２同期信号ブロックの同期信号識別子と同じであるか否かを示す。
【０１６９】
具体的に、幾つかの可能な設計では、第１同期信号ブロックの同期信号識別子は、第２同期信号ブロックの同期信号識別子と異なってよい。この場合、第３指示情報は物理ブロードキャストチャネルで運ばれてよく、第１同期信号ブロックの同期信号識別子が第２同期信号ブロックの同期信号識別子と同じであるか否かを示す。
【０１７０】
任意で、本発明の一実施形態では、物理ブロードキャストチャネルは、第４指示情報を更に運び、第４指示情報は、第２同期信号ブロックの同期信号識別子を示す。
【０１７１】
具体的に、第２同期信号ブロックのリソース位置を示すことに加えて、第４指示情報は、更に、第２同期信号ブロックの同期信号識別子を示すために物理ブロードキャストチャネルで運ばれてよい。例えば、第１同期信号ブロックの同期信号識別子が第２同期信号ブロックの同期信号識別子と異なるとき、第２同期信号ブロックの同期信号識別子は、物理ブロードキャストチャネルを用いて示される。その結果、第２装置の検出複雑性が更に低減できる。
【０１７２】
前述の技術的ソリューションによると、第１同期信号ブロックを検出した後に、第２装置は、第２同期信号ブロックのリソース位置を直接知り得る。その結果、第２装置は、ブラインド検出を実行することなく、探索のために対応するリソース位置に直接切り替えてよい。これは、第２装置の検出複雑性を低減し、第２装置の探索計算時間、電力消費、及遅延を削減する。
【０１７３】
任意で、第１装置は、第２装置に、第１同期信号ブロックが制御情報に関連付けられるか否かを更に示してよい。
【０１７４】
第１装置は、第２装置に、第１同期信号ブロックが制御情報に関連付けられるか否かを、明示的方法で、例えば対応するビットを用いて、又は暗示的方法で、例えば第１同期信号ブロックの伝送モードを用いて、示す。以下に別個に説明が提供される。
【０１７５】
任意で、本発明の一実施形態では、物理ブロードキャストチャネルは、第２指示情報を更に運び、第２指示情報は、第１同期信号ブロックが制御情報に関連付けられているか否かを示す。
【０１７６】
本実施形態は、明示的指示情報を使用する。例えば、第２指示情報は、第１同期信号ブロックが制御情報に関連付けられているか否かを示すために、物理ブロードキャストチャネル上の１ビットを用いて運ばれてよい。
【０１７７】
任意で、本発明の一実施形態では、第１装置は、更に、第１同期信号ブロックの伝送モードを決定し、ここで伝送モードは第１同期信号ブロックが制御情報に関連付けられているか否かを示し、伝送モードに基づき第１同期信号ブロックを送信してよい。
【０１７８】
本実施形態は、暗示的指示情報を使用する。第１装置は、第１同期信号ブロックの異なる伝送モードを用いて、第１同期信号ブロックが制御情報に関連付けられていること、又は第１同期信号ブロックが制御情報に関連付けられていないことを別個に示す。
【０１７９】
例えば、第１装置は図８に示す手順を実行してよい。８０１で、第１装置は、同期信号ブロックが制御情報に関連付けられているか否かを決定する。関連付けられている場合、第１装置は、８０２を実行し、伝送モード１で同期信号ブロックを送信する、又は関連付けられていない場合、第１装置は、８０３を実行し、伝送モード２で同期信号ブロックを送信する。
【０１８０】
任意で、伝送モードは、同期信号シーケンスの周波数ドメインマッピングモード、直交カバーコード（Orthogonal  Coverage  Code,  OCC）、同期信号識別子、物理ブロードキャストチャネルの巡回冗長検査（Cyclic  Redundancy  Check,  CRC）マスク、物理ブロードキャストチャネルのスクランブリング、等を含んでよい。説明が以下に別個に与えられるが、これは、本発明の本実施形態において限定されない。
【０１８１】
任意で、本発明の一実施形態では、第１同期信号ブロックの伝送モードは、第１同期信号ブロック内の同期信号シーケンスの周波数ドメインマッピングモードを含み、第１装置は、第１同期信号ブロックが制御情報と関連付けられているとき、マッピングモードが複数の所定のマッピングモードのうちの第１マッピングモードであることを決定し、及び／又は、第１同期信号ブロックが制御情報と関連付けられていないとき、マッピングモードが複数の所定のマッピングモードのうちの第２マッピングモードであることを決定してよい。
【０１８２】
具体的に、第１装置は、第１同期信号ブロックが制御情報に関連付けられているか否かに基づき、第１同期信号ブロック内の同期信号シーケンスの周波数ドメインマッピングモードを決定し、関連付け又は非関連付けについて異なるマッピングモードを使用してよい。
【０１８３】
例えば、図９に示される２つのマッピングモードは、ＳＳＳシーケンス又はＰＳＳシーケンスのために使用される。ＳＳＳシーケンス又はＰＳＳシーケンスについて、低周波数から高周波数へのマッピングはマッピングモードであり、これは、ＳＳＢが制御情報に関連付けられている場合に対応してよい。ＳＳＳシーケンス又はＰＳＳシーケンスについて、高周波数から低周波数へのマッピングは別のマッピングモードであり、これは、ＳＳＢが制御情報に関連付けられていない場合に対応してよい。これは、限定されない。
【０１８４】
任意で、本発明の一実施形態では、第１同期信号ブロックの伝送モードは、第１同期信号ブロックの伝送シンボルに変調される直交カバーコードの値を含み、第１装置は、第１同期信号ブロックが制御情報と関連付けられているとき、直交カバーコードの値が複数の所定の値のうちの第１の値であることを決定し、及び／又は、第１同期信号ブロックが制御情報と関連付けられていないとき、直交カバーコードの値が複数の所定の値のうちの第２の値であることを決定してよい。
【０１８５】
具体的に、第１装置は、第１同期信号部録画制御情報に関連付けられているか否かに基づき、第１同期信号ブロックの伝送シンボル上に変調される直交カバーコードの値を決定してよい。直交カバーコードの異なる値は、関連付け又は非関連付けのために使用される。
【０１８６】
例えば、図１０に示される直交カバーコードの異なる値は、第１同期信号ブロックが制御情報に関連付けられていること、又は第１同期信号ブロックが制御情報に関連付けられていないことを示すために使用されてよい。代替として、図１１に示される直交カバーコードの異なる値は、第１装置は、第１同期信号ブロックが制御情報に関連付けられていること、又は第１同期信号ブロックが制御情報に関連付けられていないことを示すために使用されてよい。図１０では、ＯＣＣは２個のＰＢＣＨシンボル上に変調される。図１１では、ＯＣＣは４個のシンボル上：ＰＳＳ、ＰＢＣＨ、ＳＳＳ、及びＰＢＣＨに変調される。「＋」は、全部のサブキャリア上のデータ又はシンボルが＋１により乗算されることを示し、「−」は、全部のサブキャリア上のデータ又はシンボルが「−１」により乗算されることを示す。
【０１８７】
任意で、本発明の一実施形態では、第１同期信号ブロックの伝送モードは、第１同期信号ブロックにより使用される同期信号識別子の属する範囲を含み、第１装置は、第１同期信号ブロックが制御情報と関連付けられているとき、第１同期信号ブロックにより使用される同期信号識別子が第１サブセットに属することを決定し、及び／又は、第１同期信号ブロックが制御情報と関連付けられていないとき、第１同期信号ブロックにより使用される同期信号識別子が第２サブセットに属することを決定してよい。
【０１８８】
具体的に、本実施形態では、２個のサブセット内の同期信号識別子は、それぞれ、制御情報が関連付けられている、又は制御情報が関連付けられていない場合に対応するよう設定されてよい。例えば、第１サブセットは、同期信号ブロックの同期信号識別子（つまり、実際の同期信号識別子）のセットであってよく、第２サブセットは、第１サブセット内の同期信号識別子に所定の値を加算することにより取得される同期信号識別子のセットであってよい。所定の値は、第１サブセットの中の最大値と最小値との間の差より大きい。
【０１８９】
例えば、実際の同期信号識別子のセットが｛０−５０３｝である場合、第１サブセットは｛０−５０３｝であってよく、第２サブセットは｛５０４−１００７｝であってよい。実際の同期信号識別子のセットが｛０−１００７｝である場合、第１サブセットは｛０−１００７｝であってよく、第２サブセットは｛１００８−２０１５｝であってよい。
【０１９０】
第１同期信号ブロックにより使用される同期信号識別子は、第１サブセットに属してよい。つまり、第１同期信号ブロックの同期信号識別子（つまり、実際の同期信号識別子）が使用されてよい。又は、第１同期信号ブロックにより使用される同期信号識別子は第２サブセットに属してよい。つまり、１同期信号ブロックの同期信号識別子（つまり、実際の同期信号識別子）と所定の値との和が使用される。前述の２つの場合は、制御情報が関連付けられる場合、及び制御情報が関連付けられない場合に対応してよい。
【０１９１】
第１装置は、第１同期信号ブロックが制御情報に関連付けられているとき、第１同期信号ブロックにより使用される同期信号識別子が第１同期信号ブロックの同期信号識別子であることを決定し、及び／又は、第１同期信号ブロックが制御情報に関連付けられていないとき、第１同期信号ブロックにより使用される同期信号識別子が第１同期信号ブロックの同期信号識別子と所定の値との和であることを決定し、又は、第１同期信号ブロックが制御情報に関連付けられているとき、第１同期信号ブロックにより使用される同期信号識別子は第１同期信号ブロックの同期信号識別子と所定の値との和であることを決定し、及び／又は、第１同期信号ブロックが制御情報に関連付けられていないとき、第１同期信号ブロックにより使用される同期信号識別子は第１同期信号ブロックの同期信号識別子であることを決定してよい。
【０１９２】
所定の値は、第１同期信号ブロックの同期信号識別子の値範囲の中の最大値と最小値との間の差より大きい。
【０１９３】
第１同期信号ブロックにより使用される同期信号識別子が、第１同期信号ブロックの同期信号識別子と所定の値との和であるとき、第２装置は、第１同期信号ブロックにより使用される検出した同期信号識別子から所定の値を減算することにより、第１同期信号ブロックの同期信号識別子を取得してよい。その結果、第２装置により最初に発見された近隣セルの測定が影響を受けない。
【０１９４】
例えば、実際の同期信号識別子の値範囲が｛０−５０３｝である場合、２つのサブセットは｛０−５０３｝及び｛５０４−１００７｝であってよい。第１同期信号ブロックの同期信号識別子が１であると仮定すると、１は、第１同期信号ブロックが制御情報に関連付けられているときに使用されてよい。第１同期信号ブロックが制御情報に関連付けられていないとき、５０５が使用されてよく、第２装置は、第１同期信号ブロック識別子から所定の値（５０４）を減算することにより実際の同期信号識別子１を取得してよい。これは、限定されない。実際の同期信号識別子の値範囲が｛０−１００７｝である場合、２つのサブセットは｛０−１００７｝及び｛１００８−２０１５｝であってよい。第１同期信号ブロックの同期信号識別子が１であると仮定すると、１は、第１同期信号ブロックが制御情報に関連付けられているときに使用されてよい。第１同期信号ブロックが制御情報に関連付けられていないとき、１００９が使用されてよく、第２装置は、第１同期信号ブロック識別子から所定の値（１００８）を減算することにより実際の同期信号識別子１を取得してよい。これは、限定されない。
【０１９５】
任意で、本発明の一実施形態では、第１同期信号ブロックの伝送モードは、第１同期信号ブロック内の物理ブロードキャストチャネルにより使用されるＣＲＣマスクを含み、第１装置は、第１同期信号ブロックが制御情報と関連付けられているとき、ＣＲＣマスクが複数の所定のＣＲＣマスクのうちの第１ＣＲＣマスクであることを決定し、及び／又は、第１同期信号ブロックが制御情報と関連付けられていないとき、ＣＲＣマスクが複数の所定のＣＲＣマスクのうちの第２ＣＲＣマスクであることを決定してよい。
【０１９６】
具体的に、第１装置は、第１同期信号ブロックが制御情報に関連付けられているか否かに基づき、第１同期信号ブロック内の物理ブロードキャストチャネルにより使用されるＣＲＣマスクを決定し、関連付け又は非関連付けについて異なるＣＲＣマスクを使用してよい。
【０１９７】
例えば、物理ブロードキャストチャネルのＣＲＣマスクが１６ビットの長さを有するとき、２つの異なるＣＲＣマスク「００００００００００００００００」及び「００００００００１１１１１１１１」は、関連付け又は非関連付けを示すために使用されてよい。
【０１９８】
ＣＲＣマスクを追加する処理は、以下に示される：
ｙｃ（ｎ）＝（ｘｃ（ｎ）＋ｓｃ（ｎ））ｍｏｄ２、ここでｎ＝０，１，．．．，Ｎ−１である。
【０１９９】
ＮはＣＲＣの検査ビットの数を表し、ｘｃは元のＣＲＣ検査ビットを表し、ｓｃはＣＲＣと同じ長さを有するマスクを表し、ｙｃはＣＲＣが追加された後に取得された検査ビットを表す。
【０２００】
任意で、本発明の一実施形態では、第１同期信号ブロックの伝送モードは、第１同期信号ブロック内の物理ブロードキャストチャネルにより使用されるスクランブリングシーケンスを含み、第１装置は、第１同期信号ブロックが制御情報と関連付けられているとき、スクランブリングシーケンスが複数の所定のスクランブリングシーケンスのうちの第１スクランブリングシーケンスであることを決定し、及び／又は、第１同期信号ブロックが制御情報と関連付けられていないとき、スクランブリングシーケンスが複数の所定のスクランブリングシーケンスのうちの第２スクランブリングシーケンスであることを決定してよい。
【０２０１】
具体的に、第１装置は、第１同期信号ブロックが制御情報に関連付けられているか否かに基づき、第１同期信号ブロック内の物理ブロードキャストチャネルにより使用されるスクランブリングシーケンスを決定し、関連付け又は非関連付けについて異なるスクランブリングシーケンスを使用してよい。
【０２０２】
例えば、対応するスクランブリングが、符号化前の物理ブロードキャストチャネル又は符号化された物理ブロードキャストチャネルの情報又は符号化ビットに対して実行されてよい。異なるシーケンスは、異なる状態（関連付け又は非関連付け）に対応するために使用される。スクランブリング処理は、以下に示され得る：
ｙ（ｎ）＝（ｘ（ｎ）＋ｓ（ｎ））ｍｏｄ２、ここでｎ＝０，１，．．．，Ｌ−１である。
【０２０３】
Ｌは物理ブロードキャストチャネル又は物理ブロードキャストチャネルの符号化ビット長に関する情報を表し、ｘはスクランブリング前の物理ブロードキャストチャネルに関する情報又はスクランブリング前の符号化ビットを表し、ｓはスクランブリングシーケンスを表し、ｙはスクランブリングされた物理ブロードキャストチャネルに関する情報又はスクランブリングされた物理ブロードキャストチャネルに関する符号化ビットを表す。差ｓは、異なる状態に基づき生成される。異なる状態は、異なるスクランブリングシーケンスに対応してよく、又は異なるスクランブリングシーケンスの初期値に対応してよい。
【０２０４】
技術的ソリューションによると、第２装置は、物理ブロードキャストチャネルでブラインド検出を実行することなく、第１同期信号ブロックの伝送モードを検出して、第１同期信号ブロックが制御情報に関連付けられているか否かを決定する。これは、端末装置の検出複雑性を低減し、端末装置の電力消費及び遅延を削減できる。
【０２０５】
６３０。第２装置は、第１同期信号ブロック内の物理ブロードキャストチャネルで運ばれる第１指示情報を取得する。
【０２０６】
受信側で、第２装置は、第１同期信号ブロックを受信し、第１指示情報を取得して、第２同期信号ブロックのリソース位置を直接知る。
【０２０７】
任意で、第２装置は、更に、先ず、第１同期信号ブロックが制御情報に関連付けられるか否かを決定してよい。第１同期信号ブロックが制御情報に関連付けられていないとき、第２装置は、第１同期信号ブロック内の物理ブロードキャストチャネルで運ばれる第１指示情報を取得する。第１同期信号ブロックが制御情報に関連付けられていることを決定すると、第２装置は、第１同期信号ブロックに基づき制御情報を受信する。
【０２０８】
第１装置が、第１同期信号ブロックが制御情報に関連付けられているか否かを示す方法に対応して、第２装置は、対応する方法で、第１同期信号ブロックが制御情報に関連付けられているか否かを決定してよい。
【０２０９】
任意で、物理ブロードキャストチャネルが第２指示情報を運ぶとき、第２装置は、第２指示情報に基づき、第１同期信号ブロックが制御情報に関連付けられているか否かを決定してよい。
【０２１０】
任意で、第１同期信号ブロックの伝送モードが、第１同期信号ブロックが制御情報に関連付けられているか否かを示すとき、第２装置は、第１同期信号ブロックの伝送モードに基づき、第１同期信号ブロックが制御情報に関連付けられているか否かを決定してよい。
【０２１１】
任意で、第１同期信号ブロックの伝送モードは、第１同期信号ブロック内の同期信号シーケンスの周波数ドメインマッピングモードを含み、第２装置は、マッピングモードが複数の所定のマッピングモードのうちの第１マッピングモードであるとき、第１同期信号ブロックが制御情報に関連付けられていることを決定し、及び／又は、マッピングモードが複数の所定のマッピングモードのうちの第２マッピングモードであるとき、第１同期信号ブロックが制御情報に関連付けられていないことを決定してよい。
【０２１２】
任意で、第１同期信号ブロックの伝送モードは、第１同期信号ブロックの伝送シンボルに変調される直交カバーコードの値を含み、第２装置は、直交カバーコードの値が複数の所定の値のうちの第１の値であるとき、第１同期信号ブロックが制御情報に関連付けられていることを決定し、及び／又は、直交カバーコードの値が複数の所定の値のうちの第２の値であるとき、第１同期信号ブロックが制御情報に関連付けられていないことを決定してよい。
【０２１３】
任意で、第１同期信号ブロックの伝送モードは、第１同期信号ブロックにより使用される同期信号識別子の属する範囲を含み、第２装置は、第１同期信号ブロックにより使用される同期信号識別子が第１サブセットに属するとき、第１同期信号ブロックが制御情報に関連付けられていることを決定し、及び／又は、第１同期信号ブロックにより使用される同期信号識別子が第２サブセットに属するとき、第１同期信号ブロックが制御情報に関連付けられていないことを決定してよい。
【０２１４】
任意で、第１同期信号ブロックの伝送モードは、第１同期信号ブロック内の物理ブロードキャストチャネルにより使用されるＣＲＣマスクを含み、第２装置は、ＣＲＣマスクが複数の所定のＣＲＣマスクのうちの第１ＣＲＣマスクであるとき、第１同期信号ブロックが制御情報に関連付けられていることを決定し、及び／又は、ＣＲＣマスクが複数の所定のＣＲＣマスクのうちの第２ＣＲＣマスクであるとき、第１同期信号ブロックが制御情報に関連付けられていないことを決定してよい。
【０２１５】
任意で、第１同期信号ブロックの伝送モードは、第１同期信号ブロック内の物理ブロードキャストチャネルにより使用されるスクランブリングシーケンスを含み、第２装置は、スクランブリングシーケンスが複数の所定のスクランブリングシーケンスのうちの第１スクランブリングシーケンスであるとき、第１同期信号ブロックが制御情報に関連付けられていることを決定し、及び／又は、スクランブリングシーケンスが複数の所定のスクランブリングシーケンスのうちの第２スクランブリングシーケンスであるとき、第１同期信号ブロックが制御情報に関連付けられていないことを決定してよい。
【０２１６】
任意で、物理ブロードキャストチャネルが第３指示情報を運ぶとき、第２装置は、第３指示情報に基づき、第１同期信号ブロックの同期信号識別子が第２同期信号ブロックの同期信号識別子と同じであるか否かを決定してよい。
【０２１７】
任意で、物理ブロードキャストチャネルが第４指示情報を更に運び、第４指示情報が第２同期信号ブロックの同期信号識別子を示すとき、第２装置は、第４指示情報に基づき、第２同期信号ブロックの同期信号識別子を決定してよい。
【０２１８】
６４０。第２装置は、第１指示情報に基づき制御情報を受信する。
【０２１９】
第２装置は、第１指示情報に基づき第２同期信号ブロックのリソース位置を知り、対応するリソース位置で探索を直接実行して制御情報を受信する。
【０２２０】
例えば、第２装置は図１２に示す手順を実行してよい。１２０１で、第２装置は、同期信号ブロックを検出し、同期信号ブロックの伝送モードを決定する。１２０２で、第２装置は、同期信号ブロックの伝送モードに基づき、同期信号ブロックが制御情報に関連付けられるか否かを決定する。関連付けられている場合、第２装置は１２０３を実行し、関連付けられた制御情報を受信する。関連付けられていない場合、第２装置は１２０４を実行し、第１指示情報を取得し、第１指示情報に基づき制御情報を受信する。
【０２２１】
本発明の本実施形態の技術的ソリューションによると、制御情報に関連付けられた同期信号ブロックのリソース位置が、受信側に示される。その結果、受信側にある端末装置は、ブラインド検出を実行することなく同期信号ブロックのリソース位置を直接知り、対応するリソース位置で探索を実行するために直接切り替える。これは、端末装置の検出複雑性を低減し、端末装置の探索及び計算時間、電力消費、及び遅延を削減できる。
【０２２２】
さらに、本発明の本実施形態における技術的ソリューションによると、同期信号ブロックが制御情報に関連付けられているか否かは、同期信号ブロックの伝送モードを用いて受信側に示される。その結果、受信側にある端末装置は、物理ブロードキャストチャネル上でブラインド検出を実行することなく、同期信号ブロックの伝送モードを検出することにより、同期信号ブロックが制御情報に関連付けられているか否かを決定できる。これは、端末装置の検出複雑性を低減し、端末装置の電力消費及び遅延を削減できる。
【０２２３】
理解されるべきことに、本発明の実施形態の種々の実装が別個に実施されてよく、又は結合されて実施されてよい。これは、本発明の実施形態において限定されない。
【０２２４】
例えば、本発明の実施形態では、受信側に、制御情報に関連付けられている同期信号ブロックのリソース位置を示す実装、及び受信側に、同期信号ブロックの伝送モードを用いて、同期信号ブロックが制御情報に関連付けられているか否かを示す実装は、別個に実施されてよく、又は結合されて実施されてよい。以下は、受信側に、同期信号ブロックの伝送モードを用いて、同期信号ブロックが制御情報に関連付けられているか否かを示す実装を別個に説明する。理解されるべきことに、以下の説明に加えて、以下の実施形態では、前述の実施形態における説明が更に参照されてよい。要するに、詳細は以後再び説明されない。
【０２２５】
図１３は、本発明の別の実施形態による通信方法の概略フローチャートである。
【０２２６】
１３１０。第１装置は、第１同期信号ブロックの伝送モードを決定する。ここで、伝送モードは、第１同期信号ブロックが制御情報に関連付けられているか否かを示す。
【０２２７】
第１装置は、第１同期信号ブロックが制御情報に関連付けられているか否かに基づき、第１同期信号ブロックの伝送モードを決定する。伝送モードは、同期信号シーケンスの周波数ドメインマッピングモード、直交カバーコード、同期信号識別子、物理ブロードキャストチャネルのＣＲＣマスク、物理ブロードキャストチャネルのスクランブリング、等を含んでよい。各伝送モード特有の説明については、前述の実施形態における対応する説明を参照する。要するに、詳細は再び説明されない。
【０２２８】
１３２０。第１装置は、伝送モードに基づき第１同期信号ブロックを送信する。
【０２２９】
第１同期信号ブロックが制御情報に関連付けられているか否かに関する異なる場合に対応して、第１装置は、対応する伝送モードに基づき第１同期信号ブロックを送信して、第１同期信号ブロックが制御情報に関連付けられていること又は第１同期信号ブロックが制御情報に関連付けられていないことを暗示的に示す。
【０２３０】
１３３０。第２装置は、第１同期信号ブロックの伝送モードに基づき、第１同期信号ブロックが制御情報に関連付けられているか否かを決定する。
【０２３１】
第２装置は、第１同期信号ブロックを受信し、第１同期信号ブロックの伝送モードに基づき、第１同期信号ブロックが制御情報に関連付けられているか否かを決定する。各伝送モード特有の説明については、前述の実施形態における対応する説明を参照する。要するに、詳細は再び説明されない。
【０２３２】
第１同期信号ブロックの伝送モードにｔｍお堂記、第１同期信号ブロックが制御情報に関連付けられていないと決定すると、第２装置は、物理ブロードキャストチャネル上でブラインド検出を実行する必要がなく、第１同期信号ブロックの検出を終了し、次に別の同期信号ブロックを検出してよい。
【０２３３】
第１同期信号ブロックが制御情報に関連付けられているとき、第２装置は、第１同期信号ブロックに基づき制御情報を受信してよい。
【０２３４】
例えば、第２装置は図１４に示す手順を実行してよい。１４０１で、第２装置は、同期信号ブロックを検出し、同期信号ブロックの伝送モードを決定する。１４０２で、第２装置は、同期信号ブロックの伝送モードに基づき、同期信号ブロックが制御情報に関連付けられるか否かを決定する。関連付けられている場合、第２装置は１４０３を実行し、関連付けられた制御情報を受信する。関連付けられていない場合、第２装置は１４０４を実行し、同期信号ブロックの検出を終了し、別の同期信号ブロックを検出する。
【０２３５】
本発明の本実施形態における技術的ソリューションによると、同期信号ブロックが制御情報に関連付けられているか否かは、同期信号ブロックの伝送モードを用いて受信側に示される。その結果、受信側にある端末装置は、物理ブロードキャストチャネル上でブラインド検出を実行することなく、同期信号ブロックの伝送モードを検出することにより、同期信号ブロックが制御情報に関連付けられているか否かを決定できる。これは、端末装置の検出複雑性を低減し、端末装置の電力消費及び遅延を削減できる。
【０２３６】
理解すべきことに、本発明の実施形態における特定の例は、当業者が本発明の実施形態をよりよく理解することを助けるためであり、本発明の実施形態の範囲を限定するものではない。
【０２３７】
理解されるべきことに、本発明の種々の実施形態では、前述の処理のシーケンス番号は、実行順序を意味しない。処理の実行順序は、処理の機能及び内部ロジックに従い決定されるべきであり、本発明の実施形態の実装処理に対する限定を構成するべきではない。
【０２３８】
以上は、本発明の実施形態による通信方法を詳細に説明した。以下は、本発明の実施形態による通信装置を説明する。
【０２３９】
図１５は、本発明の一実施形態による通信装置の概略ブロック図である。通信装置は、方法の実施形態における第１装置に対応してよく、方法における第１装置の任意の機能を有してよい。
【０２４０】
図１５に示されるように、通信装置はプロセッサ１５１０とトランシーバ１５２０とを含む。
【０２４１】
任意で、トランシーバ１５２０は、リモート無線ユニット（remote  radio  unit,  RRU）、トランシーバユニット、トランシーバ機、トランシーバ回路、等としても参照されてよい。トランシーバ１５２０は、少なくとも１つのアンテナ及び無線周波数ユニットを含んでよい。トランシーバ１５２０は、無線周波数信号を送信し及び受信し、無線周波数信号とベースバンド信号との間の変換を実行するよう構成されてよい。
【０２４２】
任意で、通信装置は、ベースバンドユニット（baseband  unit,  BBU）を含んでよく、ベースバンドユニットはプロセッサ１５１０を含む。ベースバンドユニットは、チャネル符号化、多重化、変調、又はスペクトル拡散のようなベースバンド処理を実行し、ネットワーク装置を制御するよう構成されてよい。トランシーバ１５２０及びベースバンドユニットは、物理的に一緒に配置されてよく、又は物理的に別個に配置されてよく、つまり、通信装置は分散型ネットワーク装置である。
【０２４３】
一例では、ベースバンドユニットは、１つ以上のボードを含んでよい。複数のボードは、単一のアクセス標準の無線アクセスネットワークを共同でサポートしてよく、又は異なるアクセス標準の無線アクセスネットワークをそれぞれサポートしてよい。
【０２４４】
一例では、ベースバンドユニットは、前述の機能エンティティＤＵ及び前述の機能エンティティＣＵとして再構成されてよい。
【０２４５】
ベースバンドユニットは、プロセッサ１５１０を含む。プロセッサ１５１０は、前述の方法の実施形態における対応する動作を実行するよう通信装置を制御するよう構成されてよい。任意で、ベースバンドユニットは、必要な命令及び必要なデータを格納するよう構成されるメモリを更に含んでよい。
【０２４６】
一実施形態では、プロセッサ１５１０は第１指示情報を決定するよう構成され、第１指示情報は第２同期信号ブロックのリソース位置を示し、第２同期信号ブロックは制御情報に関連付けられ、トランシーバ１５２０は第１同期信号ブロックを送信するよう構成され、第１同期信号ブロック内の物理ブロードキャストチャネルはプロセッサ１５１０により決定された第１指示情報を運ぶ。
【０２４７】
任意で、プロセッサ１５１０は、具体的に、第１同期信号ブロックが制御情報に関連付けられていないとき、第１指示情報を決定するよう構成される。
【０２４８】
任意で、プロセッサ１５１０は、第１同期信号ブロックの伝送モードを決定するよう更に構成され、伝送モードは、第１同期信号ブロックが制御情報に関連付けられているか否かを示し、トランシーバ１５２０は、具体的に、伝送モードに基づき第１同期信号ブロックを送信するよう構成される。
【０２４９】
任意で、プロセッサ１５１０は、具体的に、第１同期信号ブロックの伝送モードが、第１同期信号ブロック内の同期信号シーケンスの周波数ドメインマッピングモードを含むとき、第１同期信号ブロックが制御情報と関連付けられているとき、マッピングモードが複数の所定のマッピングモードのうちの第１マッピングモードであることを決定し、及び／又は、第１同期信号ブロックが制御情報と関連付けられていないとき、マッピングモードが複数の所定のマッピングモードのうちの第２マッピングモードであることを決定するよう構成される。
【０２５０】
任意で、プロセッサ１５１０は、具体的に、第１同期信号ブロックの伝送モードが、第１同期信号ブロックの伝送シンボルに変調される直交カバーコードの値を含むとき、第１同期信号ブロックが制御情報と関連付けられているとき、直交カバーコードの値が複数の所定の値のうちの第１の値であることを決定し、及び／又は、第１同期信号ブロックが制御情報と関連付けられていないとき、直交カバーコードの値が複数の所定の値のうちの第２の値であることを決定するよう構成される。
【０２５１】
任意で、プロセッサ１５１０は、具体的に、第１同期信号ブロックの伝送モードが第１同期信号ブロックにより使用される同期信号識別子の属する範囲を含むとき、第１同期信号ブロックが制御情報と関連付けられているとき、第１同期信号ブロックにより使用される同期信号識別子が第１サブセットに属することを決定し、及び／又は、第１同期信号ブロックが制御情報と関連付けられていないとき、第１同期信号ブロックにより使用される同期信号識別子が第２サブセットに属することを決定するよう構成される。
【０２５２】
任意で、プロセッサ１５１０は、具体的に、第１同期信号ブロックが制御情報に関連付けられているとき、第１同期信号ブロックにより使用される同期信号識別子が第１同期信号ブロックの同期信号識別子であることを決定し、及び／又は、第１同期信号ブロックが制御情報に関連付けられていないとき、第１同期信号ブロックにより使用される同期信号識別子が第１同期信号ブロックの同期信号識別子と所定の値との和であることを決定し、又は、第１同期信号ブロックが制御情報に関連付けられているとき、第１同期信号ブロックにより使用される同期信号識別子は第１同期信号ブロックの同期信号識別子と所定の値との和であることを決定し、及び／又は、第１同期信号ブロックが制御情報に関連付けられていないとき、第１同期信号ブロックにより使用される同期信号識別子は第１同期信号ブロックの同期信号識別子であることを決定するよう構成される。
【０２５３】
所定の値は、第１同期信号ブロックの同期信号識別子の値範囲の中の最大値と最小値との間の差より大きい。
【０２５４】
任意で、プロセッサ１５１０は、具体的に、第１同期信号ブロックの伝送モードが第１同期信号ブロック内の物理ブロードキャストチャネルにより使用される巡回冗長検査ＣＲＣマスクを含むとき、第１同期信号ブロックが制御情報と関連付けられているとき、ＣＲＣマスクが複数の所定のＣＲＣマスクのうちの第１ＣＲＣマスクであることを決定し、及び／又は、第１同期信号ブロックが制御情報と関連付けられていないとき、ＣＲＣマスクが複数の所定のＣＲＣマスクのうちの第２ＣＲＣマスクであることを決定するよう構成される。
【０２５５】
任意で、プロセッサ１５１０は、具体的に、第１同期信号ブロックの伝送モードが第１同期信号ブロック内の物理ブロードキャストチャネルにより使用されるスクランブリングシーケンスを含むとき、第１同期信号ブロックが制御情報と関連付けられているとき、スクランブリングシーケンスが複数の所定のスクランブリングシーケンスのうちの第１スクランブリングシーケンスであることを決定し、及び／又は、第１同期信号ブロックが制御情報と関連付けられていないとき、スクランブリングシーケンスが複数の所定のスクランブリングシーケンスのうちの第２スクランブリングシーケンスであることを決定するよう構成される。
【０２５６】
任意で、物理ブロードキャストチャネルは、第２指示情報を更に運び、第２指示情報は、第１同期信号ブロックが制御情報に関連付けられているか否かを示す。
【０２５７】
任意で、第１指示情報は物理ブロードキャストチャネルの予約フィールド内で運ばれる。
【０２５８】
任意で、物理ブロードキャストチャネルは３個のフィールドを含み、第１フィールドは、第１同期信号ブロックが制御情報に関連付けられているときにのみ有効であり、第２フィールドは、第１同期信号ブロックが制御情報に関連付けられていないときにのみ有効であり、第２フィールドは第１指示情報を運び、第３フィールドは、第１同期信号ブロックが制御情報に関連付けられているとき又は第１同期信号ブロックが制御情報に関連付けられていないときに有効である。
【０２５９】
任意で、物理ブロードキャストチャネル内の第１フィールドにより占有されるビットは、物理ブロードキャストチャネル内の第２フィールドにより占有されるビットと部分的に又は完全に重なり合う。
【０２６０】
任意で、物理ブロードキャストチャネルは、第３指示情報を更に運び、第３指示情報は、第１同期信号ブロックの同期信号識別子が第２同期信号ブロックの同期信号識別子と同じであるか否かを示す。
【０２６１】
任意で、物理ブロードキャストチャネルは、第４指示情報を更に運び、第４指示情報は、第２同期信号ブロックの同期信号識別子を示す。
【０２６２】
任意で、リソース位置は、帯域幅内の第２同期信号ブロックの絶対位置、又は第１同期信号ブロックに対する相対位置である。
【０２６３】
別の実施形態では、プロセッサ１５１０は、第１同期信号ブロックの伝送モードを決定するよう構成され、伝送モードは、第１同期信号ブロックが制御情報に関連付けられているか否かを示し、トランシーバ１５２０は、伝送モードに基づき第１同期信号ブロックを送信するよう構成される。
【０２６４】
任意で、第１同期信号ブロックの伝送モードが、第１同期信号ブロック内の同期信号シーケンスの周波数ドメインマッピングモードを含み、プロセッサ１５１０は、具体的に、第１同期信号ブロックが制御情報と関連付けられているとき、マッピングモードが複数の所定のマッピングモードのうちの第１マッピングモードであることを決定し、及び／又は、第１同期信号ブロックが制御情報と関連付けられていないとき、マッピングモードが複数の所定のマッピングモードのうちの第２マッピングモードであることを決定するよう構成される。
【０２６５】
任意で、第１同期信号ブロックの伝送モードが、第１同期信号ブロックの伝送シンボルに変調される直交カバーコードの値を含むとき、プロセッサ１５１０は、具体的に、第１同期信号ブロックが制御情報と関連付けられているとき、直交カバーコードの値が複数の所定の値のうちの第１の値であることを決定し、及び／又は、第１同期信号ブロックが制御情報と関連付けられていないとき、直交カバーコードの値が複数の所定の値のうちの第２の値であることを決定するよう構成される。
【０２６６】
任意で、第１同期信号ブロックの伝送モードが第１同期信号ブロックにより使用される同期信号識別子の属する範囲を含み、プロセッサ１５１０は、具体的に、第１同期信号ブロックが制御情報と関連付けられているとき、第１同期信号ブロックにより使用される同期信号識別子が第１サブセットに属することを決定し、及び／又は、第１同期信号ブロックが制御情報と関連付けられていないとき、第１同期信号ブロックにより使用される同期信号識別子が第２サブセットに属することを決定するよう構成される。
【０２６７】
任意で、プロセッサ１５１０は、具体的に、第１同期信号ブロックが制御情報に関連付けられているとき、第１同期信号ブロックにより使用される同期信号識別子が第１同期信号ブロックの同期信号識別子であることを決定し、及び／又は、第１同期信号ブロックが制御情報に関連付けられていないとき、第１同期信号ブロックにより使用される同期信号識別子が第１同期信号ブロックの同期信号識別子と所定の値との和であることを決定し、又は、第１同期信号ブロックが制御情報に関連付けられているとき、第１同期信号ブロックにより使用される同期信号識別子は第１同期信号ブロックの同期信号識別子と所定の値との和であることを決定し、及び／又は、第１同期信号ブロックが制御情報に関連付けられていないとき、第１同期信号ブロックにより使用される同期信号識別子は第１同期信号ブロックの同期信号識別子であることを決定するよう構成される。
【０２６８】
所定の値は、第１同期信号ブロックの同期信号識別子の値範囲の中の最大値と最小値との間の差より大きい。
【０２６９】
任意で、第１同期信号ブロックの伝送モードは、第１同期信号ブロック内の物理ブロードキャストチャネルにより使用されるＣＲＣマスクを含み、プロセッサ１５１０は、具体的に、第１同期信号ブロックが制御情報と関連付けられているとき、ＣＲＣマスクが複数の所定のＣＲＣマスクのうちの第１ＣＲＣマスクであることを決定し、及び／又は、第１同期信号ブロックが制御情報と関連付けられていないとき、ＣＲＣマスクが複数の所定のＣＲＣマスクのうちの第２ＣＲＣマスクであることを決定するよう構成される。
【０２７０】
任意で、第１同期信号ブロックの伝送モードは、第１同期信号ブロック内の物理ブロードキャストチャネルにより使用されるスクランブリングシーケンスを含み、プロセッサ１５１０は、具体的に、第１同期信号ブロックが制御情報と関連付けられているとき、スクランブリングシーケンスが複数の所定のスクランブリングシーケンスのうちの第１スクランブリングシーケンスであることを決定し、及び／又は、第１同期信号ブロックが制御情報と関連付けられていないとき、スクランブリングシーケンスが複数の所定のスクランブリングシーケンスのうちの第２スクランブリングシーケンスであることを決定するよう構成される。
【０２７１】
図１６は、本発明の別の実施形態による通信装置の概略図である。通信装置は、方法の実施形態における第２装置に対応してよく、方法における第２装置の任意の機能を有してよい。
【０２７２】
図１６に示されるように、通信装置はプロセッサ１６１０とトランシーバ１６２０とを含む。
【０２７３】
任意で、トランシーバ１６２０は、制御回路とアンテナとを含んでよい。制御回路は、ベースバンド信号と無線周波数信号との間の変換を実行し、無線周波数信号を処理するよう構成されてよい。アンテナは、無線周波数信号を受信し及び送信するよう構成されてよい。
【０２７４】
任意で、通信装置は、端末装置の他の主要なコンポーネント、例えばメモリ及び入力／出力機器を更に含んでよい。
【０２７５】
プロセッサ１６１０は、通信プロトコル及び通信データを処理し、通信装置全体を制御し、ソフトウェアプログラムを実行し、ソフトウェアプログラムのデータを処理するよう構成され、例えば、前述の方法の実施形態における対応する動作を実行する際に通信装置をサポートするよう構成されてよい。メモリは、主に、ソフトウェアプログラム及びデータを格納するよう構成される。通信装置が起動された後に、プロセッサ１６１０は、ソフトウェアプログラムをメモリから読み出し、ソフトウェアプログラムの命令を解釈し及び実行し、ソフトウェアプログラムのデータを処理してよい。
【０２７６】
一実施形態では、トランシーバ１６２０は、第１同期信号ブロックを受信するよう構成され、プロセッサは、トランシーバ１６２０により受信された第１同期信号ブロックが制御情報に関連付けられていないことを決定し、第１同期信号ブロック内の物理ブロードキャストチャネルで運ばれた第１指示情報を取得するよう構成され、第１指示情報は、第２同期信号ブロックのリソース位置を示し、第２同期信号ブロックは制御情報に関連付けられ、トランシーバ１６２０は、プロセッサ１６１０により取得された第１指示情報に基づき、制御情報を受信するよう構成される。
【０２７７】
任意で、プロセッサ１６１０は、第１同期信号ブロックが制御情報に関連付けられていることを決定するよう更に構成され、トランシーバ１６２０は、第１同期信号ブロックに基づき制御情報を受信するよう更に構成される。
【０２７８】
任意で、プロセッサ１６１０は、具体的に、第１同期信号ブロックの伝送モードが、第１同期信号ブロックが制御情報に関連付けられているか否かを示すとき、第１同期信号ブロックの伝送モードに基づき、第１同期信号ブロックが制御情報に関連付けられているか否かを決定するよう構成される。
【０２７９】
任意で、プロセッサ１６１０は、具体的に、第１同期信号ブロックの伝送モードが第１同期信号ブロック内の同期信号シーケンスの周波数ドメインマッピングモードを含むとき、マッピングモードが複数の所定のマッピングモードのうちの第１マッピングモードであるとき、第１同期信号ブロックが制御情報に関連付けられていることを決定し、及び／又は、マッピングモードが複数の所定のマッピングモードのうちの第２マッピングモードであるとき、第１同期信号ブロックが制御情報に関連付けられていないことを決定するよう構成される。
【０２８０】
任意で、プロセッサ１６１０は、具体的に、第１同期信号ブロックの伝送モードが第１同期信号ブロックの伝送シンボルに変調される直交カバーコードの値を含むとき、直交カバーコードの値が複数の所定の値のうちの第１の値であるとき、第１同期信号ブロックが制御情報に関連付けられていることを決定し、及び／又は、直交カバーコードの値が複数の所定の値のうちの第２の値であるとき、第１同期信号ブロックが制御情報に関連付けられていないことを決定するよう構成される。
【０２８１】
任意で、プロセッサ１６１０は、具体的に、第１同期信号ブロックの伝送モードが第１同期信号ブロックにより使用される同期信号識別子の属する範囲を含むとき、第１同期信号ブロックにより使用される同期信号識別子が第１サブセットに属するとき、第１同期信号ブロックが制御情報に関連付けられていることを決定し、及び／又は、第１同期信号ブロックにより使用される同期信号識別子が第２サブセットに属するとき、第１同期信号ブロックが制御情報に関連付けられていないことを決定するよう構成される。
【０２８２】
任意で、プロセッサ１６１０は、具体的に、第１同期信号ブロックの伝送モードが第１同期信号ブロック内の物理ブロードキャストチャネルにより使用される巡回冗長検査ＣＲＣマスクを含むとき、ＣＲＣマスクが複数の所定のＣＲＣマスクのうちの第１ＣＲＣマスクであるとき、第１同期信号ブロックが制御情報に関連付けられていることを決定し、及び／又は、ＣＲＣマスクが複数の所定のＣＲＣマスクのうちの第２ＣＲＣマスクであるとき、第１同期信号ブロックが制御情報に関連付けられていないことを決定するよう構成される。
【０２８３】
任意で、プロセッサ１６１０は、具体的に、第１同期信号ブロックの伝送モードが第１同期信号ブロック内の物理ブロードキャストチャネルにより使用されるスクランブリングシーケンスを含むとき、スクランブリングシーケンスが複数の所定のスクランブリングシーケンスのうちの第１スクランブリングシーケンスであるとき、第１同期信号ブロックが制御情報に関連付けられていることを決定し、及び／又は、スクランブリングシーケンスが複数の所定のスクランブリングシーケンスのうちの第２スクランブリングシーケンスであるとき、第１同期信号ブロックが制御情報に関連付けられていないことを決定するよう構成される。
【０２８４】
任意で、プロセッサ１６１０は、具体的に、物理ブロードキャストチャネルが第２指示情報を運び、第２指示情報が、第１同期信号ブロックが制御情報に関連付けられているか否かを示すとき、第２指示情報に基づき、第１同期信号ブロックが制御情報に関連付けられているか否かを決定するよう構成される。
【０２８５】
任意で、第１指示情報は物理ブロードキャストチャネルの予約フィールド内で運ばれる。
【０２８６】
任意で、物理ブロードキャストチャネルは３個のフィールドを含み、第１フィールドは、第１同期信号ブロックが制御情報に関連付けられているときにのみ有効であり、第２フィールドは、第１同期信号ブロックが制御情報に関連付けられていないときにのみ有効であり、第２フィールドは第１指示情報を運び、第３フィールドは、第１同期信号ブロックが制御情報に関連付けられているとき又は第１同期信号ブロックが制御情報に関連付けられていないときに有効である。
【０２８７】
任意で、物理ブロードキャストチャネル内の第１フィールドにより占有されるビットは、物理ブロードキャストチャネル内の第２フィールドにより占有されるビットと部分的に又は完全に重なり合う。
【０２８８】
任意で、物理ブロードキャストチャネルは第３指示情報を運び、第３指示情報は、第１同期信号ブロックの同期信号識別子が第２同期信号ブロックの同期信号識別子と同じか否かを示し、プロセッサ１６１０は、第３指示情報に基づき、第１同期信号ブロックの同期信号識別子が第２同期信号ブロックの同期信号識別子と同じか否かを決定するよう更に構成される。
【０２８９】
任意で、物理ブロードキャストチャネルは第４指示情報を運び、第４指示情報は、第２同期信号ブロックの同期信号識別子を示し、プロセッサ１６１０は、第４指示情報に基づき、第２同期信号ブロックの同期信号識別子を決定するよう更に構成される。
【０２９０】
任意で、リソース位置は、帯域幅内の第２同期信号ブロックの絶対位置、又は第１同期信号ブロックに対する相対位置である。
【０２９１】
一実施形態では、トランシーバ１６２０は、第１同期信号ブロックを受信するよう構成され、プロセッサ１６１０は、第１同期信号ブロックの伝送モードに基づき、第１同期信号ブロックが制御情報に関連付けられているか否かを決定するよう構成される。
【０２９２】
任意で、第１同期信号ブロックの伝送モードは、第１同期信号ブロック内の同期信号シーケンスの周波数ドメインマッピングモードを含み、プロセッサ１６１０は、具体的に、マッピングモードが複数の所定のマッピングモードのうちの第１マッピングモードであるとき、第１同期信号ブロックが制御情報に関連付けられていることを決定し、及び／又は、マッピングモードが複数の所定のマッピングモードのうちの第２マッピングモードであるとき、第１同期信号ブロックが制御情報に関連付けられていないことを決定するよう構成される。
【０２９３】
任意で、第１同期信号ブロックの伝送モードは、第１同期信号ブロックの伝送シンボルに変調される直交カバーコードの値を含み、プロセッサ１６１０は、具体的に、直交カバーコードの値が複数の所定の値のうちの第１の値であるとき、第１同期信号ブロックが制御情報に関連付けられていることを決定し、及び／又は、直交カバーコードの値が複数の所定の値のうちの第２の値であるとき、第１同期信号ブロックが制御情報に関連付けられていないことを決定するよう構成される。
【０２９４】
任意で、第１同期信号ブロックの伝送モードは、第１同期信号ブロックにより使用される同期信号識別子の属する範囲を含み、プロセッサ１６１０は、具体的に、第１同期信号ブロックにより使用される同期信号識別子が第１サブセットに属するとき、第１同期信号ブロックが制御情報に関連付けられていることを決定し、及び／又は、第１同期信号ブロックにより使用される同期信号識別子が第２サブセットに属するとき、第１同期信号ブロックが制御情報に関連付けられていないことを決定するよう構成される。
【０２９５】
任意で、第１同期信号ブロックの伝送モードは、第１同期信号ブロック内の物理ブロードキャストチャネルにより使用されるＣＲＣマスクを含み、プロセッサ１６１０は、具体的に、ＣＲＣマスクが複数の所定のＣＲＣマスクのうちの第１ＣＲＣマスクであるとき、第１同期信号ブロックが制御情報に関連付けられていることを決定し、及び／又は、ＣＲＣマスクが複数の所定のＣＲＣマスクのうちの第２ＣＲＣマスクであるとき、第１同期信号ブロックが制御情報に関連付けられていないことを決定するよう構成される。
【０２９６】
任意で、第１同期信号ブロックの伝送モードは、第１同期信号ブロック内の物理ブロードキャストチャネルにより使用されるスクランブリングシーケンスを含み、プロセッサ１６１０は、具体的に、スクランブリングシーケンスが複数の所定のスクランブリングシーケンスのうちの第１スクランブリングシーケンスであるとき、第１同期信号ブロックが制御情報に関連付けられていることを決定し、及び／又は、スクランブリングシーケンスが複数の所定のスクランブリングシーケンスのうちの第２スクランブリングシーケンスであるとき、第１同期信号ブロックが制御情報に関連付けられていないことを決定するよう構成される。
【０２９７】
任意で、トランシーバ１６２０は、第１同期信号ブロックが制御情報に関連付けられているとき、第１同期信号ブロックに基づき制御情報を受信するよう更に構成される。
【０２９８】
理解されるべきことに、本発明の実施形態におけるプロセッサ１５１０又はプロセッサ１６１０は、処理ユニット又はチップを用いて実装されてよい。任意で、処理ユニットは、実装過程で複数のユニットを含んでよい。
【０２９９】
理解されるべきことに、本発明の実施形態におけるトランシーバ１５２０又はトランシーバ１６２０は、トランシーバユニット又はチップを用いて実装されてよい。任意で、トランシーバ１５２０又はトランシーバ１６２０は、送信機又は受信機を含んでよく、又は送信ユニット又は受信ユニットを含んでよい。
【０３００】
理解されるべきことに、本発明の実施形態におけるプロセッサ１５１０及びトランシーバ１５２０はチップを用いて実装されてよく、プロセッサ１６１０及びトランシーバ１６２０はチップを用いることによりチップにより実装されてよい。
【０３０１】
任意で、通信装置は、メモリを更に含んでよい。メモリは、プログラムコードを格納してよく、プロセッサは、通信装置の対応する機能を実施するために、メモリに格納されたプログラムコードを呼び出す。任意で、プロセッサ及びメモリはチップを用いて実装されてよい。
【０３０２】
本発明の一実施形態は、プロセッサとインタフェースとを含む処理機器を更に提供する。
【０３０３】
プロセッサは、本発明の前述の実施形態における方法を実行するよう構成される。
【０３０４】
処理機器はチップであってよい。プロセッサは、ハードウェア又はソフトウェアにより実装されてよい。プロセッサがハードウェアにより実装されるとき、プロセッサは論理回路、集積回路、等であってよい。プロセッサがソフトウェアにより実装されるとき、プロセッサは、汎用プロセッサであってよく、メモリに格納されたソフトウェアコードを読み出すことにより実装される。メモリは、プロセッサに統合されてよく、又はプロセッサの外部に独立して存在してよい。
【０３０５】
例えば、処理機器は、フィールドプログラマブルゲートアレイ（Field-Programmable  Gate  Array,  FPGA）、特定用途向け集積回路（Application  Specific  Integrated  Circuit,  ASIC）、システムオンチップ（System  on  Chip,  SoC）、中央処理ユニット（Central  Processor  Unit,  CPU）、ネットワークプロセッサ（Network  Processor,  NP）、デジタル信号プロセッサ（Digital  Signal  Processor,  DSP）、マイクロコントローラユニット（Micro  Controller  Unit,  MCU）、プログラマブル論理素子（Programmable  Logic  Device,  PLD）、又は別の集積チップであってよい。
【０３０６】
本発明の一実施形態は、処理ユニットとトランシーバユニットとを含む通信装置を更に提供する。処理ユニット及びトランシーバユニットは、ソフトウェアにより実装されてよく、又はハードウェアにより実装されてよい。ハードウェアにより実装されるとき、処理ユニットは図１５のプロセッサ１５１０であってよく、トランシーバユニットは図１５のトランシーバ１５２０であってよく、又は、処理ユニットは図１６のプロセッサ１６１０であってよく、トランシーバユニットは図１６のトランシーバ１６２０であってよい。
【０３０７】
本発明の一実施形態は、前述の第１装置と前述の第２装置とを含む通信システムを更に提供する。
【０３０８】
以下は、本願の実施形態における添付の図面を参照して、本願の実施形態における技術的ソリューションを明確に且つ完全に説明する。
【０３０９】
図１７は、本願の実施形態が適用されるネットワークアーキテクチャの簡易概略構造図である。ネットワークアーキテクチャは、無線通信システムのネットワークアーキテクチャであってよく、ネットワーク装置と端末装置とを含んでよい。ネットワーク装置及び端末装置は、無線通信技術を用いて接続される。留意すべきことに、図１７に示す端末装置及びネットワーク装置の数及び形式は、本願の実施形態に対する限定を構成しない。異なる実装では、１つのネットワーク装置が１つ以上の端末装置に接続されてよい。ネットワーク装置は、コアネットワーク装置に更に接続されてよく、コアネットワーク装置は図１に示されない。
【０３１０】
留意すべきことに、本願の本実施形態における無線通信システムは、狭帯域モノのインターネット（narrow  band-internet  of  things,  NB-IoT）システム、グローバルシステムフォーモバイルコミュニケーションズ（global  system  for  mobile  communications,  GSM）、GSM革新のための強化データレート（enhanced  data  rate  for  GSM  evolution,  EDGE）システム、広帯域符号分割多元接続（wideband  code  division  multiple  access,  WCDMA）システム、符号分割多元接続２０００（code  division  multiple  access,  CDMA  ２０００）システム、時分割同期符号分割多元接続（time  division-synchronization  code  division  multiple  access,  TD-SCDMA）システム、ロングタームエボリューション（long  term  evolution,  LTE）システム、第５世代移動通信システム、及び将来の移動通信システムを含むが、これらに限定されない。
【０３１１】
本願では、用語「ネットワーク」及び「システム」は同義的に使用されることがあるが、当業者は用語の意味を理解できる。さらに、本明細書における幾つかの英語の略語は、ＬＴＥシステムを一例として使用することによる本願の実施形態の説明であり、英語の略語はネットワークの進化と共に変化し得る。
特定の進化については、対応する標準の中の説明を参照する。
【０３１２】
図１８は、本願の一実施形態によるページングメッセージ伝送方法の概略フローチャートである。方法は、ネットワーク装置と端末装置との間の相互作用を通じて実施される。ネットワーク装置は、セルラネットワーク内の基地局であってよく、又はＷｉ-Ｆｉ内の無線アクセスポイントであってよい。
【０３１３】
１８０１：ネットワーク装置は、ページングメッセージを伝送するために使用される周波数ドメインリソースを構成する。
【０３１４】
１８０２：ネットワーク装置は、ページング指示情報を端末装置へ送信する。ここで、ページング指示情報は、ページングメッセージを伝送するために使用される周波数ドメインリソースを示すために使用される。
【０３１５】
１８０３：端末装置は、ページング指示情報を受信し、ページング指示情報に基づきページングメッセージを取得する。
【０３１６】
以下は、ステップ１８０１を詳細に説明する。
【０３１７】
ページングメッセージを伝送するために使用される周波数ドメインリソースは、帯域幅部分（bandwidth,  BWP）であってよい。通常、１つのＢＷＰは１つの端末装置に対応する。初期アクセス中、デフォルトＢＷＰ帯域幅又はサブバンドが端末装置に割り当てられる。異なる実装では、ＢＷＰは連続する物理リソースブロック（Physical  Resource  Block,  PRB）のグループを含んでよく、BWPは、単一の広帯域キャリア（single  wideband  carrier）上のサブバンドであってよく、又はBWPはキャリアアグリゲーション（carrier  aggregation,  CA）におけるCC帯域幅であってよい。
【０３１８】
以下は、ステップ１８０２を詳細に説明する。
【０３１９】
一実装では、ページング指示情報は、ページング参照識別子であってよい。ページング指示情報又はページング参照識別子かに関わらず、ページング指示情報又はページング参照識別子の機能は、ページングメッセージの存在を示すこと、又はページングメッセージの位置を示すことであることが理解できる。前述の名称は、説明のための単なる例であり、情報を限定することを意図しない。以下は、ページング参照識別子を説明のための例として使用する。
【０３２０】
異なる実装では、ネットワーク装置は、ページング参照識別子を送信のために異なるシグナリングに追加してよい。以下は、異なるシグナリングの例示的な説明を提供する。
【０３２１】
（１）ネットワーク装置は、ページング参照識別子を送信のために同期信号ブロック（synchronization  signal  block,  SSB）に追加する。具体的に、ページング参照識別子は、ＳＳＢの物理ブロードキャストチャネル（physical  broadcast  channel,  PBCH）で運ばれる。可能な実装では、ＰＢＣＨで運ばれるページング参照識別子は、関連付けられたページングメッセージが存在するか否かを示すために使用される。ＳＳＢを見付けると、端末装置は、ＳＳＢ内のページング参照識別子に基づき、見付けたＳＳＢが関連付けられたページングメッセージを有するか否かを決定してよい。別の可能な実装では、ＰＢＣＨで運ばれるページング指示情報は、関連付けられたページングメッセージの位置を示すために使用される。ＳＳＢを見付けると、端末は、ＳＳＢ内のページング指示情報に基づき、対応する位置においてページングメッセージを受信してよい。
【０３２２】
（２）ページング参照識別子は、代替として、ＰＢＣＨ上のキャンプオン利用可能（camp  on  available）フラグビットであってよい。ネットワーク装置は、ＳＳＢに関連付けられたページングメッセージを示すために、ＰＢＣＨ上のキャンプオン利用可能フラグビットを再利用する。したがって、ＳＳＢを受信するとき、端末装置は、ＰＢＣＨ上のキャンプオン利用可能フラグビットに基づき、ＳＳＢに関連付けられたページングメッセージが存在するか否かを示す。
【０３２３】
（３）ページング参照識別子は、代替として、送信のために残りのシステム情報（remaining  system  information,  RMSI）内で運ばれてよい。したがって、端末装置は、見付かったＲＭＳＩ内のページング参照識別子に基づき、見付かったＲＭＳＩ内に関連付けられたページングメッセージが存在するか否かを決定してよい。
【０３２４】
（４）ＲＭＳＩがページングメッセージに対応するとき、つまり、ＳＳＢが関連付けられたＲＭＳＩを有するとき、これは、ＳＳＢもページングメッセージに関連付けられていることを示し、又は、ＳＳＢが関連付けられたＲＭＳＩを有しないとき、これは、ＳＳＢが関連付けられたページングメッセージを有しないことを示す。この場合、ページング参照識別子は、ＰＢＣＨ上のＲＭＳＩ存在フラグ（RMSI  presence  flag）であってよく、ネットワーク装置は、ＳＳＢに関連付けられたページングメッセージが存在するか否かを示すために、ＰＢＣＨ上のＲＭＳＩ存在フラグを再利用する。ＲＭＳＩ存在フラグは、ＳＳＢが関連付けられたＲＭＳＩを有するか否かを示すために使用される。したがって、端末装置は、ＳＳＢ内のＰＢＣＨ上の見付かったＲＭＳＩ存在フラグに基づき、見付かったＳＳＢが関連付けられたページングメッセージを有するか否かを決定してよい。
【０３２５】
例えば、ページング参照識別子は、関連付けられたページングメッセージが存在するか否かを識別するために、「０」又は「１」であってよい。ネットワーク装置は、関連付けられたページングメッセージが存在することを示すために「０」を使用し、関連付けられたページングメッセージが存在しないことを示すために「１」を使用してよい。代替として、ネットワーク装置は、関連付けられたページングメッセージが存在することを示すために「１」を使用し、関連付けられたページングメッセージが存在しないことを示すために「０」を使用してよい。
【０３２６】
一実施形態では、ネットワーク装置は、デフォルトＢＷＰ内でページングメッセージを送信する。言い換えると、ページング参照識別子に基づき、ページングメッセージが存在することを決定すると、端末装置は、デフォルトＢＷＰ内のページングメッセージを探索し又は受信してよい。デフォルトＢＷＰは、ＳＳＢを運ぶＢＷＰであってよく、又はデフォルトＢＷＰはＲＭＳＩを運ぶＢＷＰであってよい。
【０３２７】
別の実施形態では、ネットワーク装置はページングメッセージを運ぶＢＷＰを示す。言い換えると、ページング参照識別子に基づき、ページングメッセージが存在することを決定すると、端末装置は、示されたＢＷＰ内のページングメッセージを探索し又は受信してよい。例えば、ページングメッセージを運ぶＢＷＰは、ページングメッセージを運ぶ物理ダウンリンク共有チャネル（physical  downlink  shared  channel,  PDSCH）のＢＷＰであってよい。代替として、ＢＷＰは、ページングメッセージを運び及びスケジューリングするために使用される物理ダウンリンク制御チャネル（physical  downlink  control  channel,  PDCCH）上のＣＯＲＥＳＥＴのＢＷＰであってよい。代替として、ＢＷＰは、ページングメッセージを運ぶＰＤＳＣＨ及びページングメッセージをスケジューリングするために使用されるＰＤＣＣＨ上のＣＯＲＳＥＴのＢＷＰであってよい。ネットワーク装置は、ページング参照識別子を用いてＢＷＰを示してよく、又はネットワーク装置は、端末装置へ、位置を示す情報を送信してよく、その結果、端末装置は、示されたＢＷＰ内のページングメッセージを探索できる。特定の指示方法は以下に説明される。
【０３２８】
一実装では、ネットワーク装置は、複数のＳＳＢ及び複数のＲＭＳＩピースをシステム帯域幅内で送信し、１つのＢＷＰ内でページングメッセージを送信するよう構成されてよい。図１９を参照すると、ネットワーク装置は、３個のＳＳＢ（ＳＳＢ１、ＳＳＢ２、及びＳＳＢ３）を構成し、各ＳＳＢにより占有される帯域幅は、端末装置によりサポートされる最小システム帯域幅である。各ＳＳＢは関連付けられたＲＭＳＩ（associated  RMSI）を有する。ネットワーク装置は、ＳＳＢ１及びＳＳＢ１に関連付けられたＲＭＳＩ１をＢＷＰ１内で送信し、ＳＳＢ２及びＳＳＢ２に関連付けられたＲＭＳＩ２をＢＷＰ２内で送信し、ＳＳＢ３及びＳＳＢ３に関連付けられたＲＭＳＩ３をＢＷＰ３内で送信し、ＢＷＰ２内でページングメッセージを送信するよう構成される。ＳＳＢ１を見付けると、端末装置は、ＳＳＢ１内で示されるＲＭＳＩ指示情報に基づき、ＳＳＢ１に関連付けられたＲＭＳＩ１を運ぶＢＷＰ１を取得し、ＲＭＳＩ１により示されるページング指示情報に基づき、ページングメッセージを運ぶＢＷＰ２を見付け、ＢＷＰ２内のページングメッセージを読み出す。同様に、端末装置は、ＳＳＢ２又はＳＳＢ３に関連付けられた対応するＲＭＳＩに基づき、ページングメッセージを運ぶＢＷＰ２を見付けてよい。
【０３２９】
ネットワーク装置は、また、端末装置にページングを送信し、端末装置は、周波数オフセット情報に基づき、ページングメッセージを送信するために使用されるＢＷＰを取得してよい。具体的に、ＳＳＢ及びＲＭＳＩはそれぞれ、周波数オフセット情報を含む。ＳＳＢ内の周波数オフセット情報は、ＳＳＢを運ぶＢＷＰに対するＲＭＳＩを運ぶＢＷＰのオフセットを示すために使用され、ＲＭＳＩ内の周波数オフセット情報は、ＲＭＳＩを運ぶＢＷＰに対するページング情報を運ぶＢＷＰのオフセットを示すために使用される。したがって、ＳＳＢが見付かると、端末装置は、見付けたＳＳＢ内で示された周波数オフセット情報に基づき、ＲＭＳＩを運び且つＳＳＢに対応するＢＷＰを探索し、ＲＭＳＩ内で示され且つＲＭＳＩのＢＷＰに対するページングを送信するために使用されるＢＷＰの周波数オフセット情報に基づき、ページングメッセージ（ページング）を運ぶＢＷＰを見付けてよい。したがって、ページングメッセージはＢＷＰ内で読み出されてよい。周波数オフセット情報は一例として以下に説明される。
【０３３０】
異なる実装では、ページングメッセージを送信するためのユーザのＢＷＰはＲＭＳＩを運ぶＢＷＰの中心周波数チャネル番号と同じ又は異なってよいことが理解できる。
【０３３１】
別の実装では、ネットワーク装置は、１つのＲＭＳＩピースをシステム帯域幅内で構成し、１つのＢＷＰ内でページングメッセージを送信する。ネットワーク装置が複数の同期信号ブロックを構成し及び１つのＲＭＳＩピースを構成するとき、ページング指示情報は、送信のために該ＲＭＳＩピースで運ばれ、同期信号ブロックの各々はＲＭＳＩ指示情報を含み、ＲＭＳＩ指示情報は、端末装置に、ＲＭＳＩピースの位置を示すために使用される。図２０を参照すると、ネットワーク装置は、３個のＳＳＢ（ＳＳＢ１、ＳＳＢ２、及びＳＳＢ３）を構成し、各ＳＳＢにより占有される帯域幅は、端末装置によりサポートされる最小システム帯域幅である。ＲＭＳＩピースはＳＳＢ２に関連付けられる。ネットワーク装置は、任意のＢＷＰ内でＲＭＳＩを送信するよう構成してよい。本実施形態では、ネットワーク装置はＢＷＰ２内でＲＭＳＩを伝送する。ネットワーク装置は代替として別の実施形態ではＢＷＰ１又はＢＷＰ３内でＲＭＳＩを伝送するよう構成してよく、ネットワーク装置は代替として別の実装では別のＢＷＰ内でＲＭＳＩを伝送してよいことが理解できる。これは、本願において限定されない。さらに、図２０で、ページング情報を送信するために使用されるＢＷＰの中心周波数チャネル番号は、ＲＭＳＩを運ぶＢＷＰの中心周波数チャネル番号と同じであってよい。しかしながら、ページング情報を送信するために使用されるＢＷＰの中心周波数チャネル番号は、代替として、ＲＭＳＩを運ぶＢＷＰの中心周波数チャネル番号と異なってよい。
【０３３２】
各ＳＳＢ内のＰＢＣＨは、ＲＭＳＩピースを示すために、ＲＭＳＩピースの位置を示すＲＭＳＩ指示情報を運ぶ。ＳＳＢを見付けると、端末は、ＳＳＢ内で示されたＲＭＳＩ指示情報に基づき、関連付けられたＲＭＳＩを運ぶＢＷＰを取得し、次に、ＲＭＳＩ内で示されたページングメッセージ指示情報に基づき、ページングメッセージを運ぶＢＷＰを取得する。任意で、ＳＳＢ内のＰＢＣＨがページング情報指示情報を運ぶとき、端末は、ページング情報指示情報に基づきページングメッセージを運ぶＢＷＰを取得してよい。
【０３３３】
ＲＭＳＩ周波数情報はＳＳＢ内で示される。ＳＳＢを見付けた後に、端末は、ＳＳＢを再探索すること及びＳＳＢ同期動作を実行することなく、ＳＳＢにより示される、ＲＭＳＩのＲＭＳＩ指示情報に基づき、ＲＭＳＩを見付けてよい。これは複雑性を低減する。
【０３３４】
別の実施形態では、ネットワーク装置が複数の同期信号ブロック及び１つのＲＭＳＩピースを構成し、ＳＳＢのうちの１つ（以後、略して第１ＳＳＢとして参照される）が関連付けられたＲＭＳＩを有するとき、ページング指示情報は送信のためにＲＭＳＩピース内で運ばれる。複数の同期信号ブロックは、第１ＲＭＳＩに関連付けられた１個の第１同期信号ブロックを含み、第１同期信号ブロックはＲＭＳＩ指示情報を含み、ＲＭＳＩ指示情報は端末装置にＲＭＳＩの位置を示すために使用される。複数の同期信号ブロックのうちの第１同期信号ブロック以外の同期信号ブロックは、第２同期信号ブロックである。第２同期信号ブロックは、第１同期信号ブロックの指示情報を含み、第１同期信号ブロックの指示情報は、第２同期信号ブロックに対する第１同期信号ブロックの位置を示すために使用される。ネットワーク装置が複数のＳＳＢを構成するとき、第１ＳＳＢ以外の別の第２ＳＳＢは、第１同期信号ブロックの指示情報を運ぶ必要がある。第１同期信号ブロックの指示情報は、第１ＳＳＢに対する周波数オフセットを示すために使用される。その結果、別のＳＳＢは第１ＳＳＢの位置を取得できる。図２１のＳＳＢ１、ＳＳＢ２、及びＳＳＢ３は、一例として使用される。ＳＳＢ２が第１ＳＳＢである、つまりＳＳＢ２が関連付けられたＲＭＳＩを有すると仮定すると、ＳＳＢ１及びＳＳＢ３はそれぞれＳＳＢ２のＳＳＢ指示情報を運ぶ。したがって、ＳＳＢ１を見付けると、端末装置は、ＳＳＢ１内で運ばれるＳＳＢ指示情報に基づきＳＳＢ２を取得してよく、ＳＳＢ２に関連付けられたＲＭＳＩに基づきページングメッセージの位置を更に取得して、対応する位置においてページングメッセージを探索し又は受信してよい。端末装置は、さらに、ＳＳＢ３を受信すると、同様の動作を実行する。
【０３３５】
ＲＭＳＩ指示情報を含むＳＳＢ２の位置オフセットは、ＲＭＳＩ指示情報を含まないＳＳＢ内で示される。ＳＳＢを見付けた後に、ＵＥは、ＳＳＢ内の位置オフセット情報に基づき、ＲＭＳＩ指示情報を運ぶＳＳＢのＢＷＰを見付け、ページングメッセージを送信するために使用されるＢＷＰの位置を更に見付けてよい。これは、端末装置によるＳＳＢに対するブラインド検出の実行のための時間量を削減し、端末装置の複雑性を低減する。
【０３３６】
理解されるべきことに、本実施形態は、ＲＭＳＩを運ぶＢＷＰがデフォルトＳＳＢを運ぶＢＷＰと同じであるシナリオに限定されない。言い換えると、ＲＭＳＩを運ぶＢＷＰがＳＳＢを運ぶＢＷＰと異なるとき、ネットワーク装置は、依然として、本実施形態の方法での実装を実行するために、ＳＳＢとデフォルトＳＳＢとして構成してよい。
【０３３７】
また別の実施形態では、ネットワーク装置は、複数のＢＷＰでページングメッセージを送信するよう構成し、複数の構成されたＢＷＰで送信されるページングメッセージは繰り返されない。端末は、ＲＭＳＩ内のページング構成情報に基づき、ページング情報を送信するようスケジューリングされるＢＷＰを取得する。ここで、ページング構成情報は、キャリア上にありページングメッセージを送信するために使用されるアクティブにされたＢＷＰの数Ｎｎ、ページングメッセージ及び／又はページング指示情報を送信するために使用されるＢＷＰの数（paging  channel  index,  PCHI）、を含む。
【０３３８】
具体的に、ページングメッセージを送信するために使用されるＰＣＨＩは、次式を満たす。
【数１】
2020536429.tif 000003
【０３３９】
【数２】
2020536429.tif 000004
ｎＢ及びＴは、間欠受信（discontinuous  reception,  DRX）パラメータである。具体的に、ＴはＤＲＸサイクル（cycle）を表す。アイドル（idle）状態のＵＥは、間隔Ｔでページングメッセージをリッスンする。ｎＢは各ＤＲＸサイクルの中のページング機会（Paging  Occasion,  PO）の数を表す。１回のＰＯはページングメッセージの１回の送信を示す。ＵＥ＿ＩＤは、以下の複数の識別子のうちの任意の１つの値に対して固定値によりモジュロ演算が実行された後に取得される値であってよい：国際移動体加入者識別子（international  mobile  subscriber  identity,  IMSI）、国際移動機器識別子（international  mobile  equipment  identity,  IMEI）、一時的移動体加入者識別子（temporary  mobile  subscriber  identity,  TMSI）、無線ネットワーク一時識別子（radio  network  temporary  identifier,  RNTI）、国際移動体加入者識別子（international  mobile  subscriber  identity,  IMSI）、国際移動機器識別子（international  mobile  equipment  identity,  IMEI）、一時的移動体加入者識別子（temporary  mobile  subscriber  identity,  TMSI）、及び無線ネットワーク一時識別子（radio  network  temporary  identifier,  RNTI）。システムは、グループ化された端末に基づき、該端末に対応するＢＷＰ内でページングメッセージを送信する。
【０３４０】
例えば、端末装置は、ページングメッセージを運ぶために使用されるＢＷＰの周波数位置を取得するために、計算を通じて、ＲＭＳＩ内のページングメッセージ構成情報及びＵＥ＿ＩＤに基づき、ページングメッセージを送信するために使用されるスケジューリングされたＢＷＰの数を取得する。ＵＥ＿ＩＤが７２２である端末装置１、及びＵＥ＿ＩＤが７３９である端末装置２は、一例として使用される。Ｔ＝３２、ｎＢ＝Ｔ／２＝１６、Ｎ＝ｍｉｎ（Ｔ，ｎＢ）＝１６、及びＮｓ＝ｍａｘ（１，ｎＢ／Ｔ）＝１の場合、端末装置１のＰＣＨＩ＝ＦＬＯＯＲ（７２２／１６）ＭＯＤ３＝０が取得される。端末装置２は、端末装置２のＰＣＨＩ＝ＦＬＯＯＲ（７３９／１６）ＭＯＤ３＝１を取得するために、ＰＣＨＩに対応するＢＷＰ内のページングメッセージを探索し又は受信する。端末装置２は、ＰＣＨＩに対応するＢＷＰ内のページングメッセージを探索し又は受信する。
【０３４１】
ネットワーク装置は、ページングメッセージを送信するために、広帯域キャリア上に複数のＢＷＰを構成し、ネットワーク装置はユーザをグループ化する。異なるユーザグループは異なるＢＷＰに対応し、ページングメッセージはこれらのＢＷＰで繰り返されない。その結果、ページングリソースが節約される。
【０３４２】
前述のソリューションは、認可（licensed）周波数帯または未認可（unlicensed）周波数帯に適用されてよい。これは、本願において限定されない。しかしながら、未認可周波数帯の適用シナリオでは、複数の異なる通信システムの競合メカニズムがある。以下は、未認可周波数帯の適用シナリオを更に説明する。
【０３４３】
未認可周波数帯では、公平性を保証するために、ネットワーク装置又は端末装置は、データを送信する前に、リッスンビフォートーク（listen  before  talk,  LBT）を実行する必要がある。
【０３４４】
未認可周波数帯の適用シナリオでは、ページングメッセージがページングフレーム（paging  frame,  PF）で運ばれる一例が説明のために使用される。ページングフレームは、ページングメッセージフレームとも呼ばれてよい。ＲＭＳＩは、以下のページングフレームパラメータ：第１時間オフセット値、第２時間間隔、及びページングウインドウ（paging  of  window,  POW）のうちの１つ以上を更に運んでよい。第１時間オフセット値は、無線フレーム（radio  frame,  RF）の開始時点に対するページングフレームのオフセット値であり、第１時間オフセット値は、シンボル、スロット（slot）、又はミニスロット（mini  slot）で測定されてよい。第１時間オフセット値の値はゼロであってよく、対応するページングフレームが無線フレームの開始時点に揃えられることを示す。例えば、ネットワーク装置が複数のＢＷＰでページングメッセージを送信するよう構成するとき、ＢＷＰは異なる第１時間オフセット値Ｐ０、Ｐ１、及びＰ２を有する。第２時間間隔は、対応するＢＷＰでリッスンを通じてページングメッセージが取得されないとき、ページングメッセージを継続的にリッスンするための最大時間間隔である。第２時間間隔も、シンボル、スロット（slot）、又はミニスロット（mini  slot）で測定されてよい。
【０３４５】
ネットワーク装置が各ＳＳＢについてＲＭＳＩを構成するとき、各ＲＭＳＩピースは、対応するＳＳＢの位置するＢＷＰ内で送信されるページングフレームパラメータを運ぶ。ネットワーク装置が複数のＳＳＢについて１つのＲＭＳＩピースのみを構成するとき、該ＲＭＳＩピースは、複数の対応するＳＳＢがそれぞれ位置するＢＷＰ内で送信されるページングフレームパラメータを運ぶ。言い換えると、ＲＭＳＩピースは、複数のページングフレームパラメータを運ぶ。
【０３４６】
図２２を参照すると、１つのＲＭＳＩピースが複数のＳＳＢに対応する一例が以下の説明のために使用される。ネットワーク装置は、３個のＳＳＢ：ＳＳＢ１、ＳＳＢ２、及びＳＳＢ３を構成する。各ＳＳＢにより占有される帯域幅は、端末装置によりサポートされる最小帯域幅である。３個のＳＳＢはそれぞれ、複数のＢＷＰ（ＢＷＰ１、ＢＷＰ２、及びＢＷＰ３）内で送信され、複数のＢＷＰは更にページングメッセージを送信する。この場合、ＲＭＳＩピースは、それぞれＢＷＰ１、ＢＷＰ２、及びＢＷＰ３内で送信されるページングフレームパラメータを運ぶ。ＰＯＷ１はページングフレーム１の長さを表し、ＰＯＷ２はページングフレーム２の長さを表し、ＰＯＷ３はページングフレーム３の長さを表す。
【０３４７】
図に示されるように、ページングフレーム１の第１時間オフセット値はＰ０であり、つまり無線フレームの開始時点に対するオフセット値はＰ０であり、ページングフレーム２の第１時間オフセット値はＰ１であり、つまり無線フレームの開始時点に対するオフセット値はＰ１であり、ページングフレーム３の第１時間オフセット値はＰ２であり、つまり無線フレームの開始時点に対するオフセット値はＰ２である。ここで、Ｐ０＜Ｐ１＜Ｐ２である。
【０３４８】
端末装置は、受信したＲＭＳＩに基づき、ＢＷＰ１内のページングメッセージをリッスンする。第２時間間隔（例えば、Ｐ１とＰ２との間の差）内でリッスンを通じてページングメッセージを取得しなかった場合、端末装置は、ページングメッセージをリッスンするためにＢＷＰ２へジャンプする。端末装置が第２時間間隔内でリッスンを通じてページングメッセージを取得したが、リッスンを通じて取得したページングメッセージ内に端末装置のページングメッセージが見付からない、つまりページングメッセージリストが端末装置のＵＥ＿ＩＤを含まない場合、端末装置は、ＰＯＷ１がタイムアウトするまで、リッスンを実行し続ける。端末装置が第２時間間隔内でリッスンを通じてページングメッセージを取得し、端末装置のページングメッセージを見付けた場合、端末装置は、ページングメッセージを受信する。
【０３４９】
それは、ＬＢＴ結果の不確定性に起因してページングメッセージがリッスンを通じた取得に失敗したＢＷＰ内で送信できず、その結果、ＢＷＰにキャンプオンしている端末装置がページングメッセージを受信できない場合を回避するために、複数のＢＷＰで、無線フレームに対する異なるオフセット期間を有するページングメッセージフレームを送信するよう構成される。したがって、これは、端末装置により未認可周波数帯内でリッスンを通じてページングメッセージを取得する確率を増大し、通信効率を向上できる。
【０３５０】
例えば、前述の実施形態では、ページング指示情報、ＲＭＳＩ指示情報、及びＳＳＢ指示情報が含まれてよく、又は周波数オフセットを用いて実行されてよい。以下は、周波数オフセットの場合の例示的な説明を提供する。周波数オフセット情報は、ＢＷＰの周波数位置情報を示すために使用される。
【０３５１】
ネットワーク装置及び端末の両方についてデフォルト帯域幅があるとき、周波数オフセット情報は以下であってよい：（１）ＳＳＢを運ぶＢＷＰの先頭周波数チャネル番号に対する又はＲＭＳＩを運ぶＢＷＰの先頭周波数チャネル番号に対するページング情報を運ぶＢＷＰの所定の周波数チャネル番号のオフセット、（２）ＳＳＢを運ぶＢＷＰの最終周波数チャネル番号に対する又はＲＭＳＩを運ぶＢＷＰの最終周波数チャネル番号に対するページング情報を運ぶＢＷＰの所定の周波数チャネル番号のオフセット、（３）ＳＳＢを運ぶＢＷＰの中心周波数チャネル番号に対する又はＲＭＳＩを運ぶＢＷＰの中心周波数チャネル番号に対するページング情報を運ぶＢＷＰの所定の周波数チャネル番号のオフセット。ページング情報を運ぶＢＷＰの所定の周波数チャネル番号は、先頭周波数チャネル番号、最終周波数チャネル番号、又は中心周波数チャネル番号であってよい。
【０３５２】
ネットワーク装置及び端末についてデフォルト帯域幅がないとき、周波数オフセット情報は以下であってよい：（１）ＳＳＢを運ぶＢＷＰの先頭周波数チャネル番号に対する又はＲＭＳＩを運ぶＢＷＰの先頭周波数チャネル番号に対するページング情報を運ぶＢＷＰの先頭周波数チャネル番号のオフセット、及び、ＳＳＢを運ぶＢＷＰの先頭周波数チャネル番号に対する又はＲＭＳＩを運ぶＢＷＰの先頭周波数チャネル番号に対するページング情報を運ぶＢＷＰの最終周波数チャネル番号のオフセット、（２）ＳＳＢを運ぶＢＷＰの最終周波数チャネル番号に対する又はＲＭＳＩを運ぶＢＷＰの最終周波数チャネル番号に対するページング情報を運ぶＢＷＰの先頭周波数チャネル番号のオフセット、及び、ＳＳＢを運ぶＢＷＰの最終周波数チャネル番号に対する又はＲＭＳＩを運ぶＢＷＰの最終周波数チャネル番号に対するページング情報を運ぶＢＷＰの最終周波数チャネル番号のオフセット、（３）ＳＳＢを運ぶＢＷＰの中心周波数チャネル番号に対する又はＲＭＳＩを運ぶＢＷＰの先頭周波数チャネル番号に対するページング情報を運ぶＢＷＰの先頭周波数チャネル番号のオフセット、及び、ＳＳＢを運ぶＢＷＰの中心周波数チャネル番号に対する又はＲＭＳＩを運ぶＢＷＰの先頭周波数チャネル番号に対するページング情報を運ぶＢＷＰの最終周波数チャネル番号のオフセット。
【０３５３】
周波数オフセット情報について、デフォルト帯域幅の合意された幅がない場合、周波数オフセット情報は、代替として、帯域幅の幅、及び、ＳＳＢを運ぶＢＷＰの先頭周波数チャネル番号に対する又はＲＭＳＩを運ぶＢＷＰに対する示されたＢＷＰの先頭周波数チャネル番号、最終周波数チャネル番号、又は中心周波数チャネル番号のオフセットであってよい。
【０３５４】
任意で、周波数オフセット情報は、帯域幅の幅、及び、ＳＳＢを運ぶＢＷＰの最終周波数チャネル番号に対する又はＲＭＳＩを運ぶＢＷＰに対する示されたＢＷＰの先頭周波数チャネル番号、最終周波数チャネル番号、又は中心周波数チャネル番号のオフセットであってよい。
【０３５５】
さらに、任意で、周波数オフセット情報は、帯域幅の幅、及び、ＳＳＢを運ぶＢＷＰの中心周波数チャネル番号に対する又はＲＭＳＩを運ぶＢＷＰに対する示されたＢＷＰの先頭周波数チャネル番号、最終周波数チャネル番号、又は中心周波数チャネル番号のオフセットであってよい。
【０３５６】
周波数チャネル番号及び帯域幅の単位は、Ｈｚ、ＫＨｚ、ＭＨｚ、等であってよい。オフセットの指示粒度は、キャリア間隔、ＲＢ、又はＲＢグループ（RB  group、例えば１０個のＲＢ）であってよい。
【０３５７】
以上は、本願において構成されたページングメッセージ伝送方法の実装を詳細に説明した。以下は、本願におけるネットワーク装置及び端末装置の実装を続けて説明する。
【０３５８】
先ず、ネットワーク装置の実装が説明される。特定の例では、ネットワーク装置の構造はプロセッサ（又は制御部とも呼ばれる）とトランシーバとを含む。可能な例では、ネットワーク装置の構造は、通信ユニットを更に含んでよい。通信ユニットは、コアネットワークノードとの通信のような、別のネットワーク側装置との通信をサポートするよう構成される。可能な例では、ネットワーク装置の構造は、メモリを更に含んでよい。メモリは、プロセッサに結合され、ネットワーク装置のために必要なプログラム命令及びデータを格納するよう構成される。
【０３５９】
図２３は、前述の実装におけるネットワーク装置の可能な簡易概略構造図である。図２３に対応する一例では、本願のネットワーク装置の構造は、トランシーバ２３０１、プロセッサ２３０２、メモリ２３０３、及び通信ユニット２３０４を含む。トランシーバ２３０１、プロセッサ２３０２、メモリ２３０３、及び通信ユニット２３０４は、バスを用いて接続される。
【０３６０】
ダウンリンクでは、被送信データまたはシグナリング（前述のダウンリンク制御情報を含む）は、出力サンプリングを提供し及びダウンリンク信号を生成するよう、トランシーバ６０１により調整される。ダウンリンク信号は、アンテナを用いて前述の実施形態において端末装置へ伝送される。アップリンクでは、アンテナは、前述の実施形態における端末装置により伝送されたアップリンク信号（前述のランダムアクセスプリアンブルを含む）を受信する。トランシーバ２３０２は、アンテナから受信した信号を調整し、入力サンプリングを提供する。プロセッサ６０２は、サービスデータ及びシグナリングメッセージを処理し、例えば被送信データを変調し、ＳＣ−ＦＤＭＡシンボルを生成する。これらのユニットは、無線アクセスネットワークにより使用される無線アクセス技術（例えば、ＬＴＥ、５Ｇ、及び別の進化型システムにおけるアクセス技術）に基づき処理を実行する。図２３に示される実装では、トランシーバ２３０２は送信機及び受信機により統合される。別の実装では、送信機及び受信機は、代替として、互いに独立であってよい。
【０３６１】
プロセッサ２３０２は、ネットワーク装置の動作を制御し及び管理し、前述の実施形態におけるネットワーク装置により実行される処理を実行するよう更に構成され、例えば、ＳＳＢ及びＲＭＳＩを処理し及び／又は本願に記載された技術の別の処理を実行するようネットワーク装置を制御するよう構成される。一例では、プロセッサ２３０２は、図２〜図６におけるネットワーク装置に関連する処理プロセスを実行する際に、ネットワーク装置をサポートするよう構成される。未認可シナリオに適用されるとき、プロセッサ２３０２は、チャネルリッスンを実行し、競合を通じてチャネル占有時間を取得する。例えば、プロセッサ２３０２は、トランシーバ２３０２によりアンテナから受信した信号に基づきチャネルリッスンを実行し、チャネルを占有するためにアンテナから信号を送信するようトランシーバを制御する。異なる実装では、プロセッサ２３０２は、１つ以上のプロセッサを含み、例えば１つ以上の中央ユニット（Central  Processing  Unit,  CPU）を含んでよい。プロセッサ２３０２は、チップに統合されてよく、又はチップであってよい。
【０３６２】
メモリ２３０３は、関連命令及び関連データ、及びネットワーク装置のプログラムコード及びデータを格納するよう構成される。異なる実装では、メモリ２３０３は、限定ではないが、ランダムアクセスメモリ（Random  Access  Memory,  RAM）、読み出し専用メモリ（Read-Only  Memory,  ROM）、消去可能プログラマブル読み出し専用メモリ（Erasable  Programmable  Read  Only  Memory,  EPROM）、又はポータブル読み出し専用メモリ（Compact  Disc  Read-Only  Memory,  CD-ROM）を含む。
【０３６３】
図２３はネットワーク装置の簡易設計を単に示すことが理解できる。実際の適用では、ネットワーク装置は、任意の数の送信機、受信機、プロセッサ、メモリ、等を含んでよい。本願を実施可能な全てのネットワーク装置は、本願の保護範囲に含まれる。
【０３６４】
以下は、端末装置の一実装を説明する。特定の例では、端末装置の構造はプロセッサ（又は制御部とも呼ばれる）、トランシーバ、及びモデムプロセッサを含む。可能な例では、ネットワーク装置の構造は、メモリを更に含んでよい。メモリは、プロセッサに結合され、ネットワーク装置のために必要なプログラム命令及びデータを格納するよう構成される。
【０３６５】
図２４は、前述の実施形態における端末装置の可能な設計構造の簡易概略図である。端末装置は、トランシーバ２４０１、プロセッサ２４０２、メモリ２４０３、及びモデムプロセッサ２４０４を含む。トランシーバ２４０１、プロセッサ２４０２、メモリ２４０３、及び通モデムプロセッサ２４０４は、バスを用いて接続される。
【０３６６】
トランシーバ２４０１は、出力サンプリングを調整し（例えば、アナログ変換、フィルタリング、増幅、及びアップコンバージョンを実行し）、アップリンク信号を生成する。アップリンク信号は、アンテナを用いて前述の実施形態においてネットワーク装置へ伝送される。ダウンリンクでは、アンテナは、前述の実施形態における基地局により伝送されたダウンリンク信号を受信する。トランシーバ７０は、アンテナから受信した信号を調整し（例えば、フィルタリング、増幅、ダウンコンバージョン、及びデジタル化を実行し）、インプットサンプリングを提供する。例えば、モデムプロセッサ２４０４では、エンコーダ２４０４１は、アップリンクで送信されるべきサービスデータ及びシグナリングメッセージを受信し、サービスデータ及びシグナリングメッセージを処理する（例えば、フォーマット、符号化、及びインターリーブする）。変調器２４０４２は、符号化の後に取得したサービスデータ及び符号化の後に取得したシグナリングメッセージを更に処理し（例えば、シンボルマッピング及び変調を実行し）、出力サンプリングを提供する。復調器２４０４３は、入力サンプリングを処理し（例えば復調し）、シンボル推定を提供する。デコーダ２４０４４は、シンボル推定を処理し（例えば、デインターリーブ、復号し）、端末装置へ送信されるべき復号の後に取得したデータ及び復号の後に取得したシグナリングメッセージを提供する。エンコーダ２４０４１、変調器２４０４２、復調器７０４３、及びデコーダ７０４４は、統合モデムプロセッサ２４０４により実装されてよい。これらのユニットは、無線アクセスネットワークにより使用される無線アクセス技術（例えば、ＬＴＥ、５Ｇ、及び別の進化型システムにおけるアクセス技術）に基づき処理を実行する。図２４に示される実装では、トランシーバ２４０１は送信機及び受信機により統合される。別の実装では、送信機及び受信機は、代替として、互いに独立であってよい。
【０３６７】
プロセッサ２４０２は、端末装置の動作を制御し及び管理し、前述の実施形態における端末装置により実行される処理を実行するよう構成される。例えば、プロセッサ２４０２は、受信したページング指示情報に基づき処理を実行するよう及び／又は本発明で説明された技術の別の処理を実行するよう端末装置を制御するよう構成される。一例では、プロセッサ２４０２は、図２〜図６における端末装置に関連する処理プロセスを実行する際に、端末装置をサポートするよう構成される。例えば、トランシーバ２４０１は、アンテナを用いて、ネットワーク装置にｙほり送信されたダウンリンク制御情報を受信するよう構成され、プロセッサ２４０２は、ダウンリンク制御情報に基づき、アンテナを用いてランダムアクセスプリアンブルを送信するよう又は送信しないようトランシーバを制御するよう構成される。異なる実装では、プロセッサ２４０２は、１つ以上のプロセッサを含み、例えば１つ以上のCPUを含んでよい。プロセッサ２４０２は、チップに統合されてよく、又はチップであってよい。
【０３６８】
メモリ２４０３は、関連命令及び関連データ、及び端末装置のプログラムコード及びデータを格納するよう構成される。異なる実装では、メモリ２４０３は、限定ではないが、ランダムアクセスメモリ（Random  Access  Memory,  RAM）、読み出し専用メモリ（Read-Only  Memory,  ROM）、消去可能プログラマブル読み出し専用メモリ（Erasable  Programmable  Read  Only  Memory,  EPROM）、又はポータブル読み出し専用メモリ（Compact  Disc  Read-Only  Memory,  CD-ROM）を含む。
【０３６９】
図２４は端末装置の簡易設計を単に示すことが理解できる。実際の適用では、端末装置は、任意の数の送信機、受信機、プロセッサ、メモリ、等を含んでよく、本願を実施可能な全ての端末装置は本願の保護範囲に含まれる。
【０３７０】
前述の実施形態の全部又は一部は、ソフトウェア、ハードウェア、ファームウェア、又はそれらの任意の組み合わせにより実装されてよい。実施形態を実装するためにソフトウェアが使用されるとき、実施形態の全部又は一部は、コンピュータプログラムプロダクトの形式で実装されてよい。コンピュータプログラムプロダクトは、１つ以上のコンピュータ命令を含む。コンピュータプログラム命令は、コンピュータ上にロードされ実行されると、本発明の実施形態による手順又は機能が全部又は部分的に生成される。コンピュータは、汎用コンピュータ、専用コンピュータ、コンピュータネットワーク、又は別のプログラマブル機器であってよい。コンピュータ命令は、コンピュータ可読記憶媒体に格納されてよく、又はあるコンピュータ可読記憶媒体から別のコンピュータ可読記憶媒体へ伝送されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（ＤＳＬ））又は有線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、ＤＶＤ）、半導体媒体（例えば、固体ドライブ（Solid  State  Disk,  SSD））等であってよい。
【０３７１】
理解されるべきことに、本発明の実施形態では、用語「第１」、「第２」、等は、単にオブジェクトを示すことを意図しており、対応するオブジェクトの順序を示さない。
【０３７２】
理解すべきことに、本発明の実施形態における用語「及び／又は」は、単に関連付けられたオブジェクトを説明する関連付け関係を記述し、３つの関係が存在し得ることを表す。例えば、Ａ及び／又はＢは、以下の３つの場合を表してよい。Ａのみが存在する、Ａ及びＢの両方が存在する、並びに、Ｂのみが存在する。文字「／」は、通常、関連付けられたオブジェクトの間の「又は」の関係を示す。
【０３７３】
当業者は、本明細書に開示された実施形態で記載された例と組み合わせて、ユニット及びアルゴリズムが電子ハードウェア又はコンピュータソフトウェアと電子ハードウェアとの組み合わせにより実装されてよいことを認識し得る。機能がハードウェア又はソフトウェアにより実行されるかは、技術的ソリューションの特定の適用及び設計制約条件に依存する。当業者は、特定の適用毎に、記載の機能を実施するために異なる方法を使用してよいが、実装が本願の範囲を超えると考えられるべきではない。
【０３７４】
便宜上及び簡潔な説明を目的として、前述のシステム、機器、及びユニットの詳細な作動プロセスについては、前述の方法の実施形態における対応するプロセスを参照し、詳細はここで再び記載されないことが、当業者により明確に理解され得る。
【０３７５】
本願において提供された幾つかの実施形態では、理解されるべきことに、開示のシステム、機器、及び方法は他の方法で実装されてよい。例えば、記載の機器の実施形態は単なる例である。例えば、ユニットへの分割は、単なる論理的機能分割であり、実際の実装では他の分割であってよい。例えば、複数のユニット又はコンポーネントは、結合され又は別のシステムに統合されてよく、或いは、幾つかの機能は、無視され又は実行されなくてよい。さらに、示された又は議論された相互結合又は直接結合又は津新設族は、幾つかのインタフェースを用いて実装されてよい。機器又はユニット間の間接結合又は通信接続は、電子的、機械的、又は他の形式で実装されてよい。
【０３７６】
別個の部分として記載されたユニットは、物理的に分離していてよく又はそうでなくてよい。ユニットとして示された部分は、物理的ユニットであってよく又はそうでなくてよく、１つの場所に置かれてよく、又は複数のネットワークユニットに分配されてよい。ユニットのうちの一部又は全部は、実施形態のソリューションの目的を達成するために、実際の要件に基づき選択されてよい。
【０３７７】
さらに、本願の実施形態における機能ユニットは、１つの処理ユニットに統合されてよく、又は、ユニットの各々は物理的に単独で存在してよく、又は、２つ以上のユニットが１つのユニットに統合される。
【０３７８】
機能がソフトウェア機能ユニットの形式で実装され、独立したプロダクトとして販売され又は使用されるとき、機能は、コンピュータ可読記憶媒体に格納されてよい。このような理解に基づき、基本的に又は部分的に従来技術に貢献する本願の技術的ソリューションは、ソフトウェアプロダクトの形式で実装されてよい。コンピュータソフトウェアプロダクトは、記憶媒体に格納され、本願の実施形態で記載された方法のステップのうちの全部又は一部を実行するようコンピュータ装置（これは、パーソナルコンピュータ、サーバ、ネットワーク装置、等であってよい）に指示するための幾つかの命令を含む。前述の記憶媒体は、プログラムコードを格納できる、ＵＳＢフラッシュドライブ、取り外し可能ハードディスク、読み出し専用メモリ（read-only  memory,  ROM）、ランダムアクセスメモリ（random  access  memory,  RAM）、磁気ディスク、又は光ディスクのような、任意の媒体を含む。
【０３７９】
前述の説明は、単に本願の特定の実装であり、本願の保護範囲を限定することを意図しない。本願で開示された技術的範囲の範囲内にある、当業者により直ちに考案される任意の変形又は置換は、本願の保護範囲の中に包含されるべきである。したがって、本願の保護範囲は、特許請求の範囲の保護範囲に従うべきである。
【図１】
2020536429.tif 000005
【図２】
2020536429.tif 000006
【図３】
2020536429.tif 000007
【図４】
2020536429.tif 000008
【図５】
2020536429.tif 000009
【図６】
2020536429.tif 000010
【図７】
2020536429.tif 000011
【図８】
2020536429.tif 000012
【図９】
2020536429.tif 000013
【図１０】
2020536429.tif 000014
【図１１】
2020536429.tif 000015
【図１２】
2020536429.tif 000016
【図１３】
2020536429.tif 000017
【図１４】
2020536429.tif 000018
【図１５】
2020536429.tif 000019
【図１６】
2020536429.tif 000020
【図１７】
2020536429.tif 000021
【図１８】
2020536429.tif 000022
【図１９】
2020536429.tif 000023
【図２０】
2020536429.tif 000024
【図２１】
2020536429.tif 000025
【図２２】
2020536429.tif 000026
【図２３】
2020536429.tif 000027
【図２４】
2020536429.tif 000028
【図２５】
2020536429.tif 000029
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
通信方法であって、
第１同期信号ブロックを送信するステップであって、前記第１同期信号ブロックは制御情報に関連付けられず、前記第１同期信号ブロック内の物理ブロードキャストチャネルは、第１指示情報を運び、前記第１指示情報は第２同期信号ブロックのリソース位置を示し、前記第２同期信号ブロックは制御情報に関連付けられる、ステップと、
前記第２同期信号ブロックを送信するステップと、
を含む方法。
【請求項２】
通信方法であって、
第１同期信号ブロック内の物理ブロードキャストチャネルで運ばれる第１指示情報を受信するステップであって、前記第１同期信号ブロックは制御情報に関連付けられず、前記第１指示情報は、第２同期信号ブロックのリソース位置を示し、前記第２同期信号ブロックは前記制御情報に関連付けられる、ステップと、
前記第２同期信号ブロックを受信するステップと、
を含む方法。
【請求項３】
通信装置であって、プロセッサと送信機とを含み、前記プロセッサは、
第１同期信号ブロックを送信するステップであって、前記第１同期信号ブロックが制御情報に関連付けられていないとき、前記第１同期信号ブロック内の物理ブロードキャストチャネルは第１指示情報を運び、前記第１指示情報は第２同期信号ブロックのリソース位置を示し、前記第２同期信号ブロックは前記制御情報に関連付けられる、ステップと、
前記第２同期信号ブロックを送信するステップと、
を実行するよう前記送信機を制御するよう構成される、通信装置。
【請求項４】
通信装置であって、プロセッサと受信機とを含み、前記プロセッサは、
第１同期信号ブロック内の物理ブロードキャストチャネルで運ばれる第１指示情報を受信するステップであって、前記第１同期信号ブロックは制御情報に関連付けられず、前記第１指示情報は、第２同期信号ブロックのリソース位置を示し、前記第２同期信号ブロックは前記制御情報に関連付けられる、ステップと、
前記第２同期信号ブロックを受信するステップと、
を実行するよう前記受信機を制御するよう構成される、通信装置。
【請求項５】
前記第２同期信号ブロックが前記制御情報に関連付けられることは、
前記第２同期信号ブロックと同じ時間ドメインリソースで又はプロトコルにより指定された方法若しくは所定の方法で前記第２同期信号ブロックの後の時間ドメインリソースで送信される必要のある制御情報を運ぶことを含む、請求項１又は２に記載の方法。
【請求項６】
前記後の時間ドメインリソースと前記第２同期信号ブロックとの間に時間対応がある、請求項５に記載の方法。
【請求項７】
前記第２同期信号ブロックが前記制御情報に関連付けられることは、
端末装置に関連付けられた前記制御情報のリソース構成情報が、前記第２同期信号ブロック内の物理ブロードキャストチャネルを用いて示されることを含む、請求項１、２、５、又は６のいずれか一項に記載の方法。
【請求項８】
前記第２同期信号ブロックの前記リソース位置は、帯域幅内の前記第２同期信号ブロックの絶対位置を含み、又は第１周波数内信号ブロックに対する前記第２同期信号ブロックの相対位置を含み、又は前記第２同期信号ブロックに対する前記第１同期信号ブロックのリソース位置を含む、請求項１、２、又は５乃至７のいずれか一項に記載の方法。
【請求項９】
前記第１指示情報は、前記第２同期信号ブロックと前記第１同期信号ブロックとの間の周波数ドメインオフセットの値を示すために使用される、請求項１、２、又は５乃至８のいずれか一項に記載の方法。
【請求項１０】
前記物理ブロードキャストチャネルは第３指示情報を更に運び、前記第３指示情報は、前記第１同期信号ブロックが前記第１指示情報を含むことを示すために使用される、請求項１、２、又は５乃至９のいずれか一項に記載の方法。
【請求項１１】
前記物理ブロードキャストチャネルは第３指示情報を更に運び、前記第３指示情報は、前記第１同期信号ブロックが前記制御情報に関連付けられていないことを示すために使用される、請求項１、２、又は５乃至１０のいずれか一項に記載の方法。
【請求項１２】
前記物理ブロードキャストチャネルは第１フィールド、第２フィールド、及び第３フィールドを含み、
前記第１フィールドは、前記第１同期信号ブロックが前記制御情報に関連付けられているときにのみ有効であり、
前記第２フィールドは、前記第１同期信号ブロックが前記制御情報に関連付けられていないときにのみ有効であり、前記第２フィールドは、前記第１指示情報を運び、
前記第３フィールドは、前記第１同期信号ブロックが前記制御情報に関連付けられているとき又は前記第１同期信号ブロックが前記制御情報に関連付けられていないときに有効であり、
前記物理ブロードキャストチャネル上で前記第１フィールド及び前記第２フィールドにより占有されるビットは、部分的に又は完全に重なり合う、請求項１、２、又は５乃至１１のいずれか一項に記載の方法。
【請求項１３】
前記第２フィールドは前記第１指示情報を運び、
前記第１同期信号ブロックが前記制御情報に関連付けられていないとき、残りの最小ＳＩ（ＲＭＳＩ）制御リソース、物理リソースブロック（ＰＲＢ）内の同期信号のサブキャリアオフセット、又は前記物理ブロードキャストチャネル内のシステムフレーム番号（ＳＦＮ）、のうちの１つ以上は、前記第１指示情報を運ぶために使用される、請求項１２に記載の方法。
【請求項１４】
前記制御情報はシステム情報（ＳＩ）を含む、請求項１、２、又は５乃至１３のいずれか一項に記載の方法。
【請求項１５】
命令を含むコンピュータ可読記憶媒体であって、前記命令がコンピュータ上で実行されると、前記コンピュータが請求項１、２、又は５乃至１４のいずれか一項に記載の方法を実行可能にされる、コンピュータ可読記憶媒体。
【手続補正２】
【補正対象書類名】明細書
【補正対象項目名】００１１
【補正方法】変更
【補正の内容】
【００１１】
幾つかの可能な実装では、前記第１同期信号ブロックの前記伝送モードは、前記第１同期信号ブロック内の同期信号シーケンスの周波数ドメインマッピングモードを含み、前記第１同期信号ブロックの伝送モードを決定する前記ステップは、前記第１同期信号ブロックが前記制御情報と関連付けられているとき、前記マッピングモードが複数の所定のマッピングモードのうちの第１マッピングモードであることを決定するステップと、又は、前記第１同期信号ブロックが前記制御情報と関連付けられていないとき、前記マッピングモードが前記複数の所定のマッピングモードのうちの第２マッピングモードであることを決定するステップと、を含む。
【手続補正３】
【補正対象書類名】明細書
【補正対象項目名】００９２
【補正方法】変更
【補正の内容】
【００９２】
第１３の態様によると、本願は、端末装置であって、ネットワーク装置から、ページング指示情報を受信するよう構成されるトランシーバと、前記ページング指示情報に基づき、ページングメッセージを伝送するために使用される周波数ドメインリソースを決定し、前記ページング情報により示された前記周波数ドメインリソースで前記ページングメッセージを受信するよう構成されるプロセッサと、を含む端末装置を提供する。
【手続補正４】
【補正対象書類名】明細書
【補正対象項目名】００９６
【補正方法】変更
【補正の内容】
【００９６】
第１４の態様によると、本願は、命令を格納するコンピュータ可読記憶媒体を更に提供する。前記命令がコンピュータで実行されると、前記コンピュータは、前述の態様における方法を実行可能にされる。
【手続補正５】
【補正対象書類名】明細書
【補正対象項目名】００９７
【補正方法】変更
【補正の内容】
【００９７】
第１５の態様によると、本願は、命令を含むコンピュータプログラムプロダクトを提供する。前記コンピュータプログラムプロダクトがコンピュータで実行されると、前記コンピュータは、前述の態様における方法を実行可能にされる。
【手続補正６】
【補正対象書類名】明細書
【補正対象項目名】０１２９
【補正方法】変更
【補正の内容】
【０１２９】
図３は、本発明の実施形態が適用され得るネットワークアーキテクチャの一例の概略図である。ネットワークアーキテクチャの概略図は、次世代無線通信システムの新無線アクセス（New  Radio  Access,  NR）ネットワークのアーキテクチャ図であってよい。ネットワークアーキテクチャの概略図では、ネットワーク装置は、１つの中央ユニット（centralized  unit,  CU）と複数の送受信ポイント（transmission  reception  point,  TRP）／分散ユニット（distributed  unit,  DU）とに分割されてよい。言い換えると、ネットワーク装置の帯域幅に基づくユニット（bandwidth  based  unit,  BBU）は、ＤＵ機能エンティティ及びＣＵ機能エンティティとして再構成される。留意すべきことに、中央ユニット及びＴＲＰ／ＤＵの形式及び数は、本発明の実施形態に対する限定を構成しない。図３に示されるネットワーク装置１及びネットワーク装置２は、それぞれ異なる形式の中央ユニットに対応するが、ネットワーク装置１及びネットワーク装置２の機能は影響されない。中央ユニット１及び破線範囲内のＴＲＰ／ＤＵはネットワーク装置１のコンポーネントであり、中央ユニット２及び実線範囲内のＴＲＰ／ＤＵはネットワーク装置２のコンポーネントであり、ネットワーク装置１及びネットワーク装置２はＮＲシステムにおけるネットワーク装置（又は基地局と呼ばれる）であることが理解できる。
【手続補正７】
【補正対象書類名】明細書
【補正対象項目名】０１３７
【補正方法】変更
【補正の内容】
【０１３７】
例えば、図４は同期信号ブロックの可能な構造の概略図である。ＰＳＳ及びＳＳＳは、主に、ＵＥがセルを識別し該セルと同期することを助けるために使用される。ＰＢＣＨはシステムフレーム番号又はフレーム間タイミング情報のような最も基本的なシステム情報を含む。ＵＥは、ＵＥが同期信号ブロックの受信に成功しない限り、セルにアクセスできない。各ＳＳＢは４個のシンボルに渡る。ここで、ＰＳＳは第１シンボルを占有し、ＰＢＣＨは第２シンボルを占有し、ＰＢＣＨ、ＳＳＳ及びＰＢＣＨは第３シンボルを占有し、ＰＢＣＨは第４シンボルを占有する。
【手続補正８】
【補正対象書類名】明細書
【補正対象項目名】０２４９
【補正方法】変更
【補正の内容】
【０２４９】
任意で、プロセッサ１５１０は、具体的に、第１同期信号ブロックの伝送モードが、第１同期信号ブロック内の同期信号シーケンスの周波数ドメインマッピングモードを含むとき、第１同期信号ブロックが制御情報と関連付けられているとき、マッピングモードが複数の所定のマッピングモードのうちの第１マッピングモードであることを決定し、又は、第１同期信号ブロックが制御情報と関連付けられていないとき、マッピングモードが複数の所定のマッピングモードのうちの第２マッピングモードであることを決定するよう構成される。
【手続補正９】
【補正対象書類名】明細書
【補正対象項目名】０３０８
【補正方法】変更
【補正の内容】
【０３０８】
以下は、本願の実施形態における添付の図面を参照して、本願の実施形態における技術的ソリューションを明確に説明する。
【手続補正１０】
【補正対象書類名】明細書
【補正対象項目名】０３３３
【補正方法】変更
【補正の内容】
【０３３３】
ＲＭＳＩ指示数情報はＳＳＢ内で示される。ＳＳＢを見付けた後に、端末は、ＳＳＢを再探索すること及びＳＳＢ同期動作を実行することなく、ＳＳＢにより示される、ＲＭＳＩのＲＭＳＩ指示情報に基づき、ＲＭＳＩを見付けてよい。これは複雑性を低減する。
【手続補正１１】
【補正対象書類名】明細書
【補正対象項目名】０３３９
【補正方法】変更
【補正の内容】
【０３３９】
【数２】
2020536429.tif 000030
ｎＢ及びＴは、間欠受信（discontinuous  reception,  DRX）パラメータである。具体的に、ＴはＤＲＸサイクル（cycle）を表す。アイドル（idle）状態のＵＥは、間隔Ｔでページングメッセージをリッスンする。ｎＢは各ＤＲＸサイクルの中のページング機会（Paging  Occasion,  PO）の数を表す。１回のＰＯはページングメッセージの１回の送信を示す。ＵＥ＿ＩＤは、以下の複数の識別子のうちの任意の１つの値に対して固定値によりモジュロ演算が実行された後に取得される値であってよい：国際移動機器識別子（international  mobile  equipment  identity,  IMEI）、一時的移動体加入者識別子（temporary  mobile  subscriber  identity,  TMSI）、及び無線ネットワーク一時識別子（radio  network  temporary  identifier,  RNTI）。システムは、グループ化された端末に基づき、該端末に対応するＢＷＰ内でページングメッセージを送信する。
【手続補正１２】
【補正対象書類名】明細書
【補正対象項目名】０３６０
【補正方法】変更
【補正の内容】
【０３６０】
ダウンリンクでは、被送信データまたはシグナリング（前述のダウンリンク制御情報を含む）は、出力サンプリングを提供し及びダウンリンク信号を生成するよう、トランシーバ２３０１により調整される。ダウンリンク信号は、アンテナを用いて前述の実施形態において端末装置へ伝送される。アップリンクでは、アンテナは、前述の実施形態における端末装置により伝送されたアップリンク信号（前述のランダムアクセスプリアンブルを含む）を受信する。トランシーバ２３０１は、アンテナから受信した信号を調整し、入力サンプリングを提供する。プロセッサ２３０２は、サービスデータ及びシグナリングメッセージを処理し、例えば被送信データを変調し、ＳＣ−ＦＤＭＡシンボルを生成する。これらのユニットは、無線アクセスネットワークにより使用される無線アクセス技術（例えば、ＬＴＥ、５Ｇ、及び別の進化型システムにおけるアクセス技術）に基づき処理を実行する。図２３に示される実装では、トランシーバ２３０１は送信機及び受信機により統合される。別の実装では、送信機及び受信機は、代替として、互いに独立であってよい。
【手続補正１３】
【補正対象書類名】明細書
【補正対象項目名】０３６６
【補正方法】変更
【補正の内容】
【０３６６】
トランシーバ２４０１は、出力サンプリングを調整し（例えば、アナログ−デジタル変換、フィルタリング、増幅、及びアップコンバージョンを実行し）、アップリンク信号を生成する。アップリンク信号は、アンテナを用いて前述の実施形態においてネットワーク装置へ伝送される。ダウンリンクでは、アンテナは、前述の実施形態における基地局により伝送されたダウンリンク信号を受信する。トランシーバ２４０１は、アンテナから受信した信号を調整し（例えば、フィルタリング、増幅、ダウンコンバージョン、及びデジタル化を実行し）、インプットサンプリングを提供する。例えば、モデムプロセッサ２４０４では、エンコーダ２４０４１は、アップリンクで送信されるべきサービスデータ及びシグナリングメッセージを受信し、サービスデータ及びシグナリングメッセージを処理する（例えば、フォーマット、符号化、及びインターリーブする）。変調器２４０４２は、符号化の後に取得したサービスデータ及び符号化の後に取得したシグナリングメッセージを更に処理し（例えば、シンボルマッピング及び変調を実行し）、出力サンプリングを提供する。復調器２４０４３は、入力サンプリングを処理し（例えば復調し）、シンボル推定を提供する。デコーダ２４０４４は、シンボル推定を処理し（例えば、デインターリーブ、復号し）、端末装置へ送信されるべき復号の後に取得したデータ及び復号の後に取得したシグナリングメッセージを提供する。エンコーダ２４０４１、変調器２４０４２、復調器２４０４３、及びデコーダ２４０４４は、統合モデムプロセッサ２４０４により実装されてよい。これらのユニットは、無線アクセスネットワークにより使用される無線アクセス技術（例えば、ＬＴＥ、５Ｇ、及び別の進化型システムにおけるアクセス技術）に基づき処理を実行する。図２４に示される実装では、トランシーバ２４０１は送信機及び受信機により統合される。別の実装では、送信機及び受信機は、代替として、互いに独立であってよい。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
通信方法であって、
第１同期信号ブロックを送信するステップであって、前記第１同期信号ブロックは制御情報に関連付けられず、前記第１同期信号ブロック内の物理ブロードキャストチャネルは、第１指示情報を運び、前記第１指示情報は第２同期信号ブロックのリソース位置を示し、前記第２同期信号ブロックは制御情報に関連付けられる、ステップと、
前記第２同期信号ブロックを送信するステップと、
を含む方法。
【請求項２】
前記第２同期信号ブロックは、前記制御情報に関連付けられ、前記方法は、
前記第２同期信号ブロックと同じ時間ドメインリソースで又は前記第２同期信号ブロックの後の時間ドメインリソースで送信される必要のある制御情報を、プロトコルにより指定された方法又は所定の方法で運ぶステップ、を更に含む請求項１に記載の方法。
【請求項３】
前記後の時間ドメインリソースと前記第２同期信号ブロックとの間に時間対応がある、請求項２に記載の方法。
【請求項４】
前記第２同期信号ブロックは前記制御情報と関連付けられることは、
端末装置に関連付けられた前記制御情報のリソース構成情報が、前記第２同期信号ブロックの中の物理ブロードキャストチャネルを用いて示されることを含む、請求項１乃至３のいずれか一項に記載の方法。
【請求項５】
前記第２同期信号ブロックの前記リソース位置は、帯域幅内の前記第２同期信号ブロックの絶対位置を含み、又は第１周波数内信号ブロックに対する前記第２同期信号ブロックの相対位置を含み、又は前記第２同期信号ブロックに対する前記第１同期信号ブロックのリソース位置を含む、請求項１乃至４のいずれか一項に記載の方法。
【請求項６】
前記第１指示情報は、前記第２同期信号ブロックと前記第１同期信号ブロックとの間の周波数ドメインオフセットの値を示すために使用される、請求項１乃至５のいずれか一項に記載の方法。
【請求項７】
前記物理ブロードキャストチャネルは、第３指示情報を更に運び、前記第３指示情報は、前記第１同期信号ブロックが前記第１指示情報を含むことを示すために使用される、請求項１乃至６のいずれか一項に記載の方法。
【請求項８】
前記物理ブロードキャストチャネルは、第３指示情報を更に運び、第３指示情報は、前記第１同期信号ブロックが前記制御情報に関連付けられていないことを示すために使用される、請求項１乃至７のいずれか一項に記載の方法。
【請求項９】
前記物理ブロードキャストチャネルは、第１フィールド、第２フィールド、及び第３フィールドを含み、前記第１フィールドは、前記第１同期信号ブロックが前記制御情報に関連付けられているときにのみ有効であり、前記第２フィールドは、前記第１同期信号ブロックが前記制御情報に関連付けられていないときにのみ有効であり、前記第２フィールドは前記第１指示情報を運び、前記第３フィールドは、前記第１同期信号ブロックが前記制御情報に関連付けられているとき又は前記第１同期信号ブロックが前記制御情報に関連付けられていないときに有効であり、前記物理ブロードキャストチャネル上で前記第１フィールド及び前記第２フィールドにより占有されるビットは、部分的に又は完全に重なり合う、請求項１乃至８のいずれか一項に記載の方法。
【請求項１０】
前記第２フィールドが前記第１指示情報を運ぶことは、前記第１同期信号ブロックが前記制御情報に関連付けられていないとき、残りの最小ＳＩ（ＲＭＳＩ）制御リソース、物理リソースブロック（ＲＰＢ）の中の同期信号のサブキャリアオフセット、又は前記第１指示情報を運ぶために使用される前記物理ブロードキャストチャネルの中のシステムフレーム番号（ＳＦＮ）のうちの１つ以上が前記第１指示情報を運ぶために使用される、請求項９に記載の方法。
【請求項１１】
前記制御情報は、システム情報（ＳＩ）を含む、請求項１乃至１０のいずれか一項に記載の方法。
【請求項１２】
通信方法であって、
第１同期信号ブロックの中の物理ブロードキャストチャネルで運ばれる第１指示情報を受信するステップであって、前記第１同期信号ブロックは制御情報と関連付けられず、前記第１指示情報は第２同期信号ブロックのリソース位置を示し、前記第２同期信号ブロックは前記制御情報に関連付けられる、ステップと、
前記第２同期信号ブロックを受信するステップと、
を含む方法。
【請求項１３】
前記第２同期信号ブロックは前記制御情報に関連付けられ、前記方法は、
前記第２同期信号ブロックと同じ時間ドメインリソースで又はプロトコルにより指定された方法若しくは所定の方法で前記第２同期信号ブロックの後の時間ドメインリソースで送信される必要のある制御情報を、プロトコルにより指定された方法又は所定の方法で運ぶステップ、を更に含む請求項１２に記載の方法。
【請求項１４】
前記後の時間ドメインリソースと前記第２同期信号ブロックとの間に時間対応がある、請求項１３に記載の方法。
【請求項１５】
前記第２同期信号ブロックが前記制御情報に関連付けられることは、
端末装置に関連付けられた前記制御情報のリソース構成情報が、前記第２同期信号ブロックの中の物理ブロードキャストチャネルを用いて示されることを含む、請求項１２乃至１４のいずれか一項に記載の方法。
【請求項１６】
前記第２同期信号ブロックの前記リソース位置は、帯域幅内の前記第２同期信号ブロックの絶対位置を含み、又は第１周波数内信号ブロックに対する前記第２同期信号ブロックの相対位置を含み、又は前記第２同期信号ブロックに対する前記第１同期信号ブロックのリソース位置を含む、請求項１２乃至１５のいずれか一項に記載の方法。
【請求項１７】
前記第１指示情報は、前記第２同期信号ブロックと前記第１同期信号ブロックとの間の周波数ドメインオフセットの値を示すために使用される、請求項１２乃至１６のいずれか一項に記載の方法。
【請求項１８】
前記物理ブロードキャストチャネルは、第３指示情報を更に運び、前記第３指示情報は、前記第１同期信号ブロックが前記第１指示情報を含むことを示すために使用される、請求項１２乃至１７のいずれか一項に記載の方法。
【請求項１９】
前記物理ブロードキャストチャネルは、第３指示情報を更に運び、前記第３指示情報は、前記第１同期信号ブロックが前記制御情報に関連付けられていないことを示すために使用される、請求項１２乃至１８のいずれか一項に記載の方法。
【請求項２０】
前記物理ブロードキャストチャネルは、第１フィールド、第２フィールド、及び第３フィールドを含み、前記第１フィールドは、前記第１同期信号ブロックが前記制御情報に関連付けられているときにのみ有効であり、前記第２フィールドは、前記第１同期信号ブロックが前記制御情報に関連付けられていないときにのみ有効であり、前記第２フィールドは前記第１指示情報を運び、前記第３フィールドは、前記第１同期信号ブロックが前記制御情報に関連付けられているとき又は前記第１同期信号ブロックが前記制御情報に関連付けられていないときに有効であり、前記物理ブロードキャストチャネル上で前記第１フィールド及び前記第２フィールドにより占有されるビットは、部分的に又は完全に重なり合う、請求項１２乃至１９のいずれか一項に記載の方法。
【請求項２１】
前記第２フィールドが前記第１指示情報を運ぶことは、前記第１同期信号ブロックが前記制御情報に関連付けられていないとき、残りの最小SI（ＲＭＳＩ）制御リソース、物理リソースブロック（ＲＰＢ）の中の同期信号のサブキャリアオフセット、又は前記第１指示情報を運ぶために使用される前記物理ブロードキャストチャネルの中のシステムフレーム番号（ＳＦＮ）のうちの１つ以上が前記第１指示情報を運ぶために使用される、請求項２０に記載の方法。
【請求項２２】
前記制御情報は、システム情報（ＳＩ）を含む、請求項１乃至２１のいずれか一項に記載の方法。
【請求項２３】
通信装置であって、プロセッサと送信機とを含み、前記プロセッサは、前記送信機に、
第１同期信号ブロックが制御情報に関連付けられていないとき、前記第１同期信号ブロックを送信するステップであって、前記第１同期信号ブロックの中の物理ブロードキャストチャネルは第１指示情報を運び、前記第１指示情報は第２同期信号ブロックのリソース位置を示し、前記第２同期信号ブロックは前記制御情報に関連付けられる、ステップと、
前記第２同期信号ブロックを送信するステップと、
を実行させるように制御するよう構成される、通信装置。
【請求項２４】
前記第２同期信号ブロックが前記制御情報に関連付けられることは、
前記第２同期信号ブロックと同じ時間ドメインリソースで又は前記第２同期信号ブロックの後の時間ドメインリソースで、プロトコルにより指定された方法若しくは所定の方法で送信される必要のある制御情報を運ぶことを含む、請求項２３に記載の通信装置。
【請求項２５】
前記後の時間ドメインリソースと前記第２同期信号ブロックとの間に時間対応がある、請求項２４に記載の通信装置。
【請求項２６】
前記第２同期信号ブロックが前記制御情報に関連付けられることは、
端末装置に関連付けられた前記制御情報のリソース構成情報が、前記第２同期信号ブロックの中の物理ブロードキャストチャネルを用いて示されることを含む、請求項２３乃至又は２５のいずれか一項に記載の通信装置。
【請求項２７】
前記第２同期信号ブロックの前記リソース位置は、帯域幅内の前記第２同期信号ブロックの絶対位置を含み、又は第１周波数内信号ブロックに対する前記第２同期信号ブロックの相対位置を含み、又は前記第２同期信号ブロックに対する前記第１同期信号ブロックのリソース位置を含む、請求項２３乃至２６のいずれか一項に記載の通信装置。
【請求項２８】
前記第１指示情報は、前記第２同期信号ブロックと前記第１同期信号ブロックとの間の周波数ドメインオフセットの値を示すために使用される、請求項２３乃至２７のいずれか一項に記載の通信装置。
【請求項２９】
前記物理ブロードキャストチャネルは、第３指示情報を更に運び、前記第３指示情報は、前記第１同期信号ブロックが前記第１指示情報を含むことを示すために使用される、請求項２３乃至２８のいずれか一項に記載の通信装置。
【請求項３０】
前記物理ブロードキャストチャネルは、第３指示情報を更に運び、前記第３指示情報は、前記第１同期信号ブロックが前記制御情報に関連付けられていないことを示すために使用される、請求項２３乃至２９のいずれか一項に記載の通信装置。
【請求項３１】
前記物理ブロードキャストチャネルは、第１フィールド、第２フィールド、及び第３フィールドを含み、前記第１フィールドは、前記第１同期信号ブロックが前記制御情報に関連付けられているときにのみ有効であり、前記第２フィールドは、前記第１同期信号ブロックが前記制御情報に関連付けられていないときにのみ有効であり、前記第２フィールドは前記第１指示情報を運び、前記第３フィールドは、前記第１同期信号ブロックが前記制御情報に関連付けられているとき又は前記第１同期信号ブロックが前記制御情報に関連付けられていないときに有効であり、前記物理ブロードキャストチャネル上の前記第１フィールド及び前記第２フィールドにより占有されるビットは部分的に又は完全に重なり合う、請求項２３乃至３０のいずれか一項に記載の通信装置。
【請求項３２】
前記第２フィールドが前記第１指示情報を運ぶことは、前記第１同期信号ブロックが前記制御情報に関連付けられていないとき、残りの最小ＳＩ（ＲＮＳＩ）制御リソース、物理リソースブロック（ＰＲＢ）の中の同期信号のサブキャリアオフセット、又は前記物理ブロードキャストチャネルの中のシステムフレーム番号（ＳＦＮ）が、前記第１指示情報を運ぶために使用されることを含む、請求項３１に記載の通信装置。
【請求項３３】
前記制御情報はシステム情報（ＳＩ）を含む、請求項２３乃至３２のいずれか一項に記載の通信装置。
【請求項３４】
通信装置であって、プロセッサと受信機とを含み、前記プロセッサは、前記受信機に、
第１同期信号ブロックの中の物理ブロードキャストチャネルで運ばれる第１指示情報を受信するステップであって、前記第１同期信号ブロックは制御情報に関連付けられず、前記第１指示情報は第２同期信号ブロックのリソース位置を示し、前記第２同期信号ブロックは前記制御情報に関連付けられる、ステップと、
前記第２同期信号ブロックを受信するステップと、
を実行させるよう制御するように構成される、通信装置。
【請求項３５】
前記第２同期信号ブロックが前記制御情報に関連付けられることは、
前記第２同期信号ブロックと同じ時間ドメインリソースで又は前記第２同期信号ブロックの後の時間ドメインリソースで、プロトコルにより指定された方法若しくは所定の方法で送信される必要のある制御情報を運ぶことを含む、請求項３４に記載の通信装置。
【請求項３６】
前記後の時間ドメインリソースと前記第２同期信号ブロックとの間に時間対応がある、請求項３５に記載の通信装置。
【請求項３７】
前記第２同期信号ブロックが前記制御情報に関連付けられることは、
端末装置に関連付けられた前記制御情報のリソース構成情報が、前記第２同期信号ブロックの中の物理ブロードキャストチャネルを用いて示されることを含む、請求項３４乃至又は３６のいずれか一項に記載の通信装置。
【請求項３８】
前記第２同期信号ブロックの前記リソース位置は、帯域幅内の前記第２同期信号ブロックの絶対位置を含み、又は第１周波数内信号ブロックに対する前記第２同期信号ブロックの相対位置を含み、又は前記第２同期信号ブロックに対する前記第１同期信号ブロックのリソース位置を含む、請求項３４乃至３７のいずれか一項に記載の通信装置。
【請求項３９】
前記第１指示情報は、前記第２同期信号ブロックと前記第１同期信号ブロックとの間の周波数ドメインオフセットの値を示すために使用される、請求項３４乃至３８のいずれか一項に記載の通信装置。
【請求項４０】
前記物理ブロードキャストチャネルは、第３指示情報を更に運び、前記第３指示情報は、前記第１同期信号ブロックが前記第１指示情報を含むことを示すために使用される、請求項３４乃至３９のいずれか一項に記載の通信装置。
【請求項４１】
前記物理ブロードキャストチャネルは、第３指示情報を更に運び、前記第３指示情報は、前記第１同期信号ブロックが前記制御情報に関連付けられていないことを示すために使用される、請求項３４乃至４０のいずれか一項に記載の通信装置。
【請求項４２】
前記物理ブロードキャストチャネルは、第１フィールド、第２フィールド、及び第３フィールドを含み、前記第１フィールドは、前記第１同期信号ブロックが前記制御情報に関連付けられているときにのみ有効であり、前記第２フィールドは、前記第１同期信号ブロックが前記制御情報に関連付けられていないときにのみ有効であり、前記第２フィールドは前記第１指示情報を運び、前記第３フィールドは、前記第１同期信号ブロックが前記制御情報に関連付けられているとき又は前記第１同期信号ブロックが前記制御情報に関連付けられていないときに有効であり、前記物理ブロードキャストチャネル上の前記第１フィールド及び前記第２フィールドにより占有されるビットは部分的に又は完全に重なり合う、請求項３４乃至４１のいずれか一項に記載の通信装置。
【請求項４３】
前記第２フィールドが前記第１指示情報を運ぶことは、前記第１同期信号ブロックが前記制御情報に関連付けられていないとき、残りの最小SI（ＲＮＳＩ）制御リソース、物理リソースブロック（ＰＲＢ）の中の同期信号のサブキャリアオフセット、又は前記物理ブロードキャストチャネルの中のシステムフレーム番号（ＳＦＮ）が、前記第１指示情報を運ぶために使用されることを含む、請求項４２に記載の通信装置。
【請求項４４】
前記制御情報はシステム情報（ＳＩ）を含む、請求項３４乃至４３のいずれか一項に記載の通信装置。
【請求項４５】
命令を含むコンピュータ可読記憶媒体であって、前記命令がコンピュータ上で実行すると、前記コンピュータは、請求項１乃至１１、又は１２乃至２２のいずれか一項に記載の方法を実行可能にされる、コンピュータ可読記憶媒体。

【国際調査報告】
2020536429.tif 000031
2020536429.tif 000032
2020536429.tif 000033
2020536429.tif 000034
2020536429.tif 000035
2020536429.tif 000036
2020536429.tif 000037
2020536429.tif 000038